(57)【特許請求の範囲】
【請求項１】
エレクトロウェッティングピクセルであって、
表面を有する支持プレートと、
第１のエレクトロウェッティング素子であって、
第１のサブピクセルであって、
前記表面の第１のサブピクセル領域と実質的に重なる第１のカラーフィルタと、
第１の電極と、を含む前記第１のサブピクセルと、
第２のサブピクセルであって、
前記表面の第２のサブピクセル領域と実質的に重なる第２のカラーフィルタと、
第２の電極と、を含む前記第２のサブピクセルと、
前記第１の電極または前記第２の電極のうちの少なくとも一方を用いて印加される少なくとも第１の電圧に基づいて、前記第１のサブピクセル領域または前記第２のサブピクセル領域の少なくとも一方に隣接するように設定可能である第１の流体と、
前記第１の流体と混合しない第２の流体と、を含む前記第１のエレクトロウェッティング素子と、
前記第１のエレクトロウェッティング素子と隣接する第２のエレクトロウェッティング素子であって、
第３のサブピクセルであって、
前記表面の第３のサブピクセル領域と実質的に重なる第３のカラーフィルタと、
第３の電極と、を含む前記第３のサブピクセルと、
第４のサブピクセルであって、
前記表面の第４のサブピクセル領域と実質的に重なる第４のカラーフィルタと、
第４の電極と、を含む前記第４のサブピクセルと、
前記第３の電極または前記第４の電極のうちの少なくとも一方を用いて印加される少なくとも第２の電圧に基づいて、前記第３のサブピクセル領域または前記第４のサブピクセル領域の少なくとも一方に隣接するように設定可能である第３の流体と、
前記第３の流体と混合しない第４の流体と、を含む前記第２のエレクトロウェッティング素子と、
前記支持プレートの前記表面上の壁であって、
前記第１のサブピクセル領域と前記第３のサブピクセル領域との間で前記表面の第１領域上の第１部分と、
前記第１部分とは異なる第２部分であって、前記第２のサブピクセル領域と前記第４のサブピクセル領域との間で、前記表面の第１領域とは異なる前記表面の第２領域上の前記第１部分と異なる第２部分と、を含む前記壁と、を含む前記エレクトロウェッティングピクセル。
【請求項２】
前記第１のカラーフィルタまたは前記第２のカラーフィルタの少なくとも一方は赤色色相フィルタであり、前記第３のカラーフィルタまたは前記第４のカラーフィルタの少なくとも一方は緑色色相フィルタである、請求項１に記載のエレクトロウェッティングピクセル。
【請求項３】
前記第１のカラーフィルタまたは前記第２のカラーフィルタの少なくとも一方は青色カラーフィルタであり、前記第３のカラーフィルタまたは前記第４のカラーフィルタの少なくとも一方は白色フィルタである、請求項１に記載のエレクトロウェッティングピクセル。
【請求項４】
前記第１の流体は、前記第２のサブピクセル領域または前記第１のサブピクセル領域にそれぞれ隣接することなく、前記第１のサブピクセル領域または前記第２のサブピクセル領域の実質的に１つに隣接するように設定可能である、請求項１に記載のエレクトロウェッティングピクセル。
【請求項５】
前記第３の流体は、前記第４のサブピクセル領域または前記第３のサブピクセル領域にそれぞれ隣接することなく、前記第３のサブピクセル領域または前記第４のサブピクセル領域の実質的に１つに隣接するように設定可能である、請求項１に記載のエレクトロウェッティングピクセル。
【請求項６】
前記第１のカラーフィルタまたは前記第２のカラーフィルタの少なくとも一方は前記第１のエレクトロウェッティング素子の第１の縁部まで延び、前記第３のカラーフィルタまたは前記第４のカラーフィルタの少なくとも一方は前記第２のエレクトロウェッティング素子の第１の縁部まで延びる、請求項１に記載のエレクトロウェッティングピクセル。
【請求項７】
エレクトロウェッティングピクセルのアレイであって、
表面を有する支持プレートと、
第１のピクセルであって、
第１のエレクトロウェッティング素子であって、
第１のサブピクセルであって、
前記表面の第１のサブピクセル領域と実質的に重なる第１のカラーフィルタと、
第１の電極と、を含む前記第１のサブピクセルと、
第２のサブピクセルであって、
前記表面の第２のサブピクセル領域と実質的に重なる第２のカラーフィルタと、
第２の電極と、を含む前記第２のサブピクセルと、
前記第１の電極または前記第２の電極のうちの少なくとも一方を用いて印加される少なくとも第１の電圧に基づいて、前記第１のサブピクセル領域または前記第２のサブピクセル領域の少なくとも一方に隣接するように設定可能である第１の流体と、
前記第１の流体と混合しない第２の流体と、を含む前記第１のエレクトロウェッティング素子と、
前記第１のエレクトロウェッティング素子と隣接する第２のエレクトロウェッティング素子であって、
第３のサブピクセルであって、
前記表面の第３のサブピクセル領域と実質的に重なる第３のカラーフィルタと、
第３の電極と、を含む前記第３のサブピクセルと、
第４のサブピクセルであって、
前記表面の第４のサブピクセル領域と実質的に重なる第４のカラーフィルタと、
第４の電極と、を含む前記第４のサブピクセルと、
前記第３の電極または前記第４の電極のうちの少なくとも一方を用いて印加される少なくとも第２の電圧に基づいて、前記第３のサブピクセル領域または前記第４のサブピクセル領域の少なくとも一方に隣接するように設定可能である第３の流体と、
前記第３の流体と混合しない第４の流体と、を含む前記第２のエレクトロウェッティング素子と、を含む前記第１のピクセルと、
前記支持プレートの前記表面上の第１の壁であって、
前記第１のサブピクセル領域と前記第３のサブピクセル領域との間で前記表面の第１領域上の第１部分と、
前記第１の壁の前記第１部分とは異なる第２部分であって、前記第２のサブピクセル領域と前記第４のサブピクセル領域との間で、前記表面の第１領域とは異なる前記表面の第２領域上の前記第１部分と異なる第２部分と、を含む前記第１の壁と、
第２のピクセルであって、
第３のエレクトロウェッティング素子であって、
第５のサブピクセルであって、
前記表面の第５のサブピクセル領域と実質的に重なる第５のカラーフィルタと、
第５の電極と、を含む前記第５のサブピクセルと、
第６のサブピクセルであって、
前記表面の第６のサブピクセル領域と実質的に重なる第６のカラーフィルタと、
第６の電極と、を含む前記第６のサブピクセルと、
前記第５の電極または前記第６の電極のうちの少なくとも一方を用いて印加される少なくとも第３の電圧に基づいて、前記第５のサブピクセル領域または前記第６のサブピクセル領域の少なくとも一方に隣接するように設定可能である第５の流体と、
前記第５の流体と混合しない第６の流体と、を含む前記第３のエレクトロウェッティング素子と、
前記第３のエレクトロウェッティング素子と隣接する第４のエレクトロウェッティング素子であって、
第７のサブピクセルであって、
前記表面の第７のサブピクセル領域と実質的に重なる第７のカラーフィルタと、
第７の電極と、を含む前記第７のサブピクセルと、
第８のサブピクセルであって、
前記表面の第８のサブピクセル領域と実質的に重なる第８のカラーフィルタと、
第８の電極と、を含む前記第８のサブピクセルと、
前記第７の電極または前記第８の電極のうちの少なくとも一方を用いて印加される少なくとも第４の電圧に基づいて、前記第７のサブピクセル領域または前記第８のサブピクセル領域の少なくとも一方に隣接するように設定可能である第７の流体と、
前記第７の流体と混合しない第８の流体と、を含む前記第４のエレクトロウェッティング素子と、
前記支持プレートの前記表面上の第２の壁であって、
前記第５のサブピクセル領域と前記第７のサブピクセル領域との間で前記表面の第３領域上の第１部分と、
前記第２の壁の前記第１部分とは異なる第２部分であって、前記第６のサブピクセル領域と前記第８のサブピクセル領域との間で、前記表面の第３領域とは異なる前記表面の第４領域上の前記第１部分と異なる第２部分と、を含む前記第２の壁と、を含む前記第２のピクセルと、を含む前記エレクトロウェッティングピクセルのアレイ。
【請求項８】
前記第１のピクセルは第１のアレイ列内にあり、前記第２のピクセルは、前記第１のアレイ列に隣接する第２のアレイ列内にあり、前記第４のサブピクセル領域は前記第７のサブピクセル領域に隣接する、請求項７に記載のアレイ。
【請求項９】
前記第１のピクセルは第１のアレイ列内にあり、前記第２のピクセルは、前記第１のアレイ列に隣接する第２のアレイ列内にあり、前記第４のサブピクセル領域は前記第５のサブピクセル領域に隣接する、請求項７に記載のアレイ。
【請求項１０】
前記第１のカラーフィルタは、前記第５のカラーフィルタと実質的に同じ色相に対するものであり、前記第２のカラーフィルタは、前記第６のカラーフィルタと実質的に同じ色相に対するものであり、前記第３のカラーフィルタは、前記第７のカラーフィルタと実質的に同じ色相に対するものである、請求項７に記載のアレイ。
【請求項１１】
前記第１のカラーフィルタまたは前記第２のカラーフィルタの少なくとも一方は前記第１のエレクトロウェッティング素子の縁部まで延び、
前記第３のカラーフィルタまたは前記第４のカラーフィルタの少なくとも一方は前記第２のエレクトロウェッティング素子の縁部まで延び、
前記第５のカラーフィルタまたは前記第６のカラーフィルタの少なくとも一方は前記第３のエレクトロウェッティング素子の縁部まで延び、
前記第７のカラーフィルタまたは前記第８のカラーフィルタの少なくとも一方は前記第４のエレクトロウェッティング素子の縁部まで延びる、請求項７に記載のアレイ。
【請求項１２】
エレクトロウェッティングディスプレイ装置であって、
エレクトロウェッティングピクセルのアレイであって、
表面を有する支持プレートと、
前記エレクトロウェッティングピクセルのアレイのそれぞれの個々のエレクトロウェッティングピクセルであって、
第１のエレクトロウェッティング素子であって、
第１のサブピクセルであって、
前記表面の第１のサブピクセル領域と実質的に重なる第１のカラーフィルタと、
第１の電極と、を含む前記第１のサブピクセルと、
第２のサブピクセルであって、
前記表面の第２のサブピクセル領域と実質的に重なる第２のカラーフィルタと、
第２の電極と、を含む前記第２のサブピクセルと、
前記第１の電極または前記第２の電極のうちの少なくとも一方を用いて印加される少なくとも第１の電圧に基づいて、前記第１のサブピクセル領域または前記第２のサブピクセル領域の少なくとも一方に隣接するように設定可能である第１の流体と、
前記第１の流体と混合しない第２の流体と、を含む前記第１のエレクトロウェッティング素子と、
前記第１のエレクトロウェッティング素子に隣接する第２のエレクトロウェッティング素子であって、
第３のサブピクセルであって、
前記表面の第３のサブピクセル領域と実質的に重なる第３のカラーフィルタと、
第３の電極と、を含む前記第３のサブピクセルと、
第４のサブピクセルであって、
前記表面の第４のサブピクセル領域と実質的に重なる第４のカラーフィルタと、
第４の電極と、を含む前記第４のサブピクセルと、
前記第３の電極または前記第４の電極のうちの少なくとも一方を用いて印加される少なくとも第２の電圧に基づいて、前記第３のサブピクセル領域または前記第４のサブピクセル領域の少なくとも一方に隣接するように設定可能である第３の流体と、
前記第３の流体と混合しない第４の流体と、を含む前記第２のエレクトロウェッティング素子と、
前記支持プレートの前記表面上の壁であって、
前記第１のサブピクセル領域と前記第３のサブピクセル領域との間で前記表面の第１領域上の第１部分と、
前記第１部分とは異なる第２部分であって、前記第２のサブピクセル領域と前記第４のサブピクセル領域との間で、前記表面の第１領域とは異なる前記表面の第２領域上の前記第１部分と異なる第２部分と、を含む前記壁と、を含む前記それぞれの個々のエレクトロウェッティングピクセルと、を含む前記エレクトロウェッティングピクセルのアレイと、
少なくとも１つのプロセッサと、
コンピュータプログラム命令を含む少なくとも１つのメモリであって、前記少なくとも１つのメモリと前記コンピュータプログラム命令とは、前記少なくとも１つのプロセッサとともに、前記エレクトロウェッティングピクセルのアレイのそれぞれの個々のエレクトロウェッティングピクセルの前記第１の流体、前記第２の流体、前記第３の流体、及び前記第４の流体の構成を制御するように構成されている、前記少なくとも１つのメモリと、を含む前記エレクトロウェッティングディスプレイ装置。
【請求項１３】
前記第１のカラーフィルタは緑色色相フィルタであり、
前記第２のカラーフィルタは青色色相フィルタであり、
前記第３のカラーフィルタは赤色色相フィルタであり、
前記第４のカラーフィルタは白色フィルタである、請求項１に記載のエレクトロウェッティングピクセル、請求項１０に記載のアレイ、または請求項１２に記載のエレクトロウェッティングディスプレイ装置。
【請求項１４】
前記第１のカラーフィルタは赤色色相フィルタであり、
前記第２のカラーフィルタは青色色相フィルタであり、
前記第３のカラーフィルタは緑色色相フィルタであり、
前記第４のカラーフィルタは白色フィルタである、請求項１に記載のエレクトロウェッティングピクセル、請求項１０に記載のアレイ、または請求項１２に記載のエレクトロウェッティングディスプレイ装置。
【請求項１５】
前記第１のサブピクセルと前記第３のサブピクセルとは、所定のディスプレイ水平軸から実質的に４５°の列軸角度オフセットを有する列軸上に配置されている、請求項１２に記載のエレクトロウェッティングディスプレイ装置。
【請求項１６】
前記第２のサブピクセルと前記第４のサブピクセルとは、前記所定のディスプレイ水平軸から実質的に４５°の列軸角度オフセットを有する列軸上に配置されている、請求項１５に記載のエレクトロウェッティングディスプレイ装置。
【発明の詳細な説明】
【背景技術】
【０００１】
既知のエレクトロウェッティングディスプレイ装置では、装置が表示する画像に対する色域を、例えば、適切な色相及び彩度パラメータを用いてピクセルカラーフィルタをデザインすることによって制御する場合がある。しかし、このような画像は輝度及び空間分解能が限定されている可能性がある。
【０００２】
エレクトロウェッティングディスプレイ装置によってもたらされる表示効果の輝度及び空間分解能の少なくとも１つを向上させることが望ましい。
【図面の簡単な説明】
【０００３】
【図１】エレクトロウェッティング素子例の断面図である。
【図２】流体構成例を伴うエレクトロウェッティングピクセル例を示す平面図である。
【図３】エレクトロウェッティングディスプレイユニットアレイ例の平面図である。
【図４】白色フィルタを伴うエレクトロウェッティング素子の異なる例を示す平面図である。
【図５】白色フィルタを伴うエレクトロウェッティング素子の異なる例を示す平面図である。
【図６】白色フィルタを伴うエレクトロウェッティング素子の異なる例を示す平面図である。
【図７】白色フィルタを伴うエレクトロウェッティング素子の異なる例を示す平面図である。
【図８】エレクトロウェッティング素子アレイ例の平面図である。
【図９】ディスプレイ水平軸に対するオフセットを伴うエレクトロウェッティング素子のアレイ例の平面図である。
【図１０】エレクトロウェッティング素子アレイ例の平面図である。
【図１１】ディスプレイ水平軸に対するオフセットを伴うエレクトロウェッティング素子アレイ例の平面図である。
【図１２】３つの表示領域を伴うエレクトロウェッティング素子の異なる例を示す平面図である。
【図１３】３つの表示領域を伴うエレクトロウェッティング素子の異なる例を示す平面図である。
【図１４】３つの表示領域を伴うエレクトロウェッティング素子の異なる例を示す平面図である。
【図１５】３つの表示領域を伴うエレクトロウェッティング素子の異なる例を示す平面図である。
【図１６】３つの表示領域を伴うエレクトロウェッティング素子の異なる例を示す平面図である。
【図１７】３つの表示領域を伴うエレクトロウェッティング素子の異なる例を示す平面図である。
【図１８】エレクトロウェッティング素子アレイ例の平面図である。
【図１９】エレクトロウェッティング素子アレイ例の平面図である。
【図２０】エレクトロウェッティング素子アレイ例の平面図である。
【図２１】エレクトロウェッティング素子アレイ例の平面図である。
【図２２】種々の構成の流体を伴うエレクトロウェッティング素子例を示す平面図である。
【図２３】種々の構成の流体を伴うエレクトロウェッティング素子例を示す平面図である。
【図２４】種々の構成の流体を伴うエレクトロウェッティング素子例を示す平面図である。
【図２５】種々の構成の流体を伴うエレクトロウェッティング素子例を示す平面図である。
【図２６】種々の構成の流体を伴うエレクトロウェッティング素子例を示す平面図である。
【図２７】種々の構成の流体を伴うエレクトロウェッティング素子例を示す平面図である。
【図２８】種々の構成の流体を伴うエレクトロウェッティング素子例を示す平面図である。
【図２９】種々の構成の流体を伴うエレクトロウェッティング素子例を示す平面図である。
【図３０】種々の構成の流体を伴うエレクトロウェッティング素子例を示す平面図である。
【図３１】制御方法の例を示すフロー図である。
【図３２】エレクトロウェッティングディスプレイ装置例を概略的に示す図である。
【発明を実施するための形態】
【０００４】
図１に示すのは、エレクトロウェッティング装置例の一部の図式的な断面図である。この例では、装置はエレクトロウェッティングディスプレイ装置１であり、これは複数のエレクトロウェッティング素子を含んでいる。複数のエレクトロウェッティング素子は、エレクトロウェッティングディスプレイ素子２とも言われ、他の場合には画素またはエレクトロウェッティング素子またはセルと言われることがある。その１つを図に示す。本明細書で説明する例では、ピクセルは１つ以上のエレクトロウェッティング素子を含んでいてもよい。典型的に、ピクセルは画像を表示するための空間単位と考えてもよい。例えば、各ピクセルは表示効果をもたらし、互いの表示効果とともに、ピクセルは視認者に対する画像を生成する。ピクセルは典型的に、例えば複数のサブピクセルで形成してもよい。サブピクセルは、例えば、ピクセルの表示効果に寄与するためのピクセルの構成要素である。例えば、サブピクセルは、ピクセルの表示効果に寄与するための１つの色相に対応してもよい。例えば、ピクセルは赤色（Ｒ）サブピクセル、（Ｇ）緑色サブピクセル、及び青色サブピクセル（Ｂ）を含んでいてもよい。それぞれ、例えば、赤色の光、緑色の光、及び青色の光を出力するように構成されている。各サブピクセルが、ピクセルの所定の表示効果に対して寄与する赤色、緑色、及び青色の光の量を調整することによって、ピクセルの表示効果の色を制御してもよい。Ｒ、Ｇ、及びＢサブピクセルを含むピクセルは、フルカラーピクセルまたはＲＧＢピクセルと考えてもよい。当然のことながら、いくつかの例では、単一のエレクトロウェッティング素子が２つ以上のサブピクセルを含んでいてもよいが、他の例では、各エレクトロウェッティング素子がサブピクセルであってもよい。サブピクセルは多くの場合に、必ずしもそうではないが、例では、表示に対する色または色相に対応して、表示効果に寄与する。したがって、サブピクセルは、適切な色相のカラーフィルタを含むかまたはこれに付随していてもよい。例えば、カラーフィルタが、その下に設けられた表面（この表面を第１の流体が覆うかまたは露出するように設定可能である）に重なるかまたは実質的に重なっていてもよい。例えば、その下に設けられた表面をカラーフィルタが覆うかまたは重なっている場合、表示領域またはサブピクセル領域と考えてもよい。したがって、以下の例では、サブピクセル領域に、例えば重なっているカラーフィルタを用いて言及する場合がある。当然のことながら、各サブピクセル領域は、例えば別のサブピクセルの一部である。例えば、第１のサブピクセルは第１のサブピクセル領域を含んでいてもよく、第２のサブピクセルは第２のサブピクセル領域を含んでいてもよい。説明する例では、エレクトロウェッティング素子は種々の異なるサブピクセル構成を含んでいてもよい。本明細書で説明するエレクトロウェッティング素子例は、例えば、各エレクトロウェッティング素子の横方向の長さの範囲を定める壁を伴う種々の平面図構成を含んでいる。各エレクトロウェッティング素子は更に、種々のマトリックス構成で含まれていてもよい。その例を示す。
【０００５】
図１に示すのは、エレクトロウェッティング素子例２の一部の断面図である。図２に示すのは、エレクトロウェッティングピクセル例１００の平面図であり、第１のディスプレイ素子２ａと第２のディスプレイ素子２ｂとを含んでいる。第１及び第２のディスプレイ素子２ａ及び２ｂはそれぞれ、ディスプレイ素子２の例であり、それぞれ他のディスプレイ素子のすべての特徴部を組み込んでいてもよい。図１は、第１のディスプレイ素子２ａの断面図例Ａ−−Ａを表している。
【０００６】
図１に見られ得るように、ディスプレイ素子２の横方向寸法は２つの破線３、４によって示されている。ディスプレイ素子は第１の支持プレート５と第２の支持プレート６とを含んでいる。支持プレートは各ディスプレイ素子２の別個の部分であってもよいし、または支持プレートを複数のディスプレイ素子によって共通に共有してもよい。支持プレートはガラスまたはポリマー基材７ａ、７ｂを含んでいてもよく、また硬いかまたは可撓性であってもよい。支持プレートは、いくつかの例では、例示したもの以外の更なる層及び／または構造物を含んでいる。例えば、ディスプレイ素子を制御するための回路である。このような特徴部は明瞭にするために図示していない。
【０００７】
ディスプレイ装置は視認側８（ディスプレイ装置によって形成された画像または表示を視認することができる）と後側９とを有している。図１において、第１の支持プレート５の表面（表面は、この例では基材７ａの表面）が後側９を画定している。第２の支持プレート６の表面（表面は、この例では基材７ｂの表面）が、視認側８を画定している。代替的に、他の例では第１の支持プレートの表面が視認側を画定していてもよい。ディスプレイ装置は反射性、透過性、または半透過タイプであってもよい。ディスプレイ装置は、アクティブマトリックス駆動のディスプレイ装置であってもよい。複数のディスプレイ素子はモノクロームであってもよい。カラーディスプレイ装置の場合、ディスプレイ素子をグループに分割してもよい。各グループは異なる色を有している。代替的に、個々のディスプレイ素子は、２つ以上のカラー表示効果をもたらすことができてもよい。
【０００８】
ディスプレイ素子２は、矢印によって示すように、支持プレートの表面の第１のサブピクセル領域１０３ａと第２のサブピクセル領域１０３ｂとを含んでいる。サブピクセル領域は、サブピクセル表示効果がその上に実現され得る領域である。例えば、電極と重なっていてもよく、また印加電圧に基づいてより大きい程度またはより小さい程度まで流体が接触可能である領域である。典型的に、領域は例えば二次元領域または表面である。例えば、図２のピクセル１００は、４つのサブピクセル領域を含んでいる。第１のエレクトロウェッティング素子２ａは、第１のサブピクセル領域１０３ａと第２のサブピクセル領域１０３ｂとを含み、第２のエレクトロウェッティング素子２ｂは、第３のサブピクセル領域１０３ｃと第４のサブピクセル領域１０３ｄとを含む。ディスプレイ素子例２、２ａ、及び２ｂはそれぞれ、２つの個々のサブピクセル領域を含んでいるが、これは限定を意図していない。更なる例では、その一部を以下に示す。１つのサブピクセル領域、３つのサブピクセル領域、または３つを超えるサブピクセル領域が、単一のディスプレイ素子内にあってもよい。
【０００９】
図１に示すのは、第１のカラーフィルタＦ１（第１のサブピクセル領域１０３ａと実質的に重なる）と、第２のカラーフィルタＦ２（第２のサブピクセル領域１０３ｂと実質的に重なる）である。実質的に重なるということによって、典型的に以下のことが事実である。すなわち、各フィルタの表面積の大部分（例えば、ほとんどすべて、例えば９０％以上）またはすべてが、サブピクセル領域と平行な平面において、平面図における個々のサブピクセル領域１０３ａまたは１０３ｂの表面積の少なくとも一部と重なっている。例えば、第１のカラーフィルタＦ１及び第２のカラーフィルタＦ２の９０％またはそれ以上が、第１のサブピクセル領域１０３ａと第２のサブピクセル領域１０３ｂとに、それぞれ重なっていてもよい。しかし、他の構成のカラーフィルタも企図されるため、これは限定を意図していない。例では、フィルタとサブピクセル領域が完全に重なっていてもよいし、またはフィルタをサブピクセル領域と比べて非常に小さい領域を覆うように形成してもよい。
【００１０】
カラーフィルタは典型的に、フィルタ上に入射する光をフィルタするように構成された１つ以上の材料層である。実際には、エレクトロウェッティング素子の断面図に示す層の組み合わせであって、共に１つまたは多くの波長の光を除去し、出力される色効果を与えるものであってもよい。例えば、カラーフィルタは、カラーフィルタに入る光の一部を取り除くかまたは除去する。除去された光は例えば、多くの波長及び／または色の光のうちの１つまたはバンドである。したがって、カラーフィルタは全般的に、カラーフィルタによって除去されなかった光がカラーフィルタを通って透過できるように、ある程度の透明性を有している。カラーフィルタのフィルタリング特性は、例えばラーフィルタが形成されたかまたはカラーフィルタが含む材料に依存する。
【００１１】
第１のカラーフィルタＦ１と第２のカラーフィルタＦ２を別個に用いて、第１の色効果と第２の色効果を、それぞれ第１及び第２のサブピクセルに対して形成してもよい。色効果は色相と輝度とを含んでいてもよい。色相（または色若しくは影）は、光の主波長に依存しており、強度または明るさとは無関係である。例えば、色相は、赤色、緑色、青色、黄色、マゼンタ、シアン、及び任意の他の色を含んでいてもよい。例えば、カラーフィルタを用いて、原色、または単一のサブピクセル領域に対応する色効果を生成してもよい。例えば、カラーフィルタＦ１またはＦ２をそれぞれ用いて、赤色、緑色、または青色色相のうちの１つをそれぞれもたらしてもよい。代替的に、カラーフィルタＦ１及びＦ２を用いて、二次色、または異なる色効果にそれぞれ対応する少なくとも２つのサブピクセル領域の組み合わせに対応する色効果を生成してもよい。例えば、カラーフィルタＦ１及びＦ２を用いて、結合されたディスプレイ素子２色効果をもたらしてもよい。例えば、カラーフィルタＦ１が緑色色相の第１の色効果をもたらし、フィルタＦ２が青色色相の第２の色効果をもたらす場合、もたらされる結合されたディスプレイ素子色効果はシアン色相であってもよい。更なる例では、第１のカラーフィルタＦ１及び第２のカラーフィルタＦ２をピクセル１００内で用いて、ピクセル１００色効果をもたらすことに寄与してもよい。しかし、更なる例では、第１のエレクトロウェッティング素子内のカラーフィルタを、隣接するエレクトロウェッティング素子内のカラーフィルタと結合して、結合された２つのエレクトロウェッティング素子色効果を形成してもよい。これについては以下で更に説明する。
【００１２】
ディスプレイ素子またはピクセル内のサブピクセル領域は更に、輝度を通して色効果に対応してもよい。輝度は典型的に、例えば、所定の方向に進む光の単位面積当たりの光度の光度測定である。輝度によって、通過し、特定の領域から放射または反射され、及び所定の立体角内に含まれる光の量が定量化される。輝度はカンデラ／平方メートルで測定される。エレクトロウェッティングディスプレイ素子またはディスプレイユニット内で用いるとき、第１のカラーフィルタＦ１と第２のカラーフィルタＦ２とを更に用いて、複数のディスプレイ素子またはピクセル輝度値をもたらしてもよい。例では、紫色色相の表示効果を伴うディスプレイ素子は、表示領域の少なくとも一部と接触している第１の流体及び第２の流体の構成によって決定されるように、相対的に高いかまたは相対的に低い輝度を有していてもよい。これについては後述する。
【００１３】
例では、サブピクセル領域は白色フィルタに対応してもよい。白色フィルタはカラーフィルタと考えてもよい。白色光は、他の色の色相よりも大きいまたは広いバンドの波長を含んでいる。したがって、白色フィルタ（１つまたは多くの層で形成してもよい）を使えば、他の色相フィルタの場合よりも、より多くの波長のより多くの入射光を白色フィルタに透過させることができる。白色フィルタの出力は、例えば、白色であるかまたは許容変動内で実質的に白色である。例では、白色フィルタは、サブピクセル領域を通ってディスプレイ素子またはピクセルの視認側８を通る光であって、ディスプレイ素子またはディスプレイユニットに入る光と実質的に同じである光を含んでいてもよい。例えば、反射性または半透過半反射性（ｔｒａｎｓｒｅｆｌｅｃｔｉｖｅ）素子によって、広域連続の波長または赤色、緑色、及び青色のスペクトルを含む入射「白色」光を受け取ってもよい。サブピクセル領域は白色フィルタとともに、入射光から反射光を、吸収または変化がほとんどない状態でまたは非白色カラーフィルタよりも光が多い状態で透過させる。更なる例では、白色フィルタは、サブピクセル領域と視認側８とを通る光が広域連続の可視光を含むようなものか、または放射された波長間の相対差がヒトの目に検出可能な特徴的な色相を与えないようなものであってもよい。言い換えれば、放射された光は、ヒトの目で知覚したときに、白色と黒色との間のグレースケール上であってもよい。
【００１４】
白色フィルタは、例では、エレクトロウェッティング素子の少なくとも一層であって、光がフィルタリングされることなく進むかまたは非白色色効果の場合よりもフィルタリングが少ない層である。例えば、エレクトロウェッティング素子の視認または後側に入射し、エレクトロウェッティング素子を通過し、そこから発せられる光線の経路全体に対して、このような光線が受けるフィルタリングは、エレクトロウェッティング素子の構造部品（例えば、エレクトロウェッティング素子のカラーフィルタ層の間の層）の固有またはバックグラウンド吸収より多くなくてもよい。したがって、いくつかの例では、色効果をもたらすためのカラーフィルタは単一カラーフィルタ層であってもよいが、他の例では、カラーフィルタは、光線が通過するエレクトロウェッティング素子の２つ以上の異なる部分であって、何らかの色または白色をもたらす異なる部分を含んでいてもよい。このような白色フィルタは、例えば、光を最小またはバックグラウンド光吸収で透過させる透明フィルタであってもよい。これは、例えば実質的にすべての可視スペクトル光を透過させることによって、例えば入射光の透過率９０％、９５％、またはそれ以上を透過させることによって行なってもよい。白色フィルタは、色効果をもたらすためのカラーフィルタと比べて３倍大きい（またはそれ以上の）光を透過させてもよい。したがって、バックライト波長構成またはエレクトロウェッティング素子内で反射される入射光の波長構成に応じて、フィルタは白色効果をもたらすと考えてもよい。白色は場合によっては色と考えられ得るが、フィルタリングの観点からすると、白色は、例えば最小限にフィルタリングされた光か、または所定の波長または波長バンドを除去するためのカラーフィルタによるフィルタリングではなく、バックグラウンド吸収を受けた光である。このようなフィルタリングの範囲は、サブピクセルの材料の特定の構造及び選択（及びそれらの光吸収特性）に依存する。
【００１５】
サブピクセル領域が色効果に対応する例では、カラーフィルタＦ１及びＦ２は、非切替可能なカラーフィルタであってもよい。言い換えれば、カラーフィルタは固定形状を有していてもよく、したがって、非切替可能なカラーフィルタの空間配置は変更可能ではなく、例えば切替可能ではない。したがって、非切替可能なカラーフィルタは非流体カラーフィルタであってもよい。これは、例えば以下に説明する第１の流体と対比してもよい。第１の流体は、染料または顔料を含んで、したがって異なる第１の流体構成間で切替可能なカラーフィルタとして働いてもよい。後述するように、第１及び第２の流体の構成に加えて、カラーフィルタは更に、エレクトロウェッティング素子がもたらす表示効果に寄与する。図１の例では、フィルタ層、言い換えればカラーフィルタＦ１及びＦ２を含む層が存在し、またこの層は、この例では、第２の支持プレート７ｂの表面（表面は、以下に説明するスペースに最も近い第２の支持プレートの表面である）上に配置されている。更なる例において次のことを理解されたい。すなわち、フィルタ層の配置が、素子を通過して表示効果をもたらす光がカラーフィルタ層を通過するように行なわれているならば、フィルタ層を、エレクトロウェッティング素子内の異なる位置に（例えば、スペースから最も離れている第２の支持プレートの表面上または第１の支持プレートの一部として）配置してもよい。代替的に、他の例では、フィルタ層を第１の支持プレート内に配置してもよく（ここでは、ディスプレイ素子は反射的な方法で動作する）、フィルタ層は、反射体（例えば反射電極）と第１または第２の流体のうちの少なくとも１つが隣接する表面との間に配置されている。図１の例では、２つの表示領域に対する２つのフィルタが含まれているが、これは限定を意図していない。当業者であれば容易に分かるように、ディスプレイ素子２は単一のフィルタを含んでいてもよいし、または２つよりも大きい任意の数のフィルタを含んでいてもよい。
【００１６】
カラーフィルタ（例えば、例におけるカラーフィルタ層）は、カラーフィルタとして機能できる材料で形成された少なくとも１つの部分を有している。少なくとも１つの部分は、第１または第２のカラーフィルタＦ１及びＦ２を含んでいる。カラーフィルタは、少なくとも１つの波長の光（例えば、可視スペクトル内）を吸収することによって、カラーフィルタを通る光をフィルタリングする。カラーフィルタは、色フィルタリング特性を有する材料で形成してもよい。
【００１７】
白色フィルタは、例えば好適な材料で形成してもよいし、または例えばカラーフィルタ層内の開口部（言い換えれば、アパーチャまたは孔またはスペース）（光が進む際に通り得る）であってもよい。カラーフィルタを形成するための材料の例としては、レジスト材料例えばＪＳＲ  ＯＰＴＭＥＲ（商標）ＣＲシリーズが挙げられる。これらは顔料分散フォトレジストである。白色フィルタを材料で形成する場合、第２の領域を形成するための材料例はＪＳＲ  ＯＰＴＭＥＲ  ＳＳシリーズから選択する。これらは保護オーバーコーティングとして用いることができる熱硬化性材料である。それらは、主にアクリルポリマーからなる。当業者であれば、このような層を形成する方法は容易に理解するであろう。
【００１８】
ここで用いる用語「実質的に」は、例えば透過した光の量の許容範囲の程度である。したがって、透過領域は、すべての光を透過させなくてもよく、しかしエレクトロウェッティング素子の性能が妨げられないように十分な光を透過させてもよい。例えば、光の９０％、９５％、またはそれ以上を白色フィルタが透過させてもよい。白色フィルタは例えば、カラーフィルタと比べて３倍大きい（またはそれ以上）の光を透過させてもよい。白色フィルタは、例えば好適な材料で形成してもよいし、またはカラーフィルタ層内の開口部（言い換えれば、アパーチャまたは孔またはスペース）（光が進む際に通り得る）であってもよい。カラーフィルタを形成するための材料の例としては、レジスト材料例えばＪＳＲ  ＯＰＴＭＥＲ（商標）ＣＲシリーズが挙げられる。これらは顔料分散フォトレジストである。白色フィルタを材料で形成する場合、白色フィルタを形成するための材料例はＪＳＲ  ＯＰＴＭＥＲ  ＳＳシリーズから選択する。これらは熱硬化性材料であって、カラーフィルタ領域に対する保護オーバーコーティングとして用いることもできるが、白色フィルタを形成するために用いることもできるものである。それらは、主にアクリルポリマーからなる。当業者であれば、パターニングされた第１及び第２の領域を用いてこのようなカラーフィルタ層を形成する方法は容易に理解するであろう。
【００１９】
サブピクセル領域に対応する色効果または白色フィルタは、サブピクセル領域と重なる個々のカラーフィルタの品質のみに依存しているのではない。色効果は、エレクトロウェッティング素子内の第１及び第２の流体の配置にも依存している。例えば、図１に示すのは、支持プレート間の各サブピクセルのスペース１０（他の場合にはチャンバと考えてもよい）であり、これに２つの流体（この例では、液体）が充填される。図１の例では、スペース１０には第１の流体１１と第２の流体１２が充填される。これらは、印加電圧がない場合には、それぞれ層を形成する。
【００２０】
第２の流体は、例えば電気伝導性または極性であり、水または塩類溶液例えば塩化カリウムの水溶液であってもよい。第２の流体は透明であってもよいが、その代わりに、着色して（白色）、吸収または反射してもよい。典型的に、例えば電気を伝えることができる第２の流体は電気伝導性である。例えば第２の流体を通るイオンの流れに起因して、電流が第２の流体を通って流れてもよい。極性は典型的に、第２の流体が、正味双極子を伴う分子を有する少なくとも１つの化合物（例えば液体溶媒）を含む例の場合である。すなわち、分子構造に渡って、分子が、電子分布に起因して、全体としての双極子モーメントを有し、分子の少なくとも１つの部分が負電荷を有し、分子の少なくとも１つの異なる部分が正電荷を有する場合である。このような双極子モーメントには永久双極子が含まれる。極性が生じるのは、例えば分子内に１つ以上の原子間結合が存在し、例えば原子の１つがへテロ原子（例えば酸素または窒素）であることによる。例えば、このような極性原子間結合は酸素（Ｏ）原子と水素（Ｈ）原子との間の結合、すなわち−Ｏ−Ｈ結合である。
【００２１】
第１の流体は例えば非導電性であり、例えばアルカン（例えばデカンまたはヘキサデカン）であってもよいし、またはオイル例えばシリコーンオイルであってもよい。
【００２２】
第２の流体は、第１の流体と混ざらない。したがって、第１の流体と第２の流体は実質的互いに混合せず、いくつかの例では互いに全く混合しない。第１及び第２の流体の実質的な不混和性は、第１及び第２の流体の特性（例えば、それらの化学組成）に起因するものである。第１及び第２の流体は互いに分離されたままである傾向があるため、共に混合して第１及び第２の流体の均一混合物を形成するような傾向はない。この不混和性に起因して、第１及び第２の流体は、互いと少なくとも部分的に合流する（例えば、接触する）。合流は、電圧が印加されないときは図１の５５と標示される界面で、電圧が印加されたときは５７と標示される界面で生じる。この界面によって、第１の流体の体積と第２の流体の体積との間の境界線が画定される。この界面または境界線をメニスカスと言う場合がある。第１及び第２の流体は実質的に互いに混合しないため、いくつかの例において考えられるのは、第１及び第２の流体がある程度混合することはあり得るが、第１の流体の体積の大部分は第２の流体の体積の大部分と混合されないという点で、この混合は無視できるということである。
【００２３】
第１の流体は光学スペクトルの少なくとも一部を吸収する。第１の流体は、光学スペクトルの一部に対して透過性であってもよく、カラーフィルタを形成してもよい。このため、第１の流体を顔料粒子または染料の添加によって着色してもよい。代替的に、第１の流体は黒色であってもよく、例えば光学スペクトルの実質的にすべての部分を吸収するか、または反射してもよい。反射性の第１の流体は、全可視スペクトルを反射して、層が白色のように見えるようにしてもよいし、または一部を反射して、層が色を有するようにしてもよい。以下に説明する例では、第１の流体は黒色であり、したがって光学スペクトルの実質的にすべての部分（例えば、可視光スペクトル内）を吸収する。実質的に吸収することには、例えば、ある程度の変動が含まれる。したがって、第１の流体は、すべての波長を吸収するわけではないが、所定のスペクトル例えば可視スペクトル内の波長の大部分を吸収して、素子内での第１の流体の機能を行なってもよい。したがって、第１の流体を、第１の流体に入射する実質的にすべての光を吸収するように構成する。例えば、第１の流体は、第１の流体に入射する可視スペクトルの光の９０％またはそれ以上を吸収してもよい。
【００２４】
各ディスプレイ素子の支持プレートは１つ以上の電極を含んでいる。例えば、ディスプレイ素子２は第１の電極１７ａと第２の電極１７ｂとを含んでいる。それぞれの個々の電極は、表示領域に対応する支持プレートの表面に重なっている。図１では、第１のサブピクセル領域１０３ａが電極１７ａに重なってしたがってこれに対応し、第２のサブピクセル領域１０３ｂが第２の電極１７ｂに重なってしたがってこれに対応することが見られ得る。しかし、これは限定を意図していない。例では、ディスプレイ素子は、任意の数のサブピクセル領域に付随する任意の数の電極を含んでいてもよい。その例を本明細書で更に示す。ディスプレイ素子例２では、各電極１７ａ及び１７ｂは個々のサブピクセル領域１０３ａ及び１０３ｂに実質的に重なっている。実質的に重なることによって、典型的に、各電極の表面積のほとんどすべてが、平面図における個々のサブピクセル領域１０３ａまたは１０３ｂの表面積の少なくとも一部と重なる。例えば、第１の電極１７ａと第２の電極１７ｂの９０％が、第１のサブピクセル領域１０３ａと第２のサブピクセル領域１０３ｂとそれぞれ重なってもよい。しかし、電極の他の構成が企図されるため、これは限定を意図していない。例では、電極とサブピクセル領域とが完全に重なっていてもよいし、または電極をサブピクセル領域と比べて非常に小さい領域を覆うように形成してもよい。
【００２５】
第１及び第２の電極１７ａ及び１７ｂは、絶縁層１３によって流体から分離されている。隣接するディスプレイ素子の電極は非伝導層によって分離されている。ディスプレイ素子２の例では、電極１７ａ及び１７ｂ間の小さい間隙に非伝導性材料を充填して、第１及び第２の電極１７ａ及び１７ｂ間の短絡を回避してもよい。ディスプレイ素子が透過型ではなく反射型動作を有する場合、いくつかの例の電極は反射型である。
【００２６】
例では、ディスプレイ素子２の絶縁層１３は透明または反射型であってもよい。絶縁層１３はディスプレイ素子の壁の間を延びてもよい。第２の流体１２と絶縁層の下に配置された任意の電極との間の短絡を回避するために、絶縁層の層を複数のディスプレイ素子２上に途切れずに延ばしてもよい。これを図１に示す。絶縁層の表面１４は、ディスプレイ素子２のスペース１０の方を向いている。例では、表面１４は疎水性であってもよい。絶縁層の厚さは２マイクロメートル未満であってもよく、１マイクロメートル未満であってもよい。
【００２７】
絶縁層は疎水性層であってもよい。代替的に、絶縁層は疎水性層１５と所定の誘電特性を伴う障壁層１６とを含んでいてもよい。疎水性層１５は、図示するように、スペース１０の方を向いている。疎水性層を図１に概略的に例示する。疎水性層はテフロン（登録商標）ＡＦ１６００で形成してもよい。障壁層１６は、厚さが、基材の平面に垂直な方向に測ったときに、５０ナノメートル〜５００ナノメートルであってもよく、また無機材料（例えば、酸化ケイ素またはケイ素）で形成してもよい。
【００２８】
表面１４の疎水性によって、第１の流体１１は絶縁層１３に優先的に付着する。なぜならば、第１の流体は絶縁層１３の表面に対する濡れ性が、第２の流体１２よりも高いからである。濡れ性は、固体の表面に対する流体の相対的親和性に関係する。濡れ性を流体と固体の表面との間の接触角によって測定してもよい。接触角は、流体固体境界における流体と固体との間の表面張力の違いによって決定される。例えば、表面張力が大きく違うと疎水性を示す可能性がある。
【００２９】
いくつかの例では、更なる層を絶縁層１３と電極１７ａ及び１７ｂとの間に配置してもよい。電極１７ａ及び１７ｂは任意の望ましい形状または形態であってもよい。ディスプレイ素子の電極１７ａ及び１７ｂは、信号線１８ａ及び１８ｂによって電圧信号が供給される。これを図に概略的に示す。第２の信号線１９が、伝導性の第２の流体１２と接触している更なる電極に接続されている。更なる電極は、すべての素子が、第２の流体によって流体的に相互接続されて第２の流体を共有して、壁によって途切れないとき、すべての素子に共通であり得る。ディスプレイ素子２は、信号線１８ａ、１８ｂ、及び１９の間に印加される１つ以上の電圧Ｖによって制御してもよい。電極１７ａ及び１７ｂはエレクトロウェッティングディスプレイ装置に結合してもよい。エレクトロウェッティングディスプレイ装置のディスプレイ素子またはディスプレイユニットがマトリックス形式で配置されている場合、電極を基材７ａ上の制御ラインのマトリックスに結合してもよい。
【００３０】
ディスプレイ素子がもたらす表示効果は、第１及び第２のサブピクセル領域１０３ａ及び１０３ｂのサイズと、前述した印加電圧Ｖの大きさに基づいて第１の流体が表面に隣接する程度とに依存してもよい。したがって、印加電圧Ｖの大きさによってエレクトロウェッティング素子内の第１及び第２の流体の構成を決定してもよく、また印加電圧Ｖの大きさを用いて流体構成を制御してもよい。エレクトロウェッティング素子をある流体構成から別の流体構成へ切り替えるときに、第２の流体が第１及び第２の表示領域１０３ａ及び１０３ｂに隣接する領域のサイズは増加してもよいし減少してもよく、第１の流体が第１及び第２の表示領域１０３ａ及び１０３ｂに隣接する領域もそれぞれ減少または増加する。
【００３１】
図１の例では、ディスプレイ素子２の寸法（破線３及び４によって示す）は壁２０の中心に対応する。表示領域２３は、壁２０の内側の間のスペース（図１の破線２１及び２２によって示す）である。ディスプレイ素子２の例では、表示領域２３は、第１及び第２のサブピクセル領域１０３ａ及び１０３ｂを含んでいるが、更なる例では、表示領域２３は、単一のサブピクセル領域または任意の数のサブピクセル領域を含んでいてもよい。本明細書で説明する例では、エレクトロウェッティング素子の表示領域は多くのサブピクセル領域を含んでいるが、当然のことながら、多くの例において、表示領域に含まれるのは、その表示領域の一部として記述される領域のみであり、そのような領域は例えばサブピクセル領域または白色フィルタであり得る。例えば、それぞれの個々の表示領域の面積の合計は、例えば壁と境界を接する表示領域の面積に等しい。
【００３２】
説明する例では、エレクトロウェッティングディスプレイ素子２は、第１の流体１１を閉じ込めるかまたは保持するように構成された種々の構成の壁を含んでいてもよい。後述するように、例では、表示領域は、例えば壁によって画定される種々の形状を有していてもよい。例えば、正方形、矩形、三角形、または六角形、加えて他の形状である。ディスプレイ素子がアレイまたはマトリックスレイアウトで配置されているとき、壁によって形成される異なるディスプレイ素子形状によって、アレイまたはマトリックス内でのディスプレイ素子の異なる配置が与えられてもよい。このような例では、壁によって画定されるディスプレイ素子の平面図形状を、１つ以上のカラーフィルタまたはサブピクセル領域または白色フィルタの組み合わせと組み合わせて用いて、ディスプレイ素子の特性例えば色相、輝度、及び彩度を制御してもよいことが考えられる。例では、壁は第１から第２の支持プレートまで延びてもよいし、または壁は第１の支持プレートから第２の支持プレートまで部分的にのみ延びてもよい。これを図１に示す。
【００３３】
壁を絶縁層１３から突出する構造物として示しているが、例では、壁を、その代わりに、第１の流体を退けることによって流体１１を保持する境界として働く支持プレートの表面層によって形成してもよい。例えば、壁２０を、第１または第２のサブピクセル領域１０３ａ及び１０３ｂのいずれかの一部とは実質的に異なる濡れ性を伴う表面層で形成してもよい。例えば、壁は、親水性であるかまたはそれほど疎水性でない層を含んでいてもよい。更なる例では、壁２０は材料の任意の組み合わせを含んでいてもよい。例えば、第１の支持プレートと、表示領域２３の一部とは実質的に異なる濡れ性を伴う表面層とから離れるように延びる材料である。
【００３４】
図１に示すディスプレイ素子２において、第１の流体１１は、第１の電極１７ａまたは第２の電極１７ｂの少なくとも１つを用いて印加される少なくとも第１の電圧に基づいて、第１のサブピクセル領域１０３ａまたは第２のサブピクセル領域１０３ｂの少なくとも１つの少なくとも第１の部分に隣接するように設定可能である。言い換えれば、例えば、電極１７ａ及び１７ｂに電圧を印加することによって、サブピクセル領域１０３ａ及び／またはサブピクセル領域１０３ｂ上への第１の流体のカバレージを変えることができる。
【００３５】
例えば、図２に示すのは、第１のディスプレイ素子２ａと第２のディスプレイ素子２ｂとを含むディスプレイユニット１００の平面図である。第２のディスプレイ素子２ｂは第１のディスプレイ素子２ａと同様であり、第３のサブピクセル領域１０３ｃ、第３のフィルタ、第３の電極、第４のサブピクセル領域、第４のフィルタ、第４の電極、第３及び第４の流体を含んでいる。これらはそれぞれ、第１のサブピクセル領域、第１のフィルタ、第１の電極、第２のサブピクセル領域、第２のフィルタ、第２の電極、第１及び第２の流体と、それぞれ同様である。第１のエレクトロウェッティングディスプレイ素子２ａは第２のディスプレイ素子２ｂに隣接している。第１及び第３のサブピクセル領域１０３ａ及び１０３ｃは隣接しており、第２及び第４のサブピクセル領域１０３ｂ及び１０３ｄは隣接している。
【００３６】
例では、ピクセル１００は、第１の表面領域と第２の表面領域との間に位置する壁を含んでいてもよい。更なる例では、ディスプレイユニット１００は、第１の表面領域の周りに位置する第１の壁と、第２の表面領域の周りに位置する第２の壁とを含んでいてもよい。例では、支持プレートの表面上の第１の壁は、第１のサブピクセル領域と第３のサブピクセル領域との間に位置し、第２のサブピクセル領域と第４のサブピクセル領域との間に位置する。更なる例では、支持プレートの表面上の第２の壁は、第５のサブピクセル領域と第７のサブピクセル領域との間に位置し、第６のサブピクセル領域と第８のサブピクセル領域との間に位置する。
【００３７】
第１の流体１１１ａを、第１の電極または第２の電極の少なくとも１つを用いて印加される少なくとも第１の電圧に基づいて、第１または第２のサブピクセル領域１０３ａまたは１０３ｂの少なくとも１つの少なくとも第１の部分に隣接するように構成してもよい。第３の流体１１１ｂも、第３の電極または第４の電極の少なくとも１つを用いて印加される少なくとも第２の電圧に基づいて、第３または第４のサブピクセル領域１０３ｃまたは１０３ｄの少なくとも１つの少なくとも第２の部分に隣接するように構成してもよい。エレクトロウェッティングディスプレイ素子２ａは更に、第１と混合しない第２の流体を含み、エレクトロウェッティングディスプレイ素子２ｂは更に、第３の流体と混合しない第４の流体を含む。しかし、更なる例では、第２及び第４の流体は、前述したように共通のリザーバの一部であってもよい。
【００３８】
図２に示すのは、サブピクセル領域１０３ａの外側半分を覆うように構成された第１の流体１１１ａと、第３のサブピクセル領域１０３ｃと第４のサブピクセル領域１０３ｄとのそれぞれの一部を含む第２のディスプレイ素子２ｂの中心部分を覆うように構成された第３の流体１１１ｂである。しかし、示した例は限定を意図していない。例では、第１及び第３の流体１１１ａ及び１１１ｂを、第１、第２、第３、及び第４のサブピクセル領域１０３ａ、１０３ｂ、１０３ｃ、及び１０３ｄの全部または一部を覆うように構成してもよい。サブピクセル領域が露出して、例えば少なくとも部分的に第１の流体によって覆われていないとき、入射光を個々のサブピクセル領域及びフィルタを通して反射または透過させて色または白色フィルタを実現することができる。例えば、第１、第２、及び第３の色効果は異なっている。
【００３９】
第１、第２、第３、及び第４のエレクトロウェッティング素子の違いによってもたらされる相対的な色効果と白色フィルタによって、結合されたピクセル色相及び輝度を決定してもよい。第１、第２、第３、及び第４のサブピクセル領域に対応するカラーフィルタがもたらすピクセル色または白色フィルタに対する個々の寄与は、それぞれの個々のサブピクセル領域上の第１または第３の流体に起因するカバレージの量によって、及び個々の第１、第２、第３、または第４のフィルタによってもたらされる個々の輝度によって決定してもよい。例えば、赤色色相色効果をもたらすフィルタは、緑色色相色効果をもたらすフィルタと比べて、放射する放射束が少ない傾向がある。緑色フィルタは赤色フィルタより明るいと言ってもよい。同様に、白色フィルタ（例えば、光をほとんどまたは実質的に除去しなくてもよい）は、緑色色相フィルタより明るくてもよい。したがって、１つのサブピクセル領域を所定の量だけ露出させることによって、全輝度及び色相（各サブピクセル領域の相対輝度に関係する）への寄与が、第２のサブピクセル領域を所定の量まで露出させる場合と異なっていてもよい。
【００４０】
例えば、第１のサブピクセル領域が第１の色効果に対応し、第２のサブピクセル領域が第２の効果に対応する場合（色効果はそれぞれ赤色色相及び青色色相である）、第１のディスプレイ素子２ａは、ディスプレイ素子色効果として、一次の色相赤色及び青色、二次の色相紫色を含むか、または全く色効果を含まないディスプレイ素子色効果をもたらすことができる。例では、第３のサブピクセル領域が第３の色効果に対応し、第４のサブピクセル領域が第４の効果をもたらし、それぞれ緑色色相及び白色フィルタである場合、第２のディスプレイ素子２ｂは、複数の輝度値を伴う原色緑色を含むディスプレイ素子色効果をもたらすことができる。構成例における第１のディスプレイ素子と第２のディスプレイ素子とを組み合わせてピクセルとして用いると、黄色とシアンを含む更なる色効果をもたらすことができる。
【００４１】
例では、第１及び第３の流体を用いて、所定のピクセル色相に対する複数の結合されたエレクトロウェッティング素子輝度値を含むピクセル色効果をもたらしてもよい。明るくて飽和度に達した黄色色相（典型的に赤色と緑色の組み合わせを用いて形成される）をもたらす既知の装置では課題が示されていた。なぜならば、これらの色効果をもたらすために赤色及び緑色表示領域を完全に露出することは難しかったからである。しかし、第１のディスプレイ素子２ａが赤色及び青色フィルタを含み、第２のディスプレイ素子２ｂが緑色及び白色フィルタを含む場合の例では、第１の流体１１１ａ及び第３の流体１１１ｂを、赤色、緑色色効果に対応するサブピクセル領域から完全に離して、青色及び白色フィルタに対応するサブピクセル領域上に移動させることが可能である。
【００４２】
したがって、例では、第１の流体を、第２のサブピクセル領域または第１のサブピクセル領域にそれぞれ隣接することなく、第１のサブピクセル領域または第２のサブピクセル領域のうちの実質的に１つに隣接するように設定可能である。更なるまたは代替的な例では、第３の流体を、第４のサブピクセル領域または第３のサブピクセル領域にそれぞれ隣接することなく、第３のサブピクセル領域または第４のサブピクセル領域のうちの実質的に１つに隣接するように設定可能である。
【００４３】
例では、エレクトロウェッティングピクセルによって、第１のサブピクセル輝度、第２のサブピクセル輝度、及び第３のサブピクセル輝度の最大値よりも大きい複数の結合されたエレクトロウェッティング素子輝度の結合されたピクセル輝度が得られてもよい。例えば、黄色の輝度を向上させるために、赤色色相及び緑色色相フィルタに対応するサブピクセル領域、及び白色フィルタに対応するサブピクセル領域の少なくとも一部を露出させることが更に可能である。こうして、所定のピクセル色相に対して複数のエレクトロウェッティング素子輝度をもたらすことができる場合がある。
【００４４】
例では、第１のカラーフィルタまたは第２のカラーフィルタのうちの少なくとも１つが、例えばエレクトロウェッティング素子の横方向の長さと一致する第１のエレクトロウェッティング素子の第１の縁部まで延びてもよく、また第３のカラーフィルタまたは第４のカラーフィルタのうちの少なくとも１つが、第２のエレクトロウェッティング素子の第１の縁部まで延びてもよい。これによって、白色フィルタに対応するサブピクセル領域を用いて色効果色相の彩度レベルを制御する能力が得られる場合がある。これは既知の装置とは異なるものである。
【００４５】
例では、エレクトロウェッティングピクセルのアレイ１００を提供してもよい。図３に示すのは、アレイ例１１０である。アレイ１１０は、第１のピクセル１００ａと第２のピクセル１００ｂとを含む。両方ともピクセル１００と同様であり、同様の特徴部を取り入れている。しかし、ピクセル１００ｂは、本明細書で説明するように異なる参照数字を用いて参照するが、対応する説明は、適切ならばここでも適用されると理解しなければならない。第２のピクセル１００ｂは、第４のディスプレイ素子２ｄに隣接して位置する第３のディスプレイ素子２ｃを含んでいる。第２のディスプレイ素子２ｃは、第６のサブピクセル領域１０３ｆに隣接する第５のサブピクセル領域１０３ｅを含み、第４のディスプレイ素子２ｄは、第７のサブピクセル領域１０３ｇと第６のサブピクセル領域１０３ｆとに隣接する第７のサブピクセル領域１０３ｇと第８のサブピクセル領域１０３ｈとを含む。第５、第６、第７、及び第８のサブピクセル領域はそれぞれ、個々の実質的に重なるカラーフィルタＦ５、Ｆ６、Ｆ７、及びＦ８ならびに電極（図示せず）に対応し、また個々の色または白色フィルタに対応してもよい。第３のディスプレイ素子２ｃは更に、第５及び第６の流体（例えば、それぞれ前述した第１及び第２の流体と同様である）を含んでいる。
【００４６】
図３の例では、第１のエレクトロウェッティングピクセルは第１のアレイ列１０４ａ内にあり、第２のエレクトロウェッティングピクセルは、第１のアレイ列１０４ａに隣接する第２のアレイ列１０４ｂ内にある。第４のサブピクセル領域１０３ｄは、第７のサブピクセル領域１０３ｇに隣接している。アレイ１１０によって、位置合わせされて順序付けされた表示（その上に画像が示され得る）がもたらされてもよく、これは例えば、ディスプレイユニット１００に関して前述した色相及び輝度の色効果組み合わせである。
【００４７】
更なる例を図４、アレイ１２０に示す。アレイ１２０はアレイ１１０と、以下の点を除いて同様である。第１のピクセル１００ａの第４のサブピクセル領域１０３ｄは、第２のピクセル１００ｂの第５のサブピクセル領域１０３ｅに隣接している。
【００４８】
アレイ１１０及びアレイ１２０の例では、第１のカラーフィルタの第１の色効果は、第５のカラーフィルタの第５の色効果と実質的に同じ色相であってもよく、第２のカラーフィルタの第２の色効果は、第６のカラーフィルタの第６の色効果と実質的に同じ色相であってもよく、第３のカラーフィルタの第３の色効果は、第７のカラーフィルタの第７の色効果と実質的に同じ色相であってもよい。実質的に同じ色効果によってというのは、例えば色効果が、サブピクセル領域当たり、許容範囲内で、同じ色相または輝度である。これによって、アレイ内に同様の表示効果を含むサブピクセル領域の規則的な順序付けが得られてもよい。更なる例では、第１、第２、及び第３の色効果はそれぞれ、赤色色相、緑色色相、及び青色色相であってもよい。
【００４９】
更に他の例では、第１、第２、第３のカラーフィルタはそれぞれ、緑色色相フィルタ、青色色相フィルタ、及び赤色色相フィルタである。第４のサブピクセル領域は白色フィルタに対応する。
【００５０】
例では、以下のルールを、白色フィルタを含むカラーフィルタを配列するために適用してもよい。赤色色相フィルタ及び緑色色相フィルタはそれぞれ異なるディスプレイ素子内になければならず、白色フィルタは緑色色相フィルタに隣接して配置する。
【００５１】
輝度の向上を得るために、更なる例では白色フィルタを含んでいる。例えば、図５に示すのは、エレクトロウェッティングディスプレイ素子２００である。ディスプレイ素子２００はディスプレイ素子２と同様であり、ディスプレイ素子２と同様の特徴部を含んでいる。ディスプレイ素子は更に、特徴として、例えば、第１のカラーフィルタＦ１は、エレクトロウェッティング素子２００の第１の縁部すなわち縁部２０１ａまで延び、第２のカラーフィルタＦ２は、例えばエレクトロウェッティング素子２００の第２の縁部すなわち縁部２０１ｂまで延びるという特徴を含んでいる。しかし、これは限定を意図したものではない。なぜならば、第１及び第２のカラーフィルタＦ１及びＦ２は、エレクトロウェッティング素子２００の他の縁部と接触するように延びてもよいからである。ディスプレイ素子２００は更に、第１及び第２のカラーフィルタＦ１及びＦ２間に位置する第１の白色フィルタＩ１を含んでいる。第１の白色フィルタＩ１は白色フィルタに対応する。第１及び第２のフィルタＦ１及びＦ２がエレクトロウェッティング素子２００の縁部まで延び、白色フィルタはフィルタＦ１及びＦ２間のセルの内部に含まれていて、ここでは第１の流体によってカバレージが容易にもたらされるため、向上した結合されたディスプレイユニット色効果が得られる場合がある。特に、色相に対する色効果を制御する能力を犠牲にすることなく、より大きな輝度調整が得られる場合がある。
【００５２】
例では、第１のカラーフィルタは、第２の色効果とは実質的に異なる色相に対するものである。これによって、一次及び二次色の色相を生成する能力が得られる場合がある。
【００５３】
例では、第１の白色フィルタは、結合された第１のフィルタ領域と第２のフィルタ領域との総面積の５０％に実質的に等しくてもよい。実質的に５０％とは、例えば、第１の白色フィルタが、結合された第１及び第２のフィルタ領域の４０〜６０％を覆い得るということであってもよい。この結果、ディスプレイ素子における適切な輝度が得られる場合がある。
【００５４】
例では、ディスプレイ素子２００は更なるサブピクセル領域を含んでいてもよい。例えば、ディスプレイ素子２１０を図６に示す。ディスプレイ素子２１０はディスプレイ素子２００と、以下の点を除いて同様である。ディスプレイ素子２１０は更に、表面の第３のサブピクセル領域１０３ｃ、第３の電極、及び第３のカラーフィルタＦ３を含んでいる。第３の電極は第３の表示領域に実質的に重なっていてもよく、第３のカラーフィルタＦ３は第３のサブピクセル領域に実質的に重なっている。第３のカラーフィルタＦ３は、第３の色効果をもたらすように構成されており、エレクトロウェッティング素子２０１ｃの第３の縁部まで延びていてもよい。第２のサブピクセル領域１０３ｂは、第１のサブピクセル領域１０３ａと第３のサブピクセル領域１０３ｃとの間に位置している。第１の流体は更に、第１の電極、第２の電極、または第３の電極のうちの少なくとも１つを用いて印加される少なくとも第１の電圧に基づいて、第３のサブピクセル領域１０３ｃに隣接するように構成されている。
【００５５】
例では、第１の色効果、第２の色効果、及び第３の色効果はそれぞれ、赤色色相、緑色色相、及び青色色相であってもよい。これによって、ディスプレイ素子２１０がフルカラー域をもたらすことが可能になる場合がある。
【００５６】
例では、第２の白色フィルタＩ２が第２のフィルタＦ２と第３のフィルタＦ３との間に位置していてもよい。第２の白色フィルタＩ２は、第１の白色フィルタＩ１と同様に、白色フィルタをもたらすように構成されている。第１及び第２の白色フィルタＩ１及びＩ２を含むディスプレイ素子２１０の例によって、３色のディスプレイ素子における輝度を更に制御することが可能になる場合がある。
【００５７】
更なる例では、結合された第１の白色フィルタ及び第２の白色フィルタＩ１及びＩ２は、結合された第１のフィルタ、第２のフィルタ、及び第３のフィルタ領域１０３ａ、１０３ｂ、及び１０３ｃのサイズの実質的に５０％（例えば許容範囲内で）に等しくてもよい。これによって更に、フルカラー域に渡る広範囲の輝度を生成する可能性をセルに与えることができる場合がある。
【００５８】
例では、ディスプレイ素子２００または２１０の第１の白色フィルタ、またはディスプレイ素子２１０の第２の白色フィルタはＶ形状であってもよい。図７に見られ得るように、ディスプレイ素子２２０はディスプレイ素子２１０と、以下の点を除いて同様である。ディスプレイ素子２２０は、Ｖ形状またはシェブロン形状を含む第１及び第２の中間領域Ｉ１及びＩ２を含んでいる。第１及び中間領域を成形して、点領域２２２に対して長手方向にシフトした尾部領域２２１を含むことによって、ディスプレイ素子２２０を横切る第１の流体の位置を第１、第２、及び第３の電極によって変えたときに、白色フィルタがディスプレイ素子色効果に含まれるレートを変えることができる。他の例では、第１の白色フィルタは、Ｖ形状、円形、三角形、矩形のうちの１つであるかまたは３つの尖った星形を有する支持プレートの表面の領域に実質的に重なっている。
【００５９】
更なる例では、３つのサブピクセル領域は白色フィルタを囲んでいてもよい。例えば図８に示すのは、ディスプレイ素子２３０である。ディスプレイ素子２３０は、第１のサブピクセル領域１０３ａ、第２のサブピクセル領域１０３ｂ、及び第３のサブピクセル領域１０３ｃを含んでいる。各サブピクセル領域は、個々の表示領域に実質的に重なり個々の色効果をもたらすように構成された個々のカラーフィルタ及び個々の電極に対応する。第１の白色フィルタＩ１は、第１のカラーフィルタ、第２のカラーフィルタ、及び第３のカラーフィルタの間に位置し、白色効果をもたらすように構成されている。第１の白色フィルタＩ１の位置は、任意の軸２３１であって、実質的に、例えば許容できる測定公差内で、第１の白色フィルタＩ１の中心点２３２から、実質的に、例えば許容できる幾何学的変化内で、第１のサブピクセル領域、第２のサブピクセル領域、または第３のサブピクセル領域のうちの少なくとも１つの平面において、外側に向いている任意の軸２３１が、第１のサブピクセル領域、第２のサブピクセル領域、または第３のサブピクセル領域のうちの少なくとも１つと交差するように設定されている。第１の電極、第２の電極、または第３の電極のうちの少なくとも１つを用いて印加される少なくとも第１の電圧に基づいて、例えば前述した第１の流体と同様の第１の流体が、第１のサブピクセル領域、第２のサブピクセル領域、または第３のサブピクセル領域のうちの少なくとも１つの少なくとも第１の部分に隣接するように設定可能である。ディスプレイ素子２３０は更に、前述したものと同様で第１の流体と混合しない第２の流体を含んでいる。ディスプレイ素子には効率的な動作をもたらすという特徴がある。第１の流体を移動させて、第１、第２、及び第３のサブピクセル領域のうちの少なくとも一部を覆い、第１、第２、または第３の色効果の任意の組み合わせを得ることができる。第１、第２、及び第３の色効果がそれぞれ赤色色相、緑色色相、及び青色色相である例では、色域上の任意の一次または二次色効果が利用可能であってもよい。また、白色フィルタＩ１によって、色相の輝度を制御するために白色フィルタを単純に組み込むことが可能になる。
【００６０】
例では、ディスプレイ素子２３０は壁を含んでいてもよい。例えば、ディスプレイ素子２３０は、第１のサブピクセル領域、第２のサブピクセル領域、及び第３のサブピクセル領域の結合領域を囲む実質的に、例えば許容できる幾何学的変化内で、三角形状の壁を含んでいてもよい。例えば、図１３に示すのはディスプレイ素子４００である。更なる例では、ディスプレイ素子２３０は、第１のサブピクセル領域、第２のサブピクセル領域、及び第３のサブピクセル領域の結合領域を囲む実質的に、例えば許容できる幾何学的変化内で、六角形状の壁を含んでいてもよい。例えば、図１７に示すのは、ディスプレイ素子４４０である。例では、第１の白色フィルタは、第１のフィルタ、第２のカラーフィルタ、または第３のカラーフィルタのうちの少なくとも２つの間に位置する少なくとも１つのテーパ領域（例えば、外側にテーパになっている）を含んでいてもよい。したがって、第１の白色フィルタが表面の領域に実質的に重なっている場合、重なった領域は、第１、第２、及び第３のサブピクセル領域のうちの少なくとも２つの間に位置する少なくとも１つのテーパ状サブ領域を含む。例えば、図１８に示すのは、ディスプレイ素子４５０である。三角形及び六角形の壁と、テーパ領域を伴う白色フィルタとの有用な特徴について、図例に関する考察の中で後述する。
【００６１】
例では、ディスプレイ素子２３０は、表面の少なくとも１つの更なるサブピクセル領域を含んでいてもよい。ディスプレイ素子２３０は、少なくとも１つの更なるカラーフィルタであって、少なくとも１つの更なるサブピクセル領域と実質的に重なり、少なくとも１つの更なる色効果をもたらすように構成され、例えば、エレクトロウェッティング素子の少なくとも１つの縁部まで延びる少なくとも１つの更なるカラーフィルタを含んでいてもよく、任意の軸２３１であって、第１の白色フィルタの実質的な中心点２３２から外側に向き、実質的に、第１のサブピクセル領域、第２のサブピクセル領域、または第３のサブピクセル領域のうちの少なくとも１つの平面内にある任意の軸２３１が、第１のサブピクセル領域、第２のサブピクセル領域、第３のサブピクセル領域、または少なくとも１つの更なるサブピクセル領域のうちの少なくとも１つと交差する。
【００６２】
ディスプレイ素子２００、２１０、２２０、または２３０の更なる例では、第１の流体は更に、第１の電極または第２の電極のうちの少なくとも１つを用いて印加される少なくとも第１の電圧に基づいて、第１の白色フィルタの一部に隣接するように設定可能であってもよい。これによって、ディスプレイ素子色効果に対する輝度の更なる設定可能性が得られる場合がある。ディスプレイ応用例では、シャープな垂直及び水平線を得るためには微細な特別な解像度が望ましい。しかし、エレクトロウェッティングディスプレイ素子またはピクセルのアレイによって、アレイ解像度が限定されることがしばしばある。これは、図９に示すアレイ例３００に見られ得る。アレイ３００は、第１のディスプレイユニット１００ａに関係する特徴部を含み、第１のディスプレイ素子１０２ａと第２のディスプレイ素子１０２ｂとを含んでいるという点で、アレイ１１０と同様である。
【００６３】
例では、アレイ３００は更に、第２のピクセル１００ｂを含み、これは第３のディスプレイ素子１０２ｃと第４のディスプレイ素子１０２ｄとを含んでいてもよい。例では、第５のカラーフィルタは、第１のカラーフィルタＦ１と同じ色相に対するものであり、第６のカラーフィルタは、第２のカラーフィルタＦ２と同じ色相に対するものであり、第７のカラーフィルタは、第３のカラーフィルタＦ３と同じ色相に対するものであり、及び第８のカラーフィルタは、第４のカラーフィルタＦ４と同じ色相に対するものである。これによって、アレイ３００のディスプレイ素子の隣接対が同様の色効果の同様のパターンを含むという特徴が得られる場合がある。これを図９に、マーキングＦ１、Ｆ２、Ｆ３、及びＦ４によって示す。
【００６４】
アレイの輝度解像度には水平及び垂直成分が含まれる。水平輝度または垂直輝度は、アレイ内の１つ以上の同様の高輝度表示領域の間隔によって決まる。色効果の赤色、緑色、及び青色に対応する３つのサブピクセル領域を伴うディスプレイ素子またはピクセルを含む例では、最も明るい色効果は典型的に緑色である。なぜならば、緑色フィルタは概ね、青色及び赤色フィルタと比べて、吸収する光が少ないからである。しかし、色効果の赤色、緑色、及び青色、及び白色に対応する４つのサブピクセル領域を伴うディスプレイ素子またはピクセルを組み込むアレイ３００のような例では、最も明るい色効果は典型的に、緑色カラーと白色フィルタとの組み合わせによってもたらされてもよい。ディスプレイ内に最高解像度の水平及び垂直方向の白線を形成するために、等しい水平及び垂直解像度をアレイに与えることが望ましい場合がある。なぜならば、ディスプレイは２つのうちの最低解像度に限定される場合があり、正方ピクセルピッチ標準に一致する場合があるからである。
【００６５】
例えば、第１のサブピクセル領域１０３ａが、緑色色相を含む第１の色効果に対応し、第２のサブピクセル領域１０３ｂが第２の白色フィルタに対応する場合、緑色及び白色は水平方向に位置合わせして、第１及び第２のサブピクセル領域間の間隔に等しい水平解像度３０２を形成する（両矢印によって示す）。しかし、垂直方向では、緑色色効果に対応するサブピクセル領域と白色フィルタとの間の間隔は、しかし、例えば第１及び第２のサブピクセル領域１０３ａ及び１０３ｂと、第５及び第６のサブピクセル領域１０３ｅ及び１０３ｆとの間の距離である。垂直解像度３０１を、２つのピクセルの距離に及ぶ両矢印によって示す。したがって、アレイ３００に対する垂直及び水平輝度解像度はそれぞれ約２：１であり、アレイ３００の全体的な輝度解像度は２つの表示領域に限定される場合がある。
【００６６】
図１０のエレクトロウェッティングピクセルアレイ３１０によって、ディスプレイ装置の輝度解像度が向上する場合がある。アレイ３１０はアレイ３００と同様であり、第１のエレクトロウェッティングピクセル１００ａを含み、これは第１及び第２のディスプレイ素子１０２ａ及び１０２ｂを含んでいる。第１のディスプレイ素子１０２ａと第２のディスプレイ素子１０２ｂとは、第１のアレイ列３１１ａ内に位置している。第１のアレイ列３１１ａは、第１のアレイ列軸３１２、または第１のアレイ列軸３１２が沿って配向される中心軸を有している。第１の列軸角度オフセット３１４は、第１のアレイ列軸３１２と所定のディスプレイ水平軸３１３との間のオフセットによって画定される。所定のディスプレイ水平軸３１３は、アレイ３１０上に表示されたときに画像が位置合わせされる水平線である。例では、所定のディスプレイ水平軸３１３は、ディスプレイ装置の寸法または縁部と位置が合うように配向されていてもよい。更なる例では、所定のディスプレイ水平軸３１３は、ディスプレイ装置のユーザによって選択可能であってもよい。アレイ３１０の例では、第１の列軸角度オフセット３１４は所定のディスプレイ水平軸から実質的に４５°である。実質的に４５°、すなわち実質的に４５度によって、第１の列軸角度オフセットは、許容できる測定ばらつき内で、所定のディスプレイ水平軸に対して３５°〜５５°または他の例では４０°〜５０°若しくは４５°である。
【００６７】
例では、第１及び第３のサブピクセルは、所定のディスプレイ水平軸からの列軸角度オフセットが実質的に４５°である第１の列軸上に配置されている。更なる例では、第２のサブピクセルと第４のサブピクセルとは、所定のディスプレイ水平軸からの列軸角度オフセットが実質的に４５°である第２の列軸上に配置されている。
【００６８】
第１及び第４のサブピクセル領域が緑色色効果及び白色フィルタにそれぞれ対応する例では、緑色及び白色フィルタを互いからの対角線上に配置すると考えてもよく、アレイ３１０の方向によって輝度解像度の向上が得られる。図１０において、第１の列軸角度オフセット３１４の場合に、第１及び第２のピクセル１００ａ及び１００ｂの第１及び第４のサブピクセル領域を、アレイ３１０内の水平及び垂直の両方向に位置合わせして、垂直輝度解像度３０１及び水平輝度解像度３０２が実質的に等しくなる（例えば、許容可能な測定ばらつき内となる）ようにしてもよいことが見られ得る。このような例では、第２のサブピクセル領域は青色色相フィルタに対応してもよく、第３のサブピクセル領域は赤色色相フィルタに対応してもよい。
【００６９】
例として、赤色カラーフィルタと緑色カラーフィルタとがピクセルの異なるエレクトロウェッティング素子内にあり、白色フィルタがピクセル内の緑色フィルタから対角線上に位置する例を用いてもよい。したがって、例では、第１のカラーフィルタまたは第２のカラーフィルタのうちの少なくとも１つが赤色色相フィルタであり、第３のカラーフィルタまたは第４のカラーフィルタのうちの少なくとも１つが緑色色相フィルタである。他の例では、第１のカラーフィルタまたは第２のカラーフィルタのうちの少なくとも１つが青色カラーフィルタであり、第３のカラーフィルタまたは第４のカラーフィルタのうちの少なくとも１つが白色フィルタである。
【００７０】
更なる例では、アレイ３１０は第２のアレイ列３１１ｂを含んでいてもよい。第２のアレイ列３１１ｂは、第３のピクセル１００ｃと第４のピクセル１００ｄとを含んでいてもよい。これらは、前述した第１及び第２のピクセル１１０ａ及び１００ｂと同様である。第２のアレイ列３１１ｂは、所定のディスプレイ水平軸から実質的に４５°である第２の列軸角度オフセット３１４を含んでいてもよい。
【００７１】
例では、平面図内の支持プレートは、実質的に矩形または実質的に正方形、例えば許容範囲内の矩形または正方形である。このような実質的に矩形または実質的に正方形の少なくとも１つの辺は、所定のディスプレイ水平軸と実質的に平行である。更なる例のこれらの例では、シールを支持プレート上に配置して、エレクトロウェッティング素子のアレイを囲み、支持プレートを第２の支持プレートにシールしてもよい。平面図において、シールは実質的に矩形または実質的に正方形であってもよく、実質的に矩形または実質的に正方形のシールの少なくとも１つの辺が所定のディスプレイ水平軸と実質的に平行であってもよい。
【００７２】
更なる例では、支持プレートの表面の一部上の壁層（例えば、本明細書の他の場所で説明される壁を形成する）は格子状パターンを有し、格子状パターンの少なくとも１つの格子軸は、支持プレートの少なくとも１つの辺から実質的に４５°だけオフセットしている。
【００７３】
他の例では、第１のサブピクセル領域と第４のサブピクセル領域とはそれぞれ、実質的に正方形である。第１のサブピクセル領域と第４のサブピクセル領域との平面において、第１のサブピクセル領域の第１の角部及び対向する第２の角部と、第４のサブピクセル領域の第１の角部と第４のサブピクセル領域の対向する第２の角部とは、実質的に直線軸上に配置されている。
【００７４】
更なる他の例では、第２のサブピクセル領域と第３のサブピクセル領域とはそれぞれ、実質的に正方形である。第２のサブピクセル領域と第３のサブピクセル領域との平面において、第２のサブピクセル領域の第１の角部及び対向する第２の角部と、第３のサブピクセル領域の第１の角部及び対向する第２の角部とは、実質的に直線軸上に配置されている。
【００７５】
アレイが３組のディスプレイ素子を含めば、アレイ３１０に関して特定したものと同様の輝度解像度非対称性を示すことができる。エレクトロウェッティングディスプレイ素子アレイ３２０によって、３色のフィルタを含むディスプレイ素子からなるアレイの例が得られる。アレイ３２０はアレイ３００に類似しているが、第１のディスプレイ素子１０２ａは更に、第２のサブピクセル領域１０３ｂに隣接する第５のサブピクセル領域１０３ｅを含み、第２のディスプレイ素子１０２ｂは、第４のサブピクセル領域１０３ｄに隣接する第６のサブピクセル領域１０３ｆを含んでいる。第５のサブピクセル領域１０３ｅは個々の第５のカラーフィルタと第５の電極とに対応し、第６のサブピクセル領域１０３ｆは第６のカラーフィルタと第６の電極とを含んでいる。第１の流体は更に、第３の電極を用いて印加される少なくとも第１の電圧に基づいて、第５のサブピクセル領域の少なくとも一部に隣接するように設定可能であり、第３の流体は更に、第６の電極を用いて印加される少なくとも第２の電圧に基づいて、第６のサブピクセル領域の少なくとも一部に隣接するように設定可能である。
【００７６】
アレイ３２０の例では、第１のカラーフィルタの第１の色効果は、第３のカラーフィルタの第３の色効果と実質的に同じであり、第２のカラーフィルタの第２の色効果は、第４のカラーフィルタの第４の色効果と実質的に同じであり、第５のカラーフィルタの第５の色効果は、第６のカラーフィルタの第６の色効果と実質的に同じである。これを、標示Ｆ１、Ｆ２、及びＦ３によって示す。例えば、第１の色効果、第２の色効果、及び第３の色効果はそれぞれ、赤色色相、緑色色相、及び青色色相であってもよい。
【００７７】
図１１に見られ得るように、第２のサブピクセル領域１０３ｂと第４のサブピクセル領域１０３ｄとが、最高輝度を伴う色効果である緑色色相に対応する場合、水平解像度３０２は垂直解像度３０１の２倍である。異なる水平及び垂直輝度解像度は望ましくない。なぜならば、全般的に、アレイの全輝度解像度は低い方の解像度に限定されるからである。
【００７８】
例では、アレイ３２０は更なる特徴部を組み込んでいてもよい。アレイ３３０はアレイ３２０と同様であり、第１のディスプレイ素子１０２ａと第２のディスプレイ素子１０２ｂとを含んでいる。アレイ３３０は更に、第１のアレイ列３１１ａを含んでおり、第１のアレイ列３１１ａ内に第１のディスプレイ素子１０２ａと第２のディスプレイ素子１０２ｂとが位置している。アレイ３１０と同様に、アレイ３３０は、所定のディスプレイ水平軸から実質的に４５°の第１のアレイ列軸角度オフセット３１４を含んでいる。
【００７９】
アレイ３３０の例では、第３のサブピクセル領域１０３ｃは、第２のサブピクセル領域１０３ｂと第５のサブピクセル領域１０３ｅとに隣接していてもよい。図１２に見られ得るように、これによって、アレイ内の第１及び第２のディスプレイ素子１０２ａ及び１０２ｂ間にシフトが生じる場合がある。このような方向において、第２のサブピクセル領域１０３ｂと第４のサブピクセル領域１０３ｄとが、最高輝度を伴う色効果である緑色色相に対応する場合、水平解像度３０２は垂直解像度３０１に等しい。したがって、アレイ３３０は、実質的に等しい（許容変動内で）水平及び垂直輝度解像度を含んでおり、これは、明瞭なまたはシャープなまたは正確な水平及び垂直線を伴う表示効果を生成するのに理想的である場合がある。
【００８０】
例では、アレイ３１０及び３３０は、第１のカラーフィルタと第２のカラーフィルタとの間に位置する領域に対応する第１の白色フィルタであって、第１の白色効果をもたらすことができる白色フィルタを伴うディスプレイ素子を有していてもよい。更なる例では、アレイ３３０は、第２のフィルタと第３のフィルタとの間に位置する領域に対応する第２の白色フィルタであって、第２の白色効果をもたらすことができる第２の白色フィルタを含んでいてもよい。
【００８１】
更なる例では、アレイ３３０は第２のアレイ列３１１ｂを含んでいてもよい。第２のアレイ列３１１ｂは、第３のピクセル１００ｃと第４のピクセル１００ｄとを含んでいてもよい。これらは、アレイ３３０に関して前述した第１及び第２のピクセル１１０ａ及び１００ｂと同様である。第２のアレイ列３１１ｂは、所定のディスプレイ水平軸から実質的に４５°である第２の列軸角度オフセット３１４を含んでいてもよい。
【００８２】
３つのディスプレイサブピクセルを含むディスプレイ素子の更なる例を示し、図１３、１４、１５、及び１７に関連して説明する。図１３に示すのは、ディスプレイ素子４００である。ディスプレイ素子４００はディスプレイ素子２と同様であるが、異なる数及び配置の表示領域を更に含んでいる。ディスプレイ素子４００は、第１のサブピクセル領域１０３ａ、第２のサブピクセル領域１０３ｂ、及び第３のサブピクセル領域１０３ｃを伴う表面を有する支持プレートを含んでいる。第２のサブピクセル領域１０３ｂは第１のサブピクセル領域１０３ａに隣接して（例えば隣接するかまたはこれと接触して）おり、第３のサブピクセル領域１０３ｃは、第１のサブピクセル領域１０３ａと第２のサブピクセル領域１０３ｂとに隣接している。ディスプレイ素子２と同様に、第１、第２、及び第３のサブピクセル領域１０３ａ、１０３ｂ、及び１０３ｃはそれぞれ、第１の色効果をもたらすように構成された個々のフィルタと電極とに対応する。第１、第２、及び第３の電極は、ディスプレイ素子４００の第１、第２、及び第３のサブピクセル領域の間で第１の流体を迅速に移動させるように動作可能であり、効率的な動作が得られる。
【００８３】
例では、第１のカラーフィルタＦ１、第２のカラーフィルタＦ２、及び第３のカラーフィルタＦ３のそれぞれの位置は、第１、第２、及び第３のカラーフィルタのそれぞれの縁部が、第１のカラーフィルタＦ１、第２のカラーフィルタＦ２、及び第３のカラーフィルタＦ３の間に位置する実質的な中心点４０２から実質的に等角度を張るように設けられている。例では、実質的な中心点４０２はディスプレイ素子４００内の中心点に位置していてもよく、例えば第１、第２、及び第３の壁部分４０１ａ、４０１ｂ、及び４０１ｃから実質的に等距離であってもよい。更なる例では、実質的な中心点４０２を、第１、第２、及び第３のカラーフィルタＦ１、Ｆ２、及びＦ３間の合流点に位置付けてもよい。ディスプレイ素子４００の例では、第１、第２、及び第３のカラーフィルタＦ１、Ｆ２、Ｆ３がそれぞれ実質的に重なって、それらの個々のサブピクセル領域と同じ表面積を覆う場合、実質的な中心点４０２に対して、第１のフィルタＦ１の縁部は角度４０２ａを張り、第２のフィルタＦ２の縁部は角度４０２ｂを張り、及び第３のフィルタＦ３の縁部は角度４０２ｃを張る。図１３に見られ得るように、角度４０２ａ、４０２ｂ、及び４０２ｃはそれぞれ実質的に等しいか、または５０°〜７０°である。これによって、フィルタのほぼ等しい分配が得られる場合があり、これらの間を第１の流体が容易に移動して、結合されたディスプレイ素子色効果がコンパクトなデザインで得られる場合がある。
【００８４】
例では、ディスプレイ素子４００は、第１のフィルタに対する第１の色効果、第２のフィルタに対する第２の色効果、及び第３のフィルタに対する第３の色効果（それぞれ、赤色色相、緑色色相、及び青色色相である）を有していてもよい。これによって、ディスプレイ素子４００は広範囲の色効果（任意の一次または二次の色相を含む）を生成することができる場合がある。
【００８５】
ディスプレイ素子４００は更に、第１のサブピクセル領域、第２のサブピクセル領域、及び第３のサブピクセル領域を囲む壁２０を含んでいる。壁は、第１の壁部分４０１ａ（第１のサブピクセル領域１０３ａと第２のサブピクセル領域１０３ｂとに隣接する）、第２の壁部分４０１ｂ（第２のサブピクセル領域１０３ｂと第３のサブピクセル領域１０３ｃとに隣接する）、及び第３の壁部分４０１ｃ（第３のサブピクセル領域１０３ｃと第１のサブピクセル領域１０３ａとに隣接する）を組み込んでいる。ディスプレイ素子４００の例では、第１の壁部分４０１ａ、第２の壁部分４０１ｂ、及び第３の壁部分４０１ｃはそれぞれ、許容可能な幾何公差内で実質的に直線であり、壁は、第１の流体をエレクトロウェッティング素子内に保持または閉じ込めるように動作可能である。壁によって、第１の流体が、フィルタによって覆われたサブピクセル領域から遠くまで移動しすぎないようにできる場合がある。図１３に示すディスプレイ素子４００の例では、第１、第２、及び第３の壁部分４０１ａ、４０１ｂ、４０１ｃが３つの頂点で一つに合流して三角形状を形成することが見られ得る。しかし、後述するように更なる壁構成が企図されるため、これは限定を意図していない。ディスプレイ素子壁２０によって更に、ディスプレイ素子４００を更なる利益が得られるアレイ方向に配置できる場合がある。これについては更に後述する。
【００８６】
例では、ディスプレイ素子４００は更に、第１の開始領域４１１ａ、第２の開始領域４１１ｂ、及び第３の開始領域４１１ｃを含んでいてもよい。これを図１４に示す。第１の開始領域４１１ａは第１の壁部分と第３の壁部分とに隣接し、第２の開始領域４１１ｂは第１の壁部分と第２の壁部分とに隣接し、第３の開始領域４１１ｃは第２の壁部分と第３の壁部分とに隣接している。各開始部４１１ａ、４１１ｂ、及び４１１ｃは、例えば、第１のサブピクセル領域、第２のサブピクセル領域、または第３のサブピクセル領域のうちの少なくとも１つのサブピクセル領域濡れ性と実質的に異なる濡れ性を伴う支持プレートの表面の領域を含む流体運動の開始部である。例えば、開始領域は第１の流体よりも第２の流体に対してより濡れやすくてもよく、また例えば親水性領域であってもよく、開始領域に近い第１の流体の厚さが、開始領域を第１の流体が濡らすことを避けるために変化することによって流体運動が開始する際に沿う線を形成してもよい。例では、第１、第２、及び第３の開始領域によって、第１の流体が壁の壁部分間の頂点内に移動すること（第１の流体を後で外に移動させるのが効率が悪い場合がある）を阻止してもよい。代替的に、開始領域は、第１の流体をディスプレイ素子４００内の実質的に中央に位置させ続けてもよく、これによってディスプレイ素子４００の効率的な動作が可能になる。
【００８７】
例では、開始領域を用いて更なる色効果をもたらしてもよい。例えば、第１の開始領域、第２の開始領域、または第３の開始領域のうちの少なくとも１つを、白色効果をもたらすように構成してもよく、また例えば、それぞれまたは少なくとも１つが白色フィルタであってもよい。これは、表示画像を明るくするのに役立つ場合がある。更なる例では、第１の開始領域、第２の開始領域、または第３の開始領域のうちの少なくとも１つを、実質的に黒色効果をもたらすように構成してもよく、また例えば、黒カラーフィルタであってもよい。実質的に、黒色は最小値の輝度を含んでいてもよい。ヒトの目に対して、黒色は暗く（輝度がない）、色の色相の区別が含まれていなくてもよい。
【００８８】
ディスプレイ素子４００は１つ以上の突出部を含んでいてもよい。突出部は、例えば、突出部に隣接するサブピクセル領域上の第１の流体の動き、再配向、または分割を阻止または減らす場合がある壁の部分である。例えば、ディスプレイ素子４１０は以下のものを含む。第１の壁部分４０１ａに隣接する壁の第１の突出部４２１ａ、第１の突出部４２１ａの少なくとも一部は、第１のサブピクセル領域１０３ａと第２の表示領域１０３ｂとの間に位置する。第２の壁部分４０１ｂに隣接する壁の第２の突出部４２１ｂ、第２の突出部４２１ｂの少なくとも一部は、第２のサブピクセル領域１０３ｂと第３のサブピクセル領域１０３ｃとの間に位置する。ならびに、第３の壁部分に隣接する壁の第３の突出部４２１ｃ、第３の突出部４２１ｃの少なくとも一部は、第３のサブピクセル領域１０３ｃと第１のサブピクセル領域１０３ａとの間に位置する。
【００８９】
例では、ディスプレイ素子４００は更に、第１の白色フィルタを含んでいてもよい。例えば、図１５にディスプレイ素子４２０を示す。ディスプレイ素子４２０は、ディスプレイ素子４００と同様であり、同じである同じ特徴部のすべてを含んでいるが、更に白色フィルタＩ１を含んでいる。白色フィルタＩ１（点線によって囲まれている）は、第１のフィルタＦ１、第２のフィルタＦ２、及び第３のフィルタＦ３の間に位置し、白色フィルタＩ１は白色効果をもたらすように構成されている。白色フィルタによって、ディスプレイ素子４２０は輝度を制御することができる場合がある。４２０の例は、第１、第２、及び第３のフィルタの間の三角形として成形された白色フィルタＩ１を含んでいるが、当業者であれば分かるように、更なる例では他の構成が可能である。これについては後述する。
【００９０】
例では、第１のサブピクセル領域１０３ａ、第２のサブピクセル領域１０３ｂ、または第３のサブピクセル領域１０３ｃのうちの少なくとも１つの少なくとも第１の部分は更に、所定のピクセル色相に対する複数の結合されたディスプレイユニット輝度値を含むピクセル色効果をもたらすように設定可能である。更なる例では、複数の結合されたディスプレイユニット輝度のうちの少なくとも１つの結合されたピクセル輝度は、第１のサブピクセル領域輝度、第２のサブピクセル領域輝度、及び第３のサブピクセル領域輝度の最大値よりも大きい。
【００９１】
図１６に示すのは、第１の更なる壁部分を伴うディスプレイ素子の例である。ディスプレイ素子４３０はディスプレイ素子４００と同様であり、また第１の壁部分４０１ａを第３の壁部分４０１ｃに接続する第１の更なる壁部分４３１ａを更に含んでいる。第１の更なる壁部分４３１ａは実質的に直線である。第１の壁部分の内側と第１の更なる壁部分の内側との間の角度、及び第３の壁部分の内側と第１の更なる壁部分の内側との間の角度は実質的に同じであってもよく、それぞれ鋭角である。図１６に示す第１の更なる壁部分４３１ａは、第１及び第３の壁部分４０１ａ及び４０１ｃによって形成される頂点の相対的に小さい部分を取り除いているが、これは限定を意図していない。更に示すように、他の割合が可能である。ディスプレイ素子４３０はまた、第１及び第２の開始領域４１１ｂ及び４１１ｃを含んでいる。例では、更なる壁部分と開始領域との任意の組み合わせが可能である。更なる壁部分と開始領域とを、第１、第２、及び第３の壁部分４０１ａ、４０１ｂ、及び４０１ｃの任意の２つの間の同じ頂点で組み合わせることもできる。
【００９２】
例えば、図１７に示すディスプレイ素子４４０は、第２の更なる壁部分と第３の更なる壁部分とを含んで、実質的な六角形を形成している。第２の更なる壁部分４３１ｂは、第１の壁部分４０１ａを第２の壁部分４０１ｂに接続している。第３の更なる壁部分４３１ｃは、第２の壁部分４０１ｂを第３の壁部分４０１ｃに接続している。ディスプレイ素子４４０の例では、第２及び第３の更なる壁部分は実質的に直線である。例では、ディスプレイ素子４４０は更に、第１、第２、及び第３の開始領域４１１ａ、４１１ｂ、及び４１１ｃを含んでいる。しかし、これは限定を意図していない。なぜならば、ディスプレイ素子例４４０は開始領域が少なくてもよいし、または開始領域がなくてもよいからである。
【００９３】
ディスプレイ素子４４０は更に、第１、第２、及び第３のサブピクセル領域の間に第１の白色フィルタを含んでいてもよい。第１の白色フィルタによって白色効果がもたらされる。例えば、図１８に示すのは、六角形のディスプレイ素子４５０である。ディスプレイ素子４５０は白色フィルタＩ１を含んでいる。白色フィルタＩ１は、３つのテーパ領域、第１のテーパ領域４５１ａ、第２のテーパ領域４５１ｂ、及び第３のテーパ領域４５１ｃを含むように成形されている。ディスプレイ素子４５０のテーパ領域４５１ａ、４５１ｂ、及び４５１ｃによって、結合されたディスプレイ素子輝度の更なる変調がもたらされる場合がある。
【００９４】
ディスプレイ素子４００及び４１０をアレイ内に組み込めば、更なる利益及び特徴が得られる場合がある。例えば、図１９に示すのは、エレクトロウェッティングディスプレイ素子５００のアレイである。アレイ５００は、第１のエレクトロウェッティング素子５０１ａと第２のエレクトロウェッティング素子５０１ｂとを含んでいる。これらは、ディスプレイ素子４００及び４１０に対して記載した特徴部のすべてまたはいずれかを含んでいてもよい。
【００９５】
アレイ５００は、第１の表面領域と第２の表面領域とを有する支持プレートを含んでいる。第１のエレクトロウェッティング素子５０１ａは、ディスプレイ素子４００、４１０、及び４２０に関して説明した特徴部のすべてまたはいずれかを含んでいる。第２のエレクトロウェッティング素子５０１ｂ（第１のエレクトロウェッティング素子５０１ａに隣接して位置する）は、第１のディスプレイ素子５０１ａと同じ特徴部を含んでいるが、以下のように参照及び配向される。第２のディスプレイ素子５０１ｂは、第４のサブピクセル領域、第４のサブピクセル領域に隣接する第５のサブピクセル領域、第４のサブピクセル領域と第５のサブピクセル領域とに隣接する第６のサブピクセル領域を含んでいる。第４、第５、及び第６のサブピクセル領域はすべて、表面の第２の表示領域の一部である。第４、第５、及び第６のサブピクセル領域は個々のフィルタ及び電極に対応する。第３の流体（第４の流体と混合しない）は、第４の電極、第５の電極、または第６の電極のうちの少なくとも１つを用いて印加される少なくとも第２の電圧に基づいて、第４のサブピクセル領域、第５のサブピクセル領域、または第６のサブピクセル領域のうちの少なくとも１つの少なくとも第２の部分に隣接するように設定可能である。第２のディスプレイ素子は更に、第４の表示領域、第５の表示領域、及び第６の表示領域を囲む第２の壁を含んでいる。第２の壁は、第４のサブピクセル領域と第５の表示領域とに隣接する第４の壁部分、第５のサブピクセル領域と第６のサブピクセル領域とに隣接する第５の壁部分、及び第６のサブピクセル領域と第４のサブピクセル領域とに隣接する第６の壁部分を含んでいる。第４の壁部分、第５の壁部分、及び第６の壁部分はそれぞれ、実質的に直線であり、第２の壁は、第３の流体を第２のエレクトロウェッティング素子内に保持するように動作可能であり、第１の壁部分は第５の壁部分に隣接する。
【００９６】
図１９に見られ得るように、アレイ５００は、ディスプレイ素子の規則的なレイアウトをもたらしてもよい。各ディスプレイ素子の各壁部分は、隣接するディスプレイ素子の壁部分と実質的に重なっている。
【００９７】
例では、第１の色効果は第４の色効果と実質的に同じであってもよく、第２の色効果は第５の色効果と実質的に同じであってもよく、第３の色効果は第６の色効果と実質的に同じであってもよい。図１９において、これは第１、第２、及び第３のフィルタＦ１、Ｆ２、及びＦ３の配置によって表されている。
【００９８】
例では、実質的に等しい水平及び垂直輝度解像度をもたらすことが望ましい場合がある。赤色、緑色、及び青色色効果に対応するサブピクセル領域を伴うディスプレイ素子では、赤色及び緑色に対応するサブピクセル領域は最大輝度を有しており、したがって明るい水平及び垂直線を形成するために用いてもよい。したがって、例では、第１の色効果は緑色色相であってもよく、第２の色効果は青色色相であってもよく、及び第３の色効果は赤色色相であってもよい。図１９に示すように、これによって、実質的に等しい垂直輝度解像度３０１と水平輝度解像度３０２とが得られる場合がある。またそれを、最も明るい色効果を水平及び垂直軸と位置合わせするために用いてもよい。
【００９９】
ディスプレイ素子４３０もアレイ内に組み込んでもよい。図２０に、アレイ５１０を示す。アレイ５１０は、少なくとも第１のディスプレイ素子５０１ａと第２のディスプレイ素子５０１ｂとを含んでいる。両方とも第１の更なる壁部分４３１ａを含んでいる。第１のディスプレイ素子の位置は、第１の更なる壁部分が第２のディスプレイ素子５０１ｂの第２の壁部分４０１ｂと同じ高さになるように設けられている。更なるディスプレイ素子が行に沿って配置されて、それらの個々の第１の更なる壁部分４３１ａが交互方向に向いている。
【０１００】
ディスプレイ素子４２０をアレイ内に組み込めば、更なる利益及び特徴が得られる場合がある。例えば、図２１に示すのは、エレクトロウェッティングディスプレイ素子５２０のアレイである。アレイ５２０は、第１のエレクトロウェッティング素子５０１ａと第２のエレクトロウェッティング素子５０１ｂとを含んでいる。これらは、ディスプレイ素子４２０に対して説明した特徴部のすべてを含んでいてもよい。アレイ５２０はアレイ５００と、以下の点を除いて同様である。アレイ５２０は、第１、第２、及び第３のフィルタの間に第１の白色フィルタＩ１を含み、第４、第５、及び第６のフィルタ（Ｆ１、Ｆ２、及びＦ３と標示する）の間に第２の白色フィルタＩ１を含んでいる。これを図２１に示す。白色フィルタを含むサブピクセル領域を伴うアレイにおいて、緑色色相色効果に対応するサブピクセル領域は、最大輝度を伴う色効果であってもよい。したがって、例では、第１の色効果は青色色相であってもよく、第２の色効果は緑色色相であってもよく、及び第３の色効果は赤色色相であってもよい。これによって、実質的に等しい水平輝度解像度３０２と垂直輝度解像度３０１とが得られる場合がある。これは図２１に見られ得る。
【０１０１】
ディスプレイ素子４４０及び４５０をアレイ内に組み込んでもよい。図２２に示すのは、ディスプレイ素子５４０のアレイである。アレイ５４０は、第１の表面領域と第２の表面領域とを有する支持プレートを含んでいる。第１のエレクトロウェッティング素子５０１ａは、ディスプレイ素子４４０に関して説明した特徴部を含んでいる。第２のエレクトロウェッティング素子５０１ｂ（第１のエレクトロウェッティング素子５０１ａに隣接して位置する）は、第１のディスプレイ素子５０１ａと同じ特徴部を含んでいるが、以下のように参照及び配向される。第２のディスプレイ素子５０１ｂは、第４のサブピクセル領域、第４のサブピクセル領域に隣接する第５のサブピクセル領域、第４のサブピクセル領域と第５のサブピクセル領域とに隣接する第６のサブピクセル領域を含んでいる。第４、第５、及び第６のサブピクセル領域はすべて、表面の第２の表示領域の一部である。第４、第５、及び第６のサブピクセル領域は、個々のフィルタ及び電極を含んでいる。第３の流体（第４の流体と混合しない）は、第４の電極、第５の電極、または第６の電極のうちの少なくとも１つを用いて印加される少なくとも第２の電圧に基づいて、第４のサブピクセル領域、第５のサブピクセル領域、または第６のサブピクセル領域のうちの少なくとも１つの少なくとも第２の部分に隣接するように設定可能である。第２のディスプレイ素子は更に、第４のサブピクセル領域、第５のサブピクセル領域、及び第６のサブピクセル領域を囲む第２の壁を含んでいる。第２の壁は、第４のサブピクセル領域と第５の表示領域とに隣接する第４の壁部分、第５のサブピクセル領域と第６のサブピクセル領域とに隣接する第５の壁部分、及び第６のサブピクセル領域と第４のサブピクセル領域とに隣接する第６の壁部分を含んでいる。第２の壁は更に、第４の壁部分を第５の壁部分に接続する第４の更なる壁部分、第４の壁部分を第５の壁部分に接続する第５の更なる壁部分、及び第５の壁部分を第６の壁部分に接続する第６の更なる壁部分を含んでいる。第４の壁部分、第５の壁部分、第６の壁部分、第４の更なる壁部分、第５の更なる壁部分、第６の更なる壁部分はそれぞれ、実質的に直線であり、第２の壁は、第３の流体を第２のエレクトロウェッティング素子内に保持するように動作可能であり、第１の壁部分は第５の壁部分に隣接している。
【０１０２】
アレイ５４０の例では、第１の色効果は第４の色効果と実質的に同じであってもよく、第２の色効果は第５の色効果と実質的に同じであり、第３の色効果は第６の色効果と実質的に同じである。これによって、最大の水平及び垂直輝度解像度が得られる場合がある。
【０１０３】
更なる例では、アレイ５４０は、第１のフィルタ、第２のフィルタ、及び第３のフィルタの間に位置する第１の白色フィルタと、第４のフィルタ、第５のフィルタ、及び第６のフィルタの間に位置する第２の白色フィルタとを含んでいてもよい。第１及び第２の白色フィルタによって白色効果が得られる。
【０１０４】
エレクトロウェッティング素子及びこのようなエレクトロウェッティング素子のアレイの多くの例について前述した。
【０１０５】
次にエレクトロウェッティング素子のアレイを制御する方法の例について、図３１も参照して説明する。当然のことながら、このような例を、前述したエレクトロウェッティング素子のアレイのいずれに適用してもよい。しかし説明の便宜上、図１０のアレイを、次に説明する以下の例で参照する。図１０に関連して前述した特徴部は、ここでも適用されると理解しなければならず、対応する説明がある共通の特徴部は、ここでも適用されると理解しなければならない。
【０１０６】
前述したように、第１の流体（例えば、オイルまたはアルカン）によって隣接されるエレクトロウェッティング素子内のサブピクセル領域の範囲は、当該のサブピクセル領域に実質的に重なる電極と第２の流体と接触している電極との間に印加される電圧に基づいて、制御可能である。
【０１０７】
既知のシステムでは、ピクセルは、サブピクセルの組み合わせが固定している場合がある。言い換えれば、異なる表示効果（例えば、特定の色相及び輝度）を表示するために、同じサブピクセルをそのピクセルに対して毎回用いる。そのため、ピクセルの構造は固定している。
【０１０８】
例えば、本明細書で説明する例によるエレクトロウェッティング素子と、やはり本明細書で説明するこのようなエレクトロウェッティング素子のアレイとを用いて、各エレクトロウェッティング素子内の流体の構成を制御する新しい方法を用いて、既知のシステムと比べて表示効果を向上させられ得ることが、今では分かっている。
【０１０９】
次に図２３を参照して、エレクトロウェッティング素子のアレイを、図１０を用いて前述したものに従って示す。図２３において、各エレクトロウェッティング素子内の第１の流体は、適切な大きさの少なくとも１つの印加電圧を用いて、サブピクセル領域のある範囲に隣接するように構成されている。
【０１１０】
各エレクトロウェッティング素子の各サブピクセル領域の範囲は、表示すべき表示効果に依存する。これは、例えば後述するように制御される。
【０１１１】
例えば以下に説明する制御システム（例えば、少なくとも１つのプロセッサと少なくとも１つのメモリとを、適切なコンピュータプログラム命令とともに含む）を用いて、第１のピクセルデータを受け取ってもよい。第１のピクセルデータは、ディスプレイ素子のアレイのディスプレイユニット（例えばピクセル）に対する第１の表示効果を表す。したがって、第１のピクセルデータは、いくつかの例では、例えば当業者に良く知られているｓＲＧＢ形式に従う標準的な入力データであってもよい。データは、例えば、スペース内の所定の点に対して、表示するための色相及び輝度値を示すという点で、このような入力データは装置固有でなくてもよい。したがって、このようなデータを他の非エレクトロウェッティングタイプディスプレイ装置に入力してもよい。
【０１１２】
次に、例えば、制御システムは、アレイのエレクトロウェッティング素子の複数のサブピクセル領域のうちどれかを選択して、受け取った第１のピクセルデータによって表される所定の表示効果を表示するために用いてもよい。例えば図２３によって示すエレクトロウェッティング素子のアレイを見ると、複数のサブピクセル領域が存在する。例えば、この例で示す各サブピクセル領域Ｒ、Ｇ、Ｂ、またはＷは、赤色、緑色、青色、または白色色相にそれぞれ対応している。これらの色相は、そのサブピクセル領域に起因しており、例えば前述したように特定の色効果をもたらすように適切な波長（複数可）の光をフィルタリングするためのカラーフィルタとの関連に起因している。
【０１１３】
複数のサブピクセル領域は、第１の色効果をもたらすように構成された第１のエレクトロウェッティング素子の第１のフィルタと実質的に重なるアレイの第１のエレクトロウェッティング素子の第１のサブピクセル領域を含んでいる。複数のサブピクセル領域はまた、第１の色効果をもたらすように構成された第２のエレクトロウェッティング素子の第１のフィルタと実質的に重なるアレイの第２のエレクトロウェッティング素子の第１のサブピクセル領域を含んでいる。したがって、第１及び第２のエレクトロウェッティング素子の第１のサブピクセル領域は、異なるエレクトロウェッティング素子内にあるにもかかわらず、例えば同じ色相に対応する。例では、２つの異なるエレクトロウェッティング素子のこのような第１のサブピクセル領域は、互いに隣接する２つのエレクトロウェッティング素子内に配置されている。隣接するのは、いくつかの例では、当該の２つのエレクトロウェッティング素子間に更なるエレクトロウェッティング素子がない場所である。他の例では、２つのエレクトロウェッティング素子を、少なくとも１つの更なるエレクトロウェッティング素子によって互いから離してもよい。
【０１１４】
図２３を参照して、説明を目的として例を示している。図２３では、Ｒ、Ｇ、Ｂ、及びＷ色相にそれぞれ対応する第１の組のサブピクセル領域が存在する。これらのサブピクセル領域はそれぞれ、図２３において、適切なＲ、Ｇ、Ｂ、またはＷ標示に添え字「１」を伴って標示されている。同様に、Ｒ、Ｇ、Ｂ、またはＷ色相に対応する第２の組のサブピクセル領域が、適切なＲ、Ｇ、Ｂ、またはＷ標示に添え字「２」を伴って標示されている。サブピクセル領域Ｇ１及びＧ２はそれぞれ、例えば同じ色相の色効果をもたらすための第１または第２のエレクトロウェッティング素子の第１のフィルタとそれぞれ実質的に重なる異なるエレクトロウェッティング素子の第１のサブピクセル領域と考えてもよい。念のために、第３及び第４の組のサブピクセル領域を、それぞれ添え字「３」及び「４」を用いて同様に標示する。
【０１１５】
表示すべき表示効果に応じて、複数のサブピクセル領域のサブピクセル領域のグループを、当該の表示効果を表示するために選択する。サブピクセル領域のグループは、第１のエレクトロウェッティング素子の第１のサブピクセル領域、または第２のエレクトロウェッティング素子の第１のサブピクセル領域のうちの少なくとも１つを含んでいる。したがって、いくつかの例では、第１のディスプレイユニット（例えばピクセル）に対する第１のピクセルデータに対しては、第１及び第２のエレクトロウェッティング素子それぞれの第１のサブピクセル領域の一方または両方を選択してもよい。
【０１１６】
典型的に、選択されたサブピクセル領域のグループは、例えば、共に複数のサブピクセル領域であるサブピクセル領域の組から選択されたサブピクセル領域のサブ組である。サブピクセル領域のグループの各サブピクセル領域は、必ずしも互いに隣接していなくてもよいし、第１のエレクトロウェッティング素子の第１のサブピクセル領域は、第２のエレクトロウェッティング素子の第１のサブピクセル領域に隣接していなくてもよい。
【０１１７】
次に、図２３及び２４を参照して、第１及び第２のエレクトロウェッティング素子の第１のサブピクセル領域の１つを、表示すべき表示効果に基づいて選択することを例示する。
【０１１８】
図２３に例示するのは、いくつかのエレクトロウェッティング素子における第１の流体の構成である。サブピクセル領域は、適切なＲ、Ｇ、ＢまたはＷ標示に、適切な場合には添え字「１」または「２」を伴って標示されている。第１の流体が隣接する（例えば覆う）各サブピクセル領域の範囲は、表示効果に依存し、電極を用いて各エレクトロウェッティング素子内で印加される電圧によって制御される。各サブピクセル領域の第１の流体カバレージの範囲を図２３及び２４に、対角線上に斜線を引いた陰影付けを用いて示す。したがって、第１の流体によって覆われていない（例えば、露出した）各サブピクセル領域の範囲を、対角線上に斜線を引いた陰影付けがないサブピクセル領域の範囲として示す。
【０１１９】
図２３では、第１の表示効果を例示する。この例では、第１の表示効果が表す表示効果特徴部は、長手軸Ｌ１に沿って形状が長手方向である（特徴は長手軸の方向である）。長手軸Ｌ１は、この例では、図示するように水平軸である。この表示効果を表示するために、エレクトロウェッティング素子のアレイの各エレクトロウェッティング素子の第１の流体は、以下のサブピクセル領域のうちの少なくとも一部を露出するように構成されている。Ｇ１、Ｂ１、Ｒ１、Ｗ１、Ｂ２、Ｒ３、Ｇ４、Ｒ４、Ｂ４、及びＷ４。したがって、以下のサブピクセル領域のうちの少なくとも一部が、したがって第１の流体によって隣接されても（例えば覆われても）よい。Ｒ１、Ｇ２、Ｒ４、Ｗ２、Ｒ２、Ｂ４、Ｗ３、Ｂ１、Ｇ３、及びＲ３。このような直線特徴部の例の更なる詳細について、以下に説明する。
【０１２０】
図２３に対するとは対照的に、図２４に例示するのは、やはり直線特徴であるが、長手軸Ｌ１に実質的に垂直な長手軸Ｌ２を伴う別の第１の表示効果である。したがって、例示するように、第２の長手軸Ｌ２は垂直軸である。図から分かるように、異なる範囲のサブピクセル領域が第１の流体によって覆われ、異なる範囲のサブピクセル領域が第１の流体によって覆われずに、異なる第１の表示効果を表示している。
【０１２１】
例えば、軸Ｌ１による線形表示効果特徴の場合には、サブピクセル領域Ｇ１は覆われていない（例えば、第１の流体と隣接していない）が、軸Ｌ２による異なる線形表示効果特徴の場合には、サブピクセル領域Ｇ１は第１の流体によって覆われている。その代わりに、軸Ｌ１による線形表示効果特徴の場合には、サブピクセル領域Ｇ２は覆われており、サブピクセル領域Ｇ２は第１の流体によって覆われていない。このようにして、特定の色効果（例えば色相、この場合は緑色色相）に対応する異なるサブピクセル領域が、表示すべき第１の表示効果（例えば、長手軸の方向）に基づいて選択される。したがって、第１の表示効果に応じて、第１のエレクトロウェッティング素子の第１のサブピクセル領域をサブピクセル領域のグループに対して選択してもよいし、または第２のエレクトロウェッティング素子の第１のサブピクセル領域をサブピクセル領域のグループに対して選択してもよい。
【０１２２】
サブピクセル領域Ｇ１及びＧ２に対してここで示した例は、ある特定の表示効果を表示するための２つの異なるサブピクセル領域間の選択の一例である。ある特定の表示効果に対して、本方法の例では、更なるサブピクセル領域を、別のサブピクセル領域に優先して選択してもよい。
【０１２３】
サブピクセル領域のグループが選択されたらすぐに、制御システムは次に、各エレクトロウェッティング素子の第１の流体を適切に切り替えるための制御データを出力して、表示効果を表示するために必要な各サブピクセル領域のカバレージ及び／または非カバレージの範囲を得てもよい。制御データを出力することは、例えば、長手軸の第１の方向に基づいて、第１のエレクトロウェッティング素子の第１のサブピクセルを用いて、制御データを、または長手軸の第２の方向に基づいて、第２のエレクトロウェッティング素子の第１のサブピクセルを用いて、制御データを、選択的に出力することを含む。したがって、出力制御データは、第１のグループのサブピクセル領域を用いて第１の表示効果を表示するためである。出力された制御データは、例えば、表示効果を表示するために選択されるサブピクセル領域のグループのサブピクセル領域と重なる各電極に対する電圧レベルに対応する信号であってもよく、その結果、各サブピクセル領域の望ましい第１の流体カバレージを得るために適切な大きさの電圧が各サブピクセル領域に印加される。
【０１２４】
前述したように、表示すべき表示効果に応じて、あるまたは別のサブピクセル領域をサブピクセル領域のグループとして選択してもよい。しかし、アレイ内の他のサブピクセル領域に関して、同じサブピクセル領域を少なくとも２つの異なる表示効果に対して用いてもよい。言い換えれば、異なる表示効果が、共通して、同じサブピクセル領域を有していてもよい。この例を、図２３及び２４を用いて例示する。これらの図では、サブピクセル領域Ｂ１は少なくとも部分的に、図２３の表示効果及び図２４の表示効果の両方に対して、任意の第１の流体によって覆われていない。したがって、例において、第１の表示効果が、第１の方向（例えば、軸Ｌ１に対応する）を伴う線形表示効果特徴部（長手軸に沿って長手方向である）を表す場合、選択されたサブピクセル領域のグループは、第１のエレクトロウェッティング素子の第１のサブピクセル領域を含み、第１の表示効果が、その代わりに第２の方向（例えば、軸Ｌ２に対応する）を伴う線形表示効果特徴を表す場合、選択されたサブピクセル領域のグループは、やはり第１のエレクトロウェッティング素子の第１のサブピクセル領域を含む。当然のことながら、異なる表示効果を得るために他のエレクトロウェッティング素子の同じサブピクセル領域を用いてもよい。例えばサブピクセル領域Ｗ１は、第１の方向の線形表示効果（例えば図２３を参照）と第２の方向の線形表示効果（例えば図２４を参照）との両方に対して、第１の流体によって覆われていなくてもよい。こうして、例えば、線形表示効果特徴の方向とは関係なく、アレイのサブピクセル領域のグループは、アレイのエレクトロウェッティング素子の第２のサブピクセル領域（図２３及び２４に関連して以前の段落で参照した第１のサブピクセル領域とは異なる）を含んでいてもよい。第２のサブピクセル領域は、第２の色効果をもたらすように構成された第２のフィルタと実質的に重なっている。
【０１２５】
当然のことながら、表示する表示効果とは関係なくある特定のサブピクセルを有するピクセルを伴う既知のシステムと比較して、本明細書で説明するエレクトロウェッティング素子のアレイの例を用いて表示効果の表示を制御する方法では、任意の表示効果のためにある特定のサブピクセル（個々のサブピクセル領域に対応する）を用いることを考えなくてもよい。その代わりに、表示効果に基づいて、例えば第１の表示効果の特徴に基づいて用いるある特定のサブピクセル領域を選択することによって、ピクセル（他の場合には、ディスプレイユニットと言う場合がある）のサブピクセルが表示効果に基づいて動的に選択されると考えてもよい。したがって、アレイ内にピクセルの固定構造が何らない状態では、サブピクセル（したがってディスプレイユニット）は可撓性または仮想であると考えてもよい。なぜならば、それは当該の表示効果に対する選択に基づいて変えることができるからである。後述するように、これによって、表示効果の品質を向上させるための利点を与えることができる。例えば、線形表示効果の輝度解像度（例えば、水平方向及び／または垂直方向だが、対角線上も）、表示効果の鮮明度例えば表示効果の縁部の平滑度（例えばテキスト文字の）のいずれかである。
【０１２６】
表示効果を用いて、どのサブピクセル領域をサブピクセル領域のグループとして選択してもよいかを選択するとき、アレイ内のエレクトロウェッティング素子の特定の構造に基づいて、第１の表示効果を、エレクトロウェッティング素子のアレイの少なくとも１つのエレクトロウェッティング素子の個々の表示領域の長さよりも短い最小寸法で表示することができる。これらのエレクトロウェッティング素子は、少なくとも２つの隣接するサブピクセル領域を含んでいてもよい。このように、表示効果特徴部の鮮明度はディスプレイユニットの解像度に限定されない。これは、エレクトロウェッティング素子に対する表示領域のサイズに関係する。その代わりに、異なる（例えば隣接する）エレクトロウェッティング素子の異なるサブピクセル領域を所定の表示効果に対して選択してもよく、すなわち、表示効果特徴部は、最小寸法が表示領域の最大寸法（例えば長さ）より小さくてもよい。実際には、表示効果特徴部の最小寸法をサブピクセル領域の最大寸法（例えば長さ）に限定することさえしなくてもよい。なぜならば、第１の流体が覆うかまたは覆わない各サブピクセル領域の範囲を制御できるために、相対的に明るいかまたは相対的に暗い表示効果特徴部（以下で更に説明する）の最小寸法が、サブピクセル領域の最大寸法（例えば長さ）及びいくつかの例では最小寸法（例えば幅）よりも短い場合があるからである。なぜならば、例えば第１の流体が覆うサブピクセル領域の範囲（したがって、表示効果特徴部の鮮明度）を決めるのは、サブピクセル領域の表面と接触している第１の流体のメニスカスの縁部の位置だからである。
【０１２７】
このように鮮明度が大きいことは、表示効果をより正確に表示することを可能にし、また、例えば、したがってテキストコンテンツ（例えば、個々のテキスト文字）を正確に、また曲線状または直線状の滑らかな縁部を伴って示すために有用である。テキストの表示が向上すると、例えば電子書籍リーダにとって有用であり、本明細書で説明する例のエレクトロウェッティング素子を備える電子書籍リーダ装置のユーザに、テキストがより高品質の画像で示され、その結果、ユーザ経験が向上して、例えばテキストを見たときのユーザに対する疲労が減る。
【０１２８】
当然のことながら、示すべき表示効果を、第１の流体によって覆われたサブピクセル領域の少なくとも１つの範囲と、第１の流体によって覆われていないサブピクセル領域の少なくとも１つの範囲との組み合わせで構成してもよい。したがって、表示効果の形成を助けるのは、サブピクセル領域の覆われた部分と覆われていない部分との間の縁部であり、したがって、表示効果において結果として得られるコントラストである。このことを念頭において、表示効果特徴部、例えば表示効果の構成要素（構成要素は、例えば線形表示効果特徴、例えばストライプであってもよい）は、相対的に明るい表示効果特徴部または相対的に暗い表示効果特徴部に対応してもよい。このような例では、第１の表示効果の形状が第１の表示効果の特徴であってもよく、サブピクセルのグループを選択することは形状に基づいてもよい。入力表示効果データが示すのが、相対的に暗い表示効果特徴部なのかまたは明るい表示効果特徴部なのかに応じて、サブピクセル領域のグループの選択を、第１の流体によって少なくとも部分的に覆われていないことに対して行うのか、または第１の流体によって少なくとも部分的に覆われていることに対して行うのかに影響が出る。したがって、出力された制御データは、表示効果に基づいて選択されたグループの各サブピクセル領域に対する個々の流体カバレージ範囲（第１の流体の）を示してもよい。更に、または他の例では、出力された制御データは、表示効果に基づいて選択されたグループの各サブピクセル領域に対する個々の流体非カバレージ範囲（第１の流体の）を示してもよい。
【０１２９】
典型的に、語句「相対的に暗い表示効果特徴部」は、例えばサブピクセル領域の覆われていない部分と比べて暗い表示効果特徴部である。したがって、相対的に暗い表示効果特徴部は、例では、第１の流体によって覆われたサブピクセル領域の少なくとも一部分によって形成され、この部分に対応する表示効果特徴部に対応してもよい。したがって、例では、相対的に暗い表示効果特徴部は、暗い色（例えば黒色）でなくても低輝度を伴う別の色でなくてもよいが、例えばサブピクセル領域の覆われていない部分よりも暗い色であってもよい。
【０１３０】
同様に、典型的に、語句「相対的に明るい表示効果特徴部」は、例えばサブピクセル領域の覆われた部分と比べて明るい表示効果特徴部である。したがって、相対的に明るい表示効果特徴部は、例では、第１の流体によって覆われていないサブピクセル領域の少なくとも一部分によって形成され、この部分に対応する表示効果特徴部に対応してもよい。したがって、例では、相対的に明るい表示効果特徴部は明るい色（例えば白色）ではなくてもまたは高輝度を伴う別の色でなくてもよいが、例えばサブピクセル領域の覆われた部分よりも明るい色であってもよい。
【０１３１】
いくつかの例では、相対的に暗い表示効果特徴部と選択されたサブピクセル領域のグループとは、少なくとも２つの隣接するサブピクセル領域を含んでおり、出力された制御データは、少なくとも２つの隣接するサブピクセル領域それぞれの流体カバレージ範囲を示す制御データを含んでいる。例えば、少なくとも２つの隣接するサブピクセル領域それぞれに対する流体カバレージ範囲は、少なくとも２つの隣接するサブピクセル領域それぞれの個々の範囲に実質的に等しい（例えば、許容できるカバレージ許容範囲内で）。このように、サブピクセル領域が互いに隣接している場合、複数のサブピクセル領域に及ぶ暗い表示特徴部を形成してもよい。言い換えれば、複数の隣接したサブピクセル領域のサブピクセル領域を覆う第１の流体は、相対的に暗い表示効果特徴部を形成する覆われたサブピクセル領域のクラスタを一緒に形成する。こうして、相対的に暗いかまたは相対的に明るい表示効果特徴部の形状を一緒に形成するサブピクセルを選択してもよい。
【０１３２】
このような特徴部は例えば、例えば各エレクトロウェッティング素子の第１の流体が相対的に暗色の第１の流体である相対的に暗いストライプであってもよい。ストライプは、例えば、バンドまたは他の直線特徴部であって長手軸に沿ってほぼ均一な厚さを有するものである。
【０１３３】
このようなストライプ表示効果特徴部は、アレイを用いてテキストを表示するのに有用な場合がある。例えば、テキスト文字は、テキスト文字を形成するために他の直線特徴部のストライプが必要である。更に、相対的に暗い表示効果特徴部に対して曲線状縁部が望ましい場合には、少なくとも１つのエレクトロウェッティング素子の第１の流体の縁部を制御して好適な形状の非直線的縁部を形成し、必要な特徴部を表示してもよい。各エレクトロウェッティング素子に対する第１の流体縁部を制御できることによって、表示効果特徴部を表示するためのかなりの粒度の制御が、したがって表示効果を表示するためのより大きな鮮明度が得られる。
【０１３４】
同様の説明が、相対的に明るい表示効果特徴部に対して適用される。選択されたグループサブピクセル領域は、個々のエレクトロウェッティング素子内で第１の流体によって覆われないために少なくとも２つの隣接するサブピクセル領域を含んでいて、互いに隣接するサブピクセル領域の複数の覆われていない部分範囲及び／または覆われていない全範囲のクラスタを形成して、相対的に明るい表示効果特徴部を形成する。
【０１３５】
このような表示効果はストライプ表示効果特徴部であってもよく、また例えば図２３に見られ得る。図では、軸Ｌ１に沿って生じる線形表示効果がストライプであると考えられる。なお、このストライプは軸Ｌ１に対するストライプの長さに沿って平行な直辺を有していないが、この特徴部はそれでも、各エレクトロウェッティング素子に対して第１の流体縁部を位置決めする限界内でストライプである（これは、エレクトロウェッティング素子の特定の構造及びアレイ内でのそれらの互いに対する位置決めに基づく）ということに基づいて、ストライプであると考えられる。実際には、アレイの視認者に対して、ストライプの直辺（長手軸Ｌ１に平行である）にわずかでも不規則性があると、アレイを視認する適切な距離において、合併して、より真っ直ぐなサイドストライプのように見える。同様の説明が、異なる軸Ｌ２を伴う図２４に示すストライプに適用される。このような相対的に明るい特徴部（例えばストライプ）は、視認者にテキストを表示して、例えばテキストの線間に透明で明るいストライプまたはバンドをもたらして、例えば好適なコントラストを与えて、視認者にテキストをより明瞭に表示するのに有用な場合がある。また、テキスト文字の部分の間またはテキスト文字それ自体の間に相対的に明るい領域があることも、テキストを表示するのに必要であり、したがって、その形状及び輝度も表示テキストの品質に寄与する。
【０１３６】
理解されるように、エレクトロウェッティング素子のアレイの異なるサブピクセル領域に対応する色効果を、製造すべき特定のエレクトロウェッティング素子のアレイに基づいて選択してもよい。更に、表示すべき表示効果に対する色域に応じて、色効果したがってカラーフィルタ色相の選択をそれ相応に選択してもよい。
【０１３７】
図２３及び２４の例では、例示したストライプ表示効果は、緑色及び白色表示効果に対応するサブピクセル領域に対応する。緑色及び白色表示効果は、前述した通り、これらのサブピクセル領域が長手軸に沿って隣接しているために、他の組み合わせの色効果を用いる場合よりも明るいストライプを与える。したがって、それらのエレクトロウェッティング素子の適切なエレクトロウェッティング素子構造とアレイレイアウトとを用いて、ここの例で説明した制御方法を用いることによって、垂直及び／または水平輝度解像度が既知のシステムと比べて向上され得る。
【０１３８】
いくつかの例、例えば図２５及び２６のそれにおいて、エレクトロウェッティング素子のアレイは第１のエレクトロウェッティング素子を含んでいる。第１のエレクトロウェッティング素子は、第１の色効果をもたらすように構成された第１のフィルタと実質的に重なる第１のサブピクセル領域、第２の色効果をもたらすように構成された第２のフィルタと実質的に重なる第２のサブピクセル領域、及び第３の色効果をもたらすように構成された第３のフィルタと実質的に重なる第３のカラーフィルタを伴っている。アレイは更に第２のエレクトロウェッティング素子を含んでいる。第２のエレクトロウェッティング素子も、第１の色効果をもたらすように構成された第１のフィルタと実質的に重なる第１のサブピクセル領域、第２の色効果をもたらすように構成された第２のフィルタと実質的に重なる第２のサブピクセル領域、及び第３の色効果をもたらすように構成された第３のフィルタと実質的に重なる第３のカラーフィルタを伴っている。いくつかの例では、第１、第２、及び第３の色効果は、赤色色相、緑色色相、または青色色相のうちの異なる１つであり、したがって、エレクトロウェッティング素子は、例えばフルカラー表示効果を形成するための赤色、緑色、及び青色（ＲＧＢ）色効果能力を有している。エレクトロウェッティング素子は更に、例えば白色（Ｗ）表示効果に対応するサブピクセル領域を含んでいてもよい。したがって、いくつかの例では、エレクトロウェッティング素子がＲＧＢＷエレクトロウェッティング素子であると考えてもよい。
【０１３９】
異なるエレクトロウェッティング素子の第１の流体を、サブピクセル領域のグループのサブピクセル領域を選択することによってどのように制御して、異なる表示効果を表示するかについての更なる例を、次に図２３〜３０を用いて例示する。これらの例の多くにおいて、相対的に明るい及び／または相対的に暗い表示効果（例えばストライプ）を示す。しかし当然のことながら、本明細書で説明するエレクトロウェッティング素子のアレイを用いて、他の表示効果（例えば非直線）が考えられる。実際には、サブピクセル領域のグループを選択する方法は、表示効果の形状（例えば第１のピクセルデータによって表される第１の表示効果）、表示効果の線形性、表示効果の最小寸法、表示効果の最大寸法、または表示効果の色のうちの少なくとも１つに基づいてもよい（例えば、第１の表示効果の特徴は所定の色であり、サブピクセルのグループを選択することは、所定の色を一緒に実質的に形成するサブピクセルを選択することである。色は白色であってもよく、この場合、少なくとも１つの赤色色相サブピクセル、少なくとも１つの緑色色相サブピクセル、及び少なくとも１つの青色色相サブピクセルのほぼ等しい数を選択してもよい）。このような例では、本方法は、第１のピクセルデータを分析して第１の表示効果の少なくとも１つの特徴を決定すること、第１のピクセルデータを分析して第１の表示効果の少なくとも１つの特徴を決定すること、及びエレクトロウェッティング素子のアレイの複数のサブピクセル上に第１の表示効果を空間的にマッピングすることを含んでいてもよい。エレクトロウェッティング素子のアレイのサブピクセルのグループを選択することは、第１の表示効果に空間的にマッピングされたエレクトロウェッティング素子のアレイのサブピクセルを選択することを含んでいてもよい。
【０１４０】
前述したように、表示効果を表示するために利用可能な鮮明度が増加すると、サブピクセル領域のグループを選択することは、したがって、入力表示効果データに対する場所の各点における色効果をディスプレイ素子のアレイの各ピクセルの場所を用いてマッピングする既知のシステムではなくて、このような色効果ををエレクトロウェッティング素子の各サブピクセル領域の場所を用いてマッピングすることに基づいてもよい。したがって、より粒度の細かいアプローチを、表示効果をより正確にまたより高い鮮明度で表示するために適用してもよい。更に、同じ色効果と、表示効果をより正確に表示するためのアレイ内の適切な位置とを与えるサブピクセル領域を選択するために、表示効果の所定の色に対して、同じ色効果に対応するいくつかのサブピクセル領域を、その表示効果にとって必要な場所の点の概ね周囲から選択してもよい。
【０１４１】
図２５及び２６を参照して、図１２を参照して前述したものと同様のエレクトロウェッティング素子のアレイを例示する。このようなエレクトロウェッティング素子は、この例ではそれぞれ矩形であり、Ｒ、Ｇ、及びＢ色効果にそれぞれ対応する３つのサブピクセル領域を含み、白色フィルタが、Ｒ、Ｇ、及びＢ表示効果に対応する隣接するサブピクセル領域の間にある。これは、図１２を参照して前述した通りである。線形表示効果を図２５及び２６それぞれに示す。前述したＬ１及びＬ２と標示される軸を有するものに対応する。対応する説明がここでも適用されると理解しなければならない。
【０１４２】
図２７及び図２８を参照して、図２１を参照して前述したものと同様のエレクトロウェッティング素子のアレイを例示する。このようなエレクトロウェッティング素子はそれぞれ、この例では三角形である。線形表示効果を図２７及び２８それぞれに示す。これらは、前述したＬ１及びＬ２と標示される軸を有するものに対応する。対応する説明がここでも適用されると理解しなければならない。
【０１４３】
図２９及び図３０を参照して、図２２を参照して前述したものと同様のエレクトロウェッティング素子のアレイを例示する。このようなエレクトロウェッティング素子はそれぞれ、この例では六角形である。線形表示効果を図２９及び３０それぞれに示す。これらは、前述したＬ１及びＬ２と標示される軸を有するものに対応する。対応する説明がここでも適用されると理解しなければならない。
【０１４４】
当然のことながら、図２３〜３０は、本明細書で説明する制御方法に対して用いてもよい他のアレイ実施態様の例である。当業者であれば分かるように、本明細書で説明する他のアレイを用いてもよい。
【０１４５】
前述の例は例示的な実施例として理解されたい。更なる例が、例えば以下の番号付けした条項により考えられる。
【０１４６】
図３２に、システム例の系統図を概略的に示す。システム例は例えば装置６４であり、以下のものを含む。エレクトロウェッティングディスプレイ素子、エレクトロウェッティングディスプレイユニット、エレクトロウェッティングディスプレイ素子のアレイ、またはエレクトロウェッティングディスプレイユニット例えば前述した例のいずれかのアレイである。装置は、例えば携帯型（例えばモバイル）装置、例えば電子リーダ装置例えばいわゆる「電子書籍リーダ」、タブレットコンピューティング装置、ラップトップコンピューティング装置、移動体通信装置、腕時計または人工衛星ナビゲーション装置である。装置は代替的に、ディスプレイスクリーンを必要とする任意の機械または装置（例えば消費材）内に取り付けるためのディスプレイスクリーンであってもよい。
【０１４７】
系統図は、装置６４の基本的なハードウェアアーキテクチャの例を例示している。装置は少なくとも１つのプロセッサ６６を含んでいる。プロセッサ６６は、例えば以下のものに接続されて、したがってそれらとデータ通信する。ディスプレイ装置コントロールサブシステム６８、通信サブシステム７０、ユーザ入力サブシステム７２、電源サブシステム７４、及びシステム記憶装置７６。ディスプレイ装置コントロールサブシステムがディスプレイ装置に接続され、したがってこれとデータ通信する。少なくとも１つのプロセッサ６６は、例えば、汎用プロセッサ、マイクロプロセッサ、デジタルシグナルプロセッサ（ＤＳＰ）、特定用途向け集積回路（ＡＳＩＣ）、フィールドプログラマブルゲートアレイ（ＦＰＧＡ）または他のプログラマブルロジック装置、ディスクリートゲートまたはトランジスタロジック、ディスクリートハードウェア構成要素、または任意の好適なそれらの組み合わせであって、本明細書で説明する機能を行うようにデザインされたものである。またプロセッサを、コンピューティング装置の組み合わせとして実施してもよい。例えば、ＤＳＰ及びマイクロプロセッサ、複数のマイクロプロセッサ、ＤＳＰコアと連結した１つ以上のマイクロプロセッサ、または何らかの他のこのような構成の組み合わせである。プロセッサを１つ以上のバスを介して結合して、１つ以上のメモリ（例えば、システム記憶装置７６のそれら）との間で情報を読み書きしてもよい。少なくとも１つのプロセッサは更に、または代替的に、メモリ例えばプロセッサレジスタを含んでいる。
【０１４８】
ディスプレイ装置コントロールサブシステム６８は例えば、エレクトロウェッティングディスプレイ素子のいずれかに電圧を印加して、異なるこのようなディスプレイ素子をアドレス指定するのに用いるエレクトロウェッティングディスプレイ素子ドライバ構成要素を含んでいる。例では、エレクトロウェッティングディスプレイ素子はアクティブマトリックス構成により構成されており、ディスプレイ装置コントロールサブシステムは、ディスプレイ装置のスイッチング素子例えば薄膜トランジスタ（ＴＦＴ）を、エレクトロウェッティングディスプレイ素子を制御する回路を介して制御するように構成されている。回路は信号及び制御ライン例えば前述したものを含んでいてもよい。
【０１４９】
通信サブシステム７０は例えば、装置が例えばコンピューティング装置と、データネットワーク、例えばコンピュータネットワーク例えばインターネット、ローカルエリアネットワーク、ワイドエリアネットワーク、電気通信ネットワーク、有線ネットワーク、無線ネットワーク、または何らかの他のタイプのネットワークを介して通信するように構成されている。通信サブシステム７０は更に、例えば以下のものを含んでいてもよい。入出力（Ｉ／Ｏ）インターフェース、例えばユニバーサルシリアルバス（ＵＳＢ）接続、ブルートゥース若しくは赤外線接続、またはデータネットワークインターフェース（装置をデータネットワーク例えば前述したものいずれかに接続するためのもの）。後で説明するコンテンツデータを通信サブシステムを介して装置に転送してもよい。
【０１５０】
ユーザ入力サブシステム７２は例えば、入力を装置のユーザから受け取るための入力装置を含んでいてもよい。入力装置例としては以下が挙げられる（しかしこれらに限定されない）。キーボード、ローラーボール、ボタン、キー、スイッチ、ポインティング装置、マウス、ジョイスティック、リモートコントロール、赤外線検出器、音声認識システム、バーコードリーダ、スキャナ、ビデオカメラ（可能性として、ビデオ処理ソフトウェアと結合されて、例えば、手ジェスチャまたは顔ジェスチャを検出する）、動き検出器、マイクロフォン（可能性として、オーディオ処理ソフトウェアと結合されて、例えば、音声コマンドを検出する）、または他の装置であって、ユーザから装置へ情報を送信することが可能なもの。また入力装置は、ディスプレイ装置に付随するタッチスクリーンという形を取ってもよい。この場合、ユーザがタッチによってディスプレイ装置上のプロンプトに応答する。ユーザは、テキストの情報を入力装置例えばキーボードまたはタッチスクリーンを通して入力してもよい。
【０１５１】
装置はまた、例えば装置のユーザに出力を送るための出力装置を含むユーザ出力サブシステム（例示せず）を含んでいてもよい。例としては以下が挙げられる（しかしこれらに限定されない）。印刷装置、音響出力装置（例えば１つ以上のスピーカ、ヘッドフォン、イヤホン、アラームを含む）、または触覚の出力装置。出力装置は、説明した他の出力装置のうちの１つ（例えばイヤホン）に接続するためのコネクタポートであってもよい。
【０１５２】
電源サブシステム７４は、例えば、装置が消費する電力を伝達及び制御するときに用いる電源回路８０を含んでいてもよい。電力は、メイン電力供給によってまたは電源回路を介して電池７８から与えてもよい。電源回路を更に、メイン電力供給から電池に充電するために用いてもよい。
【０１５３】
システム記憶装置７６は、少なくとも１つのメモリ（例えば、揮発性メモリ８２及び不揮発性メモリ８４のうちの少なくとも１つ）を含み、非一時的なコンピュータ可読記憶媒体を含んでいてもよい。揮発性メモリは、例えばランダムアクセスメモリ（ＲＡＭ）であってもよい。不揮発性（ＮＶ）メモリは、例えばソリッドステートドライブ（ＳＳＤ）例えばフラッシュメモリ、または読み出し専用メモリ（ＲＯＭ）であってもよい。更にストレージ技術を用いてもよい、例えば磁気、光学、またはテープ媒体、コンパクトディスク（ＣＤ）、デジタル多用途ディスク（ＤＶＤ）、ブルーレイ、または他のデータ記憶媒体である。揮発性及び／または不揮発性メモリはリムーバブルまたは非リムーバブルであってもよい。
【０１５４】
メモリのいずれかによって、装置（例えば、装置の構成要素またはサブシステム）を制御するためのデータを記憶してもよい。このようなデータは、例えば、コンピュータ可読及び／または実行可能命令（例えば、コンピュータプログラム命令）の形態であってもよい。したがって、少なくとも１つのメモリ及びコンピュータプログラム命令を、少なくとも１つのプロセッサを用いて、エレクトロウェッティングディスプレイ装置がもたらす表示効果を制御するように構成してもよい。
【０１５５】
図３２の例では、揮発性メモリ８２は、例えば、ディスプレイ装置が与えるべき表示効果を示すディスプレイ装置データ８６を記憶する。プロセッサ６６は、ディスプレイ装置データに基づいて、ディスプレイ装置コントロールサブシステム６８にデータを送信してもよい。ディスプレイ装置コントロールサブシステム６８は次に、ディスプレイ装置に信号を出力して、ディスプレイ素子に電圧を印加し、ディスプレイ装置からの表示効果を実現する。不揮発性メモリ８４は、例えば、プログラムデータ８８及び／またはコンテンツデータ９０を記憶する。プログラムデータは、例えば、コンピュータ実行可能命令を、例えばコンピュータソフトウェアの形態で表すデータであって、装置がアプリケーションまたはプログラムモジュールを実行して、装置または装置の構成要素若しくはサブシステムがある特定の機能またはタスクを行うための、及び／または装置の構成要素またはサブシステムを制御するためのデータである。例えば、アプリケーションまたはプログラムモジュールデータは、ルーチン、プログラム、オブジェクト、構成要素、データ構造、または同様のものいずれかを含んでいる。コンテンツデータは例えば、例えばユーザ用のコンテンツを表すデータである。このようなコンテンツは、任意の形態の媒体、例えばテキスト、少なくとも１つの画像またはその一部、少なくとも１つのビデオまたはその一部、少なくとも１つの音または音楽またはその一部を表してもよい。画像またはその一部を表すデータは例えば、エレクトロウェッティングディスプレイ装置の少なくとも１つのエレクトロウェッティング素子によって与えられるべき表示効果を表している。コンテンツデータは、コンテンツのライブラリを表すデータを含んでいてもよく、例えば、本、定期刊行物、新聞、映画、ビデオ、音楽、またはポッドキャスト（それぞれ、例えば、１つの本または１つの映画を表すデータ収集によって表される場合がある）のいずれかのライブラリである。このようなデータ収集は１つのタイプのコンテンツデータを含んでいてもよいが、その代わりに、異なるタイプのコンテンツデータの混合物を含んでいてもよい。例えば、映画を、少なくとも画像データと音データを含むデータによって表してもよい。
【０１５６】
当然のことながら、いずれか一つの例に関連して説明した任意の特徴部を単独で用いてもよいし、または説明した他の特徴部と組み合わせて用いてもよく、また任意の他の例または任意の他の例の任意の組み合わせの１つ以上の特徴部と組み合わせて用いてもよい。更に、前述していない均等物及び変更も添付の請求項の範囲から逸脱することなく用いてもよい。
【０１５７】
条項
Ａ１．エレクトロウェッティングピクセルであって、
表面を有する支持プレートと、
第１のエレクトロウェッティング素子であって、
第１のサブピクセルであって、
前記表面の第１のサブピクセル領域と実質的に重なる第１のカラーフィルタと、
第１の電極と、を含む前記第１のサブピクセルと、
第２のサブピクセルであって、
前記表面の第２のサブピクセル領域と実質的に重なる第２のカラーフィルタと、
第２の電極と、を含む前記第２のサブピクセルと、
前記第１の電極または前記第２の電極のうちの少なくとも一方を用いて印加される少なくとも第１の電圧に基づいて、前記第１のサブピクセル領域または前記第２のサブピクセル領域の少なくとも一方に隣接するように設定可能である第１の流体と、
前記第１の流体と混合しない第２の流体と、を含む前記第１のエレクトロウェッティング素子と、
前記第１のエレクトロウェッティング素子と隣接する第２のエレクトロウェッティング素子であって、
第３のサブピクセルであって、
前記表面の第３のサブピクセル領域と実質的に重なる第３のカラーフィルタと、
第３の電極と、を含む前記第３のサブピクセルと、
第４のサブピクセルであって、
前記表面の第４のサブピクセル領域と実質的に重なる第４のカラーフィルタと、
第４の電極と、を含む前記第４のサブピクセルと、
前記第３の電極または前記第４の電極のうちの少なくとも一方を用いて印加される少なくとも第２の電圧に基づいて、前記第３のサブピクセル領域または前記第４のサブピクセル領域の少なくとも一方に隣接するように設定可能である第３の流体と、
前記第３の流体と混合しない第４の流体と、を含む前記第２のエレクトロウェッティング素子と、を含む前記エレクトロウェッティングピクセル。
【０１５８】
Ａ２．前記第１のカラーフィルタは赤色色相フィルタであり、
前記第２のカラーフィルタは青色色相フィルタであり、
前記第３のカラーフィルタは緑色色相フィルタであり、
前記第４のカラーフィルタは白色フィルタである、条項Ａ１に記載のエレクトロウェッティングピクセル。
【０１５９】
Ａ３．前記第１のカラーフィルタは緑色色相フィルタであり、
前記第２のカラーフィルタは青色色相フィルタであり、
前記第３のカラーフィルタは赤色色相フィルタであり、
前記第４のカラーフィルタは白色フィルタである、条項Ａ１に記載のエレクトロウェッティングピクセル。
【０１６０】
Ａ４．前記第１のカラーフィルタまたは前記第２のカラーフィルタの少なくとも一方は赤色色相フィルタであり、前記第３のカラーフィルタまたは前記第４のカラーフィルタの少なくとも一方は緑色色相フィルタである、条項Ａ１に記載のエレクトロウェッティングピクセル。
【０１６１】
Ａ５．前記第１のカラーフィルタまたは前記第２のカラーフィルタの少なくとも一方は青色カラーフィルタであり、前記第３のカラーフィルタまたは前記第４のカラーフィルタの少なくとも一方は白色フィルタである、条項Ａ１に記載のエレクトロウェッティングピクセル。
【０１６２】
Ａ６．前記第１の流体は、前記第２のサブピクセル領域または前記第１のサブピクセル領域にそれぞれ隣接することなく、前記第１のサブピクセル領域または前記第２のサブピクセル領域の実質的に１つに隣接するように設定可能である、条項Ａ１に記載のエレクトロウェッティングピクセル。
【０１６３】
Ａ７．前記第３の流体は、前記第４のサブピクセル領域または前記第３のサブピクセル領域にそれぞれ隣接することなく、前記第３のサブピクセル領域または前記第４のサブピクセル領域の実質的に１つに隣接するように設定可能である、条項Ａ１に記載のエレクトロウェッティングピクセル。
【０１６４】
Ａ８．更に、前記支持プレートの前記表面上の壁であって、前記第１のサブピクセル領域と前記第３のサブピクセル領域との間に位置し、前記第２のサブピクセル領域と前記第４のサブピクセル領域との間に位置する前記壁を含む、条項Ａ１に記載のエレクトロウェッティングピクセル。
【０１６５】
Ａ９．前記第１のカラーフィルタまたは前記第２のカラーフィルタの少なくとも一方は前記第１のエレクトロウェッティング素子の第１の縁部まで延び、前記第３のカラーフィルタまたは前記第４のカラーフィルタの少なくとも一方は前記第２のエレクトロウェッティング素子の第１の縁部まで延びる、条項Ａ１に記載のエレクトロウェッティングピクセル。
【０１６６】
Ａ１０．エレクトロウェッティングピクセルのアレイであって、
表面を有する支持プレートと、
第１のピクセルであって、
第１のエレクトロウェッティング素子であって、
第１のサブピクセルであって、
前記表面の第１のサブピクセル領域と実質的に重なる第１のカラーフィルタと、
第１の電極と、を含む前記第１のサブピクセルと、
第２のサブピクセルであって、
前記表面の第２のサブピクセル領域と実質的に重なる第２のカラーフィルタと、
第２の電極と、を含む前記第２のサブピクセルと、
前記第１の電極または前記第２の電極のうちの少なくとも一方を用いて印加される少なくとも第１の電圧に基づいて、前記第１のサブピクセル領域または前記第２のサブピクセル領域の少なくとも一方に隣接するように設定可能である第１の流体と、
前記第１の流体と混合しない第２の流体と、を含む前記第１のエレクトロウェッティング素子と、
前記第１のエレクトロウェッティング素子と隣接する第２のエレクトロウェッティング素子であって、
第３のサブピクセルであって、
前記表面の第３のサブピクセル領域と実質的に重なる第３のカラーフィルタと、
第３の電極と、を含む前記第３のサブピクセルと、
第４のサブピクセルであって、
前記表面の第４のサブピクセル領域と実質的に重なる第４のカラーフィルタと、
第４の電極と、を含む前記第４のサブピクセルと、
前記第３の電極または前記第４の電極のうちの少なくとも一方を用いて印加される少なくとも第２の電圧に基づいて、前記第３のサブピクセル領域または前記第４のサブピクセル領域の少なくとも一方に隣接するように設定可能である第３の流体と、
前記第３の流体と混合しない第４の流体と、を含む前記第２のエレクトロウェッティング素子と、を含む前記第１のピクセルと、
第２のピクセルであって、
第３のエレクトロウェッティング素子であって、
第５のサブピクセルであって、
前記表面の第５のサブピクセル領域と実質的に重なる第５のカラーフィルタと、
第５の電極と、を含む前記第５のサブピクセルと、
第６のサブピクセルであって、
前記表面の第６のサブピクセル領域と実質的に重なる第６のカラーフィルタと、
第６の電極と、を含む前記第６のサブピクセルと、
前記第５の電極または前記第６の電極のうちの少なくとも一方を用いて印加される少なくとも第３の電圧に基づいて、前記第５のサブピクセル領域または前記第６のサブピクセル領域の少なくとも一方に隣接するように設定可能である第５の流体と、
前記第５の流体と混合しない第６の流体と、を含む前記第３のエレクトロウェッティング素子と、
前記第３のエレクトロウェッティング素子と隣接する第４のエレクトロウェッティング素子であって、
第７のサブピクセルであって、
前記表面の第７のサブピクセル領域と実質的に重なる第７のカラーフィルタと、
第７の電極と、を含む前記第７のサブピクセルと、
第８のサブピクセルであって、
前記表面の第８のサブピクセル領域と実質的に重なる第８のカラーフィルタと、
第８の電極と、を含む前記第８のサブピクセルと、
前記第７の電極または前記第８の電極のうちの少なくとも一方を用いて印加される少なくとも第４の電圧に基づいて、前記第７のサブピクセル領域または前記第８のサブピクセル領域の少なくとも一方に隣接するように設定可能である第７の流体と、
前記第７の流体と混合しない第８の流体と、を含む前記第４のエレクトロウェッティング素子と、を含む前記第２のピクセルと、を含む前記エレクトロウェッティングピクセルのアレイ。
【０１６７】
Ａ１１．前記第１のエレクトロウェッティングピクセルは第１のアレイ列内にあり、前記第２のエレクトロウェッティングピクセルは、前記第１のアレイ列に隣接する第２のアレイ列内にあり、前記第４のサブピクセル領域は前記第７のサブピクセル領域に隣接する、条項Ａ１０に記載のアレイ。
【０１６８】
Ａ１２．前記第１のエレクトロウェッティングピクセルは第１のアレイ列内にあり、前記第２のエレクトロウェッティングピクセルは、前記第１のアレイ列に隣接する第２のアレイ列内にあり、前記第４のサブピクセル領域は前記第５のサブピクセル領域に隣接する、条項Ａ１０に記載のアレイ。
【０１６９】
Ａ１３．前記第１のカラーフィルタは、前記第５のカラーフィルタと実質的に同じ色相に対するものであり、前記第２のカラーフィルタは、前記第６のカラーフィルタと実質的に同じ色相に対するものであり、前記第３のカラーフィルタは、前記第７のカラーフィルタと実質的に同じものに対するものである、条項Ａ１０に記載のアレイ。
【０１７０】
Ａ１４．前記第１のカラーフィルタは
緑色色相フィルタであり、
前記第２のカラーフィルタは青色色相フィルタであり、
前記第３のカラーフィルタは赤色色相フィルタであり、
前記第４のカラーフィルタは白色フィルタである、条項Ａ１３に記載のアレイ。
【０１７１】
Ａ１５．前記第１のカラーフィルタは
赤色色相フィルタであり、
前記第２のカラーフィルタは青色色相フィルタであり、
前記第３のカラーフィルタは緑色色相フィルタであり、
前記第４のカラーフィルタは白色フィルタである、条項Ａ１３に記載のアレイ。
【０１７２】
Ａ１６．更に、前記支持プレートの前記表面上の第１の壁であって、前記第１のサブピクセル領域と前記第３のサブピクセル領域との間に位置し、前記第２のサブピクセル領域と前記第４のサブピクセル領域との間に位置する前記第１の壁と、
前記支持プレートの前記表面上の第２の壁であって、前記第５のサブピクセル領域と前記第７のサブピクセル領域との間に位置し、前記第６のサブピクセル領域と前記第８のサブピクセル領域との間に位置する前記第２の壁と、を含む、条項Ａ１０に記載のアレイ。
【０１７３】
Ａ１７．前記第１のカラーフィルタまたは前記第２のカラーフィルタの少なくとも一方は前記第１のエレクトロウェッティング素子の縁部まで延び、
前記第３のカラーフィルタまたは前記第４のカラーフィルタの少なくとも一方は前記第２のエレクトロウェッティング素子の縁部まで延び、
前記第５のカラーフィルタまたは前記第６のカラーフィルタの少なくとも一方は前記第３のエレクトロウェッティング素子の縁部まで延び、
前記第７のカラーフィルタまたは前記第８のカラーフィルタの少なくとも一方は第４のエレクトロウェッティング素子の縁部まで延びる、条項Ａ１０に記載のアレイ。
【０１７４】
Ａ１８．エレクトロウェッティングディスプレイ装置であって、
エレクトロウェッティングピクセルのアレイであって、
表面を有する支持プレートと、
前記エレクトロウェッティングピクセルのアレイのそれぞれの個々のエレクトロウェッティングピクセルであって、
第１のエレクトロウェッティング素子であって、
第１のサブピクセルであって、
前記表面の第１のサブピクセル領域と実質的に重なる第１のカラーフィルタと、
第１の電極と、を含む前記第１のサブピクセルと、
第２のサブピクセルであって、
前記表面の第２のサブピクセル領域と実質的に重なる第２のカラーフィルタと、
第２の電極と、を含む前記第２のサブピクセルと、
前記第１の電極または前記第２の電極のうちの少なくとも一方を用いて印加される少なくとも第１の電圧に基づいて、前記第１のサブピクセル領域または前記第２のサブピクセル領域の少なくとも一方に隣接するように設定可能である第１の流体と、
前記第１の流体と混合しない第２の流体と、を含む前記第１のエレクトロウェッティング素子と、
前記第１のエレクトロウェッティング素子に隣接する第２のエレクトロウェッティング素子であって、
第３のサブピクセルであって、
前記表面の第３のサブピクセル領域と実質的に重なる第３のカラーフィルタと、
第３の電極と、を含む前記第３のサブピクセルと、
第４のサブピクセルであって、
前記表面の第４のサブピクセル領域と実質的に重なる第４のカラーフィルタと、
第４の電極と、を含む前記第４のサブピクセルと、
前記第３の電極または前記第４の電極のうちの少なくとも一方を用いて印加される少なくとも第２の電圧に基づいて、前記第３のサブピクセル領域または前記第４のサブピクセル領域の少なくとも一方に隣接するように設定可能である第３の流体と、
前記第３の流体と混合しない第４の流体と、を含む前記第２のエレクトロウェッティング素子と、を含む前記それぞれの個々のエレクトロウェッティングピクセルと、を含む前記エレクトロウェッティングピクセルのアレイと、
少なくとも１つのプロセッサと、
コンピュータプログラム命令を含む少なくとも１つのメモリであって、前記少なくとも１つのメモリと前記コンピュータプログラム命令とは、前記少なくとも１つのプロセッサとともに、前記エレクトロウェッティングピクセルのアレイのそれぞれの個々のエレクトロウェッティングピクセルの前記第１の流体、前記第２の流体、前記第３の流体、及び前記第４の流体の構成を制御するように構成されている、前記少なくとも１つのメモリと、を含む前記エレクトロウェッティングディスプレイ装置。
【０１７５】
Ａ１９．前記第１のカラーフィルタは
緑色色相フィルタであり、
前記第２のカラーフィルタは青色色相フィルタであり、
前記第３のカラーフィルタは緑色色相フィルタであり、
前記第４のカラーフィルタは白色フィルタである、条項Ａ１８に記載のエレクトロウェッティングディスプレイ装置。
【０１７６】
Ａ２０．前記第１のカラーフィルタは
赤色色相フィルタであり、
前記第２のカラーフィルタは青色色相フィルタであり、
前記第３のカラーフィルタは緑色色相フィルタであり、
前記第４のカラーフィルタは白色フィルタである、条項Ａ１８に記載のエレクトロウェッティングディスプレイ装置。
【０１７７】
Ａ２１．前記第１のサブピクセルと前記第３のサブピクセルとは、所定のディスプレイ水平軸から実質的に４５°の列軸角度オフセットを有する列軸上に配置されている、条項Ａ１８に記載のエレクトロウェッティングディスプレイ装置。
【０１７８】
Ａ２２．前記第２のサブピクセルと前記第４のサブピクセルとは、所定のディスプレイ水平軸から実質的に４５°の列軸角度オフセットを有する列軸上に配置されている、条項Ａ２１に記載のエレクトロウェッティングディスプレイ装置。
【０１７９】
Ｂ１．エレクトロウェッティング素子であって、
表面を有する支持プレートと、
第１のサブピクセルであって、
前記表面の第１のサブピクセル領域と実質的に重なる第１のカラーフィルタと、
第１の電極と、を含む前記第１のサブピクセルと、
第２のサブピクセルであって、
前記表面の前記第２のサブピクセル領域と実質的に重なる第２のカラーフィルタと、
第２の電極と、を含む前記第２のサブピクセルと、
前記第１のカラーフィルタと前記第２のカラーフィルタとの間に位置する第１の白色フィルタと、
前記第１の電極または前記第２の電極のうちの少なくとも一方を用いて印加される少なくとも第１の電圧に基づいて、前記第１のサブピクセル領域または前記第２のサブピクセル領域の少なくとも一方に隣接するように設定可能である第１の流体と、
前記第１の流体と混合しない第２の流体と、を含む前記エレクトロウェッティング素子。
【０１８０】
Ｂ２．前記第１のカラーフィルタは、前記第２のカラーフィルタとは実質的に異なる色相に対するものである、条項Ｂ１に記載のエレクトロウェッティング素子。
【０１８１】
Ｂ３．前記第１の白色フィルタは、前記第１のフィルタ領域と前記第２のフィルタ領域との総面積の５０％に実質的に等しい前記表面の領域と実質的に重なる、条項Ｂ１に記載のエレクトロウェッティング素子。
【０１８２】
Ｂ４．前記第１の白色フィルタは、Ｖ形状、円形、三角形、矩形のうちの１つであるかまたは３つの尖った星形を有する前記表面の領域と実質的に重なる、条項Ｂ１に記載のエレクトロウェッティング素子。
【０１８３】
Ｂ５．更に、第３のサブピクセルであって、
前記表面の第３のサブピクセル領域と実質的に重なる第３のカラーフィルタであって、前記第２のサブピクセル領域は、前記第１のサブピクセル領域と前記第３のサブピクセル領域との間に位置する、前記第３のカラーフィルタを含む、前記第３のサブピクセルと、
第３の電極と、を含み、
前記第１の流体は更に、前記第１の電極、前記第２の電極、または前記第３の電極の少なくとも１つを用いて印加される前記少なくとも第１の電圧に基づいて、前記第３のサブピクセル領域に隣接するように設定可能である、条項Ｂ１に記載のエレクトロウェッティング素子。
【０１８４】
Ｂ６．前記第１のカラーフィルタは
赤色色相に対するものであり、
前記第２のカラーフィルタは緑色色相に対するものであり、
前記第３のカラーフィルタは青色色相に対するものである、条項Ｂ５に記載のエレクトロウェッティング素子。
【０１８５】
Ｂ７．更に、前記第２のカラーフィルタと前記第３のカラーフィルタとの間に位置する第２の白色フィルタを含む、条項Ｂ５に記載のエレクトロウェッティング素子。
【０１８６】
Ｂ８．前記第１の白色フィルタと前記第２の白色フィルタとはそれぞれ、前記第１のサブピクセル領域、前記第２のサブピクセル領域、または前記第３のサブピクセル領域のうちの１つの５０％に実質的に等しい前記表面の領域と重なる、条項Ｂ７に記載のエレクトロウェッティング素子。
【０１８７】
Ｂ９．更に、第３のサブピクセルであって、
前記表面の第３のサブピクセル領域と実質的に重なる第３のカラーフィルタと、
第３の電極と、を含む前記第３のサブピクセルを含み、
任意の軸が、前記第１の白色フィルタによって実質的に重なった前記表面の領域の実質的な中心点から外側に向き、実質的に、前記第１のサブピクセル領域、前記第２のサブピクセル領域、または前記第３のサブピクセル領域のうちの少なくとも１つの平面内にあり、前記第１のサブピクセル領域、前記第２のサブピクセル領域、または前記第３のサブピクセル領域のうちの少なくとも１つと交差し、
前記第１の流体は更に、前記第１の電極、前記第２の電極、または前記第３の電極のうちの少なくとも１つを用いて印加される前記少なくとも第１の電圧に基づいて、前記第３のサブピクセル領域に隣接するように設定可能である、条項Ｂ１に記載のエレクトロウェッティング素子。
【０１８８】
Ｂ１０．前記第１の流体は更に、前記第１の電極または前記第２の電極のうちの少なくとも一方を用いて印加される前記少なくとも第１の電圧に基づいて、前記第１の白色フィルタによって実質的に重なった前記表面の領域の一部に隣接するように設定可能である、条項Ｂ１に記載のエレクトロウェッティング素子。
【０１８９】
Ｂ１１．エレクトロウェッティング素子であって、
表面を有する支持プレートと、
第１のサブピクセルであって、
前記表面の第１のサブピクセル領域と実質的に重なる第１のカラーフィルタと、
第１の電極と、を含む前記第１のサブピクセルと、
第２のサブピクセルであって、
前記表面の前記第２のサブピクセル領域と実質的に重なる第２のカラーフィルタと、
第２の電極と、を含む前記第２のサブピクセルと、
第３のサブピクセルであって、
前記表面の前記第３のサブピクセル領域と実質的に重なる第３のカラーフィルタと、
第３の電極と、を含む前記第３のサブピクセルと、
前記第１のカラーフィルタと前記第２のカラーフィルタとの間に位置する第１の白色フィルタと、
前記第１の電極、前記第２の電極、または前記第３の電極のうちの少なくとも１つを用いて印加される少なくとも第１の電圧に基づいて、前記第１のサブピクセル領域、前記第２のサブピクセル領域、または前記第３のサブピクセル領域のうちの少なくとも１つに隣接するように設定可能である第１の流体と、
前記第１の流体と混合しない第２の流体と、を含む前記エレクトロウェッティング素子。
【０１９０】
Ｂ１２．更に、前記第１のサブピクセル領域、前記第２のサブピクセル領域、及び前記第３のサブピクセル領域の結合領域を囲む実質的に三角形状の壁を含む、条項Ｂ１１に記載のエレクトロウェッティング素子。
【０１９１】
Ｂ１３．更に、前記第１のサブピクセル領域、前記第２のサブピクセル領域、及び前記第３のサブピクセル領域の結合領域を囲む実質的に六角形状の壁を含む、条項Ｂ１１に記載のエレクトロウェッティング素子。
【０１９２】
Ｂ１４．前記第１の白色フィルタは、前記第１のサブピクセル領域、前記第２のサブピクセル領域、または前記第３のサブピクセル領域のうちの少なくとも２つの間に位置する少なくとも１つのテーパ状サブ領域を含む前記表面の領域と実質的に重なる、条項Ｂ１３に記載のエレクトロウェッティング素子。
【０１９３】
Ｂ１５．前記第１の白色フィルタは、Ｖ形状、円形、三角形のうちの１つであるかまたは３つの尖った星形を有する前記表面の領域と実質的に重なる、条項Ｂ１１に記載のエレクトロウェッティング素子。
【０１９４】
Ｂ１６．更に、少なくとも１つの更なるサブピクセル領域とそれぞれ実質的に重なる少なくとも１つの更なるカラーフィルタを含み、
任意の軸が、前記第１の白色フィルタによって実質的に重なった前記表面の領域の実質的な中心点から外側に向き、実質的に、前記第１のサブピクセル領域、前記第２のサブピクセル領域、または前記第３のサブピクセル領域のうちの少なくとも１つの平面内にあり、前記第１のサブピクセル領域、前記第２のサブピクセル領域、前記第３のサブピクセル領域、または前記少なくとも１つの更なるサブピクセル領域のうちの少なくとも１つと交差する、条項Ｂ１１に記載のエレクトロウェッティング素子。
【０１９５】
Ｂ１７．前記第１のカラーフィルタは
赤色色相に対するものであり、
前記第２のカラーフィルタは緑色色相に対するものであり、
前記第３のカラーフィルタは青色色相に対するものである、条項Ｂ１１に記載のエレクトロウェッティング素子。
【０１９６】
Ｂ１８．エレクトロウェッティングディスプレイ装置であって、
表面を有する支持プレートと、
エレクトロウェッティング素子のアレイであって、前記エレクトロウェッティング素子のアレイのそれぞれの個々のエレクトロウェッティング素子は、
第１のサブピクセルであって、
前記表面の第１のサブピクセル領域と実質的に重なる第１のカラーフィルタと、
第１の電極と、を含む前記第１のサブピクセルと、
第２のサブピクセルであって、
前記表面の第２のサブピクセル領域と実質的に重なる第２のカラーフィルタと、
第２の電極と、を含む前記第２のサブピクセルと、
前記第１のカラーフィルタと前記第２のカラーフィルタとの間に位置する第１の白色フィルタと、
前記第１の電極、前記第２の電極、または前記第３の電極のうちの少なくとも１つを用いて印加される少なくとも第１の電圧に基づいて、前記第１のサブピクセル領域または前記第２のサブピクセル領域のうちの少なくとも一方に隣接するように設定可能である第１の流体と、
前記第１の流体と混合しない第２の流体と、を含む前記エレクトロウェッティング素子のアレイと、
少なくとも１つのプロセッサと、
コンピュータプログラム命令を含む少なくとも１つのメモリであって、前記少なくとも１つのメモリと前記コンピュータプログラム命令とは、前記少なくとも１つのプロセッサとともに、前記エレクトロウェッティング素子のアレイのそれぞれの個々のエレクトロウェッティング素子の前記第１及び第２の流体の構成を制御するように構成されている、前記少なくとも１つのメモリと、を含む前記エレクトロウェッティングディスプレイ装置。
【０１９７】
Ｂ１９．前記エレクトロウェッティング素子のアレイのそれぞれの個々のエレクトロウェッティング素子は更に、
第３のサブピクセルであって、
前記表面の第３のサブピクセル領域と実質的に重なる第３のカラーフィルタと、
第３の電極と、を含む前記第３のサブピクセルを含み、
コンピュータプログラム命令を含む少なくとも１つのメモリは更に、前記少なくとも１つのプロセッサとともに、前記第１の電極、前記第２の電極、または前記第３の電極のうちの少なくとも１つを用いて印加される前記少なくとも第１の電圧に基づいて、前記第３の表示領域に隣接する前記第１の流体の構成を制御するように構成されている、条項Ｂ１８に記載のエレクトロウェッティングディスプレイ装置。
【０１９８】
Ｂ２０．前記第２のカラーフィルタと前記第３のカラーフィルタとの間に位置する第２の白色フィルタを含む、条項Ｂ１９に記載のエレクトロウェッティングディスプレイ装置。
【０１９９】
Ｂ２１．前記エレクトロウェッティング素子のアレイのそれぞれの個々のエレクトロウェッティング素子は更に、
第３のサブピクセルであって、
前記表面の第３のサブピクセル領域と実質的に重なる第３のカラーフィルタと、
第３の電極と、を含む前記第３のサブピクセルを含み、
任意の軸が、前記第１の白色フィルタによって実質的に重なった前記表面の領域の実質的な中心点から外側に向き、実質的に、前記第１のサブピクセル領域、前記第２のサブピクセル領域、または前記第３のサブピクセル領域のうちの少なくとも１つの平面内にあり、前記第１のサブピクセル領域、前記第２のサブピクセル領域、または前記第３のサブピクセル領域のうちの少なくとも１つと交差し、
前記第１の流体は更に、前記第１の電極、前記第２の電極、または前記第３の電極のうちの少なくとも１つを用いて印加される前記少なくとも第１の電圧に基づいて、前記第３のサブピクセル領域に隣接するように設定可能である、条項Ｂ１８に記載のエレクトロウェッティングディスプレイ装置。
【０２００】
Ｂ２２．前記第１の白色フィルタは、Ｖ形状、円形、三角形、矩形のうちの１つであるかまたは３つの尖った星形を有する前記表面の領域と実質的に重なる、条項Ｂ１８に記載のエレクトロウェッティングディスプレイ装置。
【０２０１】
Ｃ１．エレクトロウェッティング素子のアレイであって、
表面を有する支持プレートと、
第１のエレクトロウェッティング素子であって、
第１のサブピクセルであって、
前記表面の第１のサブピクセル領域と実質的に重なる第１のカラーフィルタと、
第１の電極と、を含む前記第１のサブピクセルと、
第２のサブピクセルであって、
前記表面の第２のサブピクセル領域と実質的に重なる第２のカラーフィルタと、
第２の電極と、を含む前記第２のサブピクセルと、
前記第１の電極または前記第２の電極のうちの少なくとも一方を用いて印加される少なくとも第１の電圧に基づいて、前記第１のサブピクセル領域または前記第２のサブピクセル領域の少なくとも一方に隣接するように設定可能である第１の流体と、
前記第１の流体と混合しない第２の流体と、を含む前記第１のエレクトロウェッティング素子と、
前記第１のエレクトロウェッティング素子に隣接する第２のエレクトロウェッティング素子であって、
前記第１のサブピクセルに隣接する第３のサブピクセルであって、
前記表面の第３のサブピクセル領域と実質的に重なる第３のカラーフィルタと、
第３の電極と、を含む前記第３のサブピクセルと、
前記第２のサブピクセルに隣接する第４のサブピクセルであって、
前記表面の第４のサブピクセル領域と実質的に重なる第４のカラーフィルタと、
第４の電極と、を含む前記第４のサブピクセルと、
前記第３の電極または前記第４の電極のうちの少なくとも一方を用いて印加される少なくとも第２の電圧に基づいて、前記第３のサブピクセル領域または前記第４のサブピクセル領域のうちの少なくとも一方に隣接するように設定可能である第３の流体と、
前記第３の流体と混合しない第４の流体と、を含み、
前記第１のサブピクセルと前記第３のサブピクセルとは、所定のディスプレイ水平軸から実質的に４５°の列軸角度オフセットを有する第１の列軸上に配置されている、前記第２のエレクトロウェッティング素子と、を含む前記エレクトロウェッティング素子のアレイ。
【０２０２】
Ｃ２．前記第２のサブピクセルと前記第４のサブピクセルとは、前記所定のディスプレイ水平軸から実質的に４５°の前記列軸角度オフセットを有する第２の列軸上に配置されている、条項Ｃ１に記載のアレイ。
【０２０３】
Ｃ３．平面図において、前記支持プレートは実質的に矩形または実質的に正方形であり、前記実質的に矩形または前記実質的に正方形の支持プレートの少なくとも１つの辺は、前記所定のディスプレイ水平軸と実質的に平行である、条項Ｃ１に記載のアレイ。
【０２０４】
Ｃ４．前記支持プレート上のシールを含んで、前記アレイの前記エレクトロウェッティング素子を囲み、前記支持プレートを第２の支持プレートにシールし、平面図における前記シールは実質的に矩形または実質的に正方形であり、前記実質的に矩形または前記実質的に正方形のシールの少なくとも１つの辺は、前記所定のディスプレイ水平軸と実質的に平行である、条項Ｃ１に記載のアレイ。
【０２０５】
Ｃ５．前記表面の一部上に壁層を含み、前記壁層は格子状パターンを有し、前記格子状パターンの少なくとも１つの格子軸は、前記支持プレートの少なくとも１つの辺から実質的に４５°だけオフセットしている、条項Ｃ１に記載のアレイ。
【０２０６】
Ｃ６．前記第１のサブピクセル領域と前記第４のサブピクセル領域とはそれぞれ実質的に正方形であり、前記第１のサブピクセル領域と前記第４のサブピクセル領域との平面において、前記第１のサブピクセル領域の第１の角部及び対向する第２の角部と、前記第４のサブピクセル領域の第１の角部と、前記第４のサブピクセル領域の対向する第２の角部とは、実質的に直線軸上に配置されている、条項Ｃ１に記載のアレイ。
【０２０７】
Ｃ７．前記第２のサブピクセル領域と前記第３のサブピクセル領域とはそれぞれ実質的に正方形であり、前記第２のサブピクセル領域と前記第３のサブピクセル領域との平面において、前記第２のサブピクセル領域の第１の角部及び対向する第２の角部と、前記第３のサブピクセル領域の第１の角部及び対向する第２の角部とは、実質的に直線軸上に配置されている、条項Ｃ１に記載のアレイ。
【０２０８】
Ｃ８．更に、前記第１のエレクトロウェッティング素子と隣接する第３のエレクトロウェッティング素子であって、
第５のサブピクセルであって、
前記表面の第５のサブピクセル領域と実質的に重なる第５のカラーフィルタと、
第５の電極と、を含む前記第５のサブピクセルと、
前記第２のサブピクセルに隣接する第６のサブピクセルであって、
第６のカラーフィルタと、
第６の電極と、を含む前記第６のサブピクセルと、
前記第５の電極または前記第６の電極のうちの少なくとも一方を用いて印加される少なくとも第３の電圧に基づいて、前記第５のサブピクセル領域または前記第６のサブピクセル領域の少なくとも一方に隣接するように設定可能である第５の流体と、
前記第５の流体と混合しない第６の流体と、を含む前記第３のエレクトロウェッティング素子と、
前記第２のエレクトロウェッティング素子と前記第３のエレクトロウェッティング素子とに隣接する第４のエレクトロウェッティング素子であって、
第７のサブピクセルであって、
第７のサブピクセル領域と実質的に重なる第７のカラーフィルタと、
第７の電極と、を含む前記第７のサブピクセルと、
前記第４のサブピクセルに隣接する第８のサブピクセルであって、色
第８のサブピクセル領域と実質的に重なる第８のカラーフィルタと、
第８の電極と、を含む前記第８のサブピクセルと、
前記第７の電極または前記第８の電極のうちの少なくとも一方を用いて印加される少なくとも第４の電圧に基づいて、前記第７のサブピクセル領域または前記第８のサブピクセル領域の少なくとも一方に隣接するように設定可能である第７の流体と、
前記第７の流体と混合しない第８の流体と、を含む前記第４のエレクトロウェッティング素子と、を含み、
前記第１のサブピクセル、前記第３のサブピクセル、前記第５のサブピクセル、前記第７のサブピクセルは、前記所定のディスプレイ水平軸から実質的に４５°の前記列軸角度オフセットを有する前記第１の列軸上に配置され、
前記第２のサブピクセル、前記第４のサブピクセル、前記第６のサブピクセル、前記第８のサブピクセルは、前記所定のディスプレイ水平軸から実質的に４５°の前記列軸角度オフセットを有する第２の列軸上に配置されている、条項Ｃ１に記載のアレイ。
【０２０９】
Ｃ９．前記第１のカラーフィルタは、前記第５のカラーフィルタと実質的に同じ色相に対するものであり、前記第２のカラーフィルタは、前記第６のカラーフィルタと実質的に同じ色相に対するものであり、前記第３のカラーフィルタは、前記第７のカラーフィルタと実質的に同じ色相に対するものであり、前記第４のカラーフィルタは、前記第８のカラーフィルタと実質的に同じ色相に対するものである、条項Ｃ８に記載のアレイ。
【０２１０】
Ｃ１０．前記第１のカラーフィルタは赤色色相フィルタであり、
前記第２のカラーフィルタは青色色相フィルタであり、
前記第３のカラーフィルタは緑色色相フィルタであり、
前記第４のカラーフィルタは白色フィルタである、条項Ｃ９に記載のアレイ。
【０２１１】
Ｃ１１．前記第１のカラーフィルタは色色相フィルタであり、
前記第４のカラーフィルタは白色フィルタである、条項Ｃ９に記載のアレイ。
【０２１２】
Ｃ１２．前記第２のカラーフィルタは青色色相フィルタであり、
前記第３のカラーフィルタは赤色色相フィルタである、条項Ｃ１１に記載のアレイ。
【０２１３】
Ｃ１３．第５のサブピクセルであって、
前記表面の第５のサブピクセル領域と実質的に重なる第５のカラーフィルタと、
第５の電極と、を含み、
前記第１の流体は更に、前記第１の電極、前記第２の電極、または前記第３の電極のうちの少なくとも１つを用いて印加される前記少なくとも第１の電圧に基づいて、前記第５のサブピクセル領域に隣接するように設定可能である、前記第５のサブピクセルと、
第６のサブピクセルであって、
前記表面の第６のサブピクセル領域と実質的に重なる第６のカラーフィルタと、
第６の電極と、を含み、
前記第３の流体は更に、前記第４の電極、前記第５の電極、または前記第６の電極のうちの少なくとも１つを用いて印加される前記少なくとも第２の電圧に基づいて、前記第６のサブピクセル領域に隣接するように設定可能である、前記第６のサブピクセルと、を含む条項Ｃ１に記載のアレイ。
【０２１４】
Ｃ１４．前記第３のサブピクセル領域は、前記第２のサブピクセル領域と前記第５のサブピクセル領域とに隣接している、条項Ｃ１３に記載のアレイ。
【０２１５】
Ｃ１５．前記第１のカラーフィルタは、前記第３のカラーフィルタと実質的に同じ色相に対するものであり、前記第２のカラーフィルタは、前記第４のカラーフィルタと実質的に同じ色相に対するものであり、前記第５のカラーフィルタは、前記第６のカラーフィルタと実質的に同じ色相に対するものである、条項Ｃ１３に記載のアレイ。
【０２１６】
Ｃ１６．前記第１のカラーフィルタは赤色色相フィルタであり、
前記第２のカラーフィルタは青色色相フィルタであり、
前記第３のカラーフィルタは緑色色相フィルタである、条項Ｃ１５に記載のアレイ。
【０２１７】
Ｃ１７．更に、前記第１のカラーフィルタと前記第２のカラーフィルタとの間に位置する第１の白色フィルタと、
前記第２のカラーフィルタと前記第５のカラーフィルタとの間に位置する第２の白色フィルタと、を含む、条項Ｃ１３に記載のアレイ。
【０２１８】
Ｃ１８．更に、前記第１のカラーフィルタと前記第２のカラーフィルタとの間に位置する第１の白色フィルタと、を含む、条項Ｃ１に記載のアレイ。
【０２１９】
Ｃ１９．エレクトロウェッティングディスプレイ装置であって、
表面を有する支持プレートと、
エレクトロウェッティング素子のアレイであって、
第１のエレクトロウェッティング素子であって、
第１のサブピクセルであって、
前記表面の第１のサブピクセル領域と実質的に重なる第１のカラーフィルタと、
第１の電極と、を含む前記第１のサブピクセルと、
第２のサブピクセルであって、
前記表面の第２のサブピクセル領域と実質的に重なる第２のカラーフィルタと、
第２の電極と、を含む前記第２のサブピクセルと、
前記第１の電極または前記第２の電極のうちの少なくとも一方を用いて印加される少なくとも第１の電圧に基づいて、前記第１のサブピクセル領域または前記第２のサブピクセル領域の少なくとも一方に隣接するように設定可能である第１の流体と、
前記第１の流体と混合しない第２の流体と、を含む前記第１のエレクトロウェッティング素子と、
前記第１のエレクトロウェッティング素子に隣接する第２のエレクトロウェッティング素子であって、
前記第１のサブピクセルに隣接する第３のサブピクセルであって、
前記表面の第３のサブピクセル領域と実質的に重なる第３のカラーフィルタと、
第３の電極と、を含む前記第３のサブピクセルと、
前記第２のサブピクセルに隣接する第４のサブピクセルであって、
前記表面の第４のサブピクセル領域と実質的に重なる第４のカラーフィルタと、
第４の電極と、を含む前記第４のサブピクセルと、
前記第３の電極または前記第４の電極のうちの少なくとも一方を用いて印加される少なくとも第２の電圧に基づいて、前記第３のサブピクセル領域または前記第４のサブピクセル領域のうちの少なくとも一方に隣接するように設定可能である第３の流体と、
前記第３の流体と混合しない第４の流体と、を含み、
前記第１のサブピクセルと前記第３のサブピクセルとは、所定のディスプレイ水平軸から実質的に４５°の列軸角度オフセットを有する第１の列軸上に配置されている、前記第２のエレクトロウェッティング素子と、
少なくとも１つのプロセッサと、
コンピュータプログラム命令を含む少なくとも１つのメモリであって、前記少なくとも１つのメモリと前記コンピュータプログラム命令は、前記少なくとも１つのプロセッサとともに、前記エレクトロウェッティングディスプレイ素子のアレイのそれぞれの個々のエレクトロウェッティング素子の前記第１の流体、前記第２の流体、前記第３の流体、及び前記第４の流体の構成を制御するように構成されている、前記少なくとも１つのメモリと、を含む前記エレクトロウェッティングディスプレイ装置。
【０２２０】
Ｃ２０．前記エレクトロウェッティング素子のアレイは更に、
前記第１のエレクトロウェッティング素子に隣接する第３のエレクトロウェッティング素子であって、
第５のサブピクセルであって、
前記表面の第５のサブピクセル領域と実質的に重なる第５のカラーフィルタと、
第５の電極と、を含む前記第５のサブピクセルと、
前記第２のサブピクセルに隣接する第６のサブピクセルであって、
第６のカラーフィルタと、
第６の電極と、を含む前記第６のサブピクセルと、
前記第５の電極または前記第６の電極のうちの少なくとも一方を用いて印加される少なくとも第３の電圧に基づいて、前記第５のサブピクセル領域または前記第６のサブピクセル領域の少なくとも一方に隣接するように設定可能である第５の流体と、
前記第５の流体と混合しない第６の流体と、を含む前記第３のエレクトロウェッティング素子と、
前記第２のエレクトロウェッティング素子と前記第３のエレクトロウェッティング素子とに隣接する第４のエレクトロウェッティング素子であって、
第７のサブピクセルであって、
第７のサブピクセル領域と実質的に重なる第７のカラーフィルタと、
第７の電極と、を含む前記第７のサブピクセルと、
前記第４のサブピクセルに隣接する第８のサブピクセルであって、
第８のサブピクセル領域と実質的に重なる第８のカラーフィルタと、
第８の電極と、を含む前記第８のサブピクセルと、
前記第７の電極または前記第８の電極のうちの少なくとも一方を用いて印加される少なくとも第４の電圧に基づいて、前記第７のサブピクセル領域または前記第８のサブピクセル領域の少なくとも一方に隣接するように設定可能である第７の流体と、
前記第７の流体と混合しない第８の流体と、を含む前記第４のエレクトロウェッティング素子と、を含み、
前記第１のサブピクセル、前記第３のサブピクセル、前記第５のサブピクセル、前記第７のサブピクセルは、前記所定のディスプレイ水平軸から実質的に４５°の前記列軸角度オフセットを有する前記第１の列軸上に配置され、
前記第２のサブピクセル、前記第４のサブピクセル、前記第６のサブピクセル、前記第８のサブピクセルは、前記所定のディスプレイ水平軸から実質的に４５°の前記列軸角度オフセットを有する第２の列軸上に配置されている、条項Ｃ１９に記載のエレクトロウェッティングディスプレイ装置。
【０２２１】
Ｃ２１．平面図において、前記支持プレートは実質的に矩形または実質的に正方形であり、前記実質的に矩形または前記実質的に正方形の支持プレートの少なくとも１つの辺は、前記所定のディスプレイ水平軸と実質的に平行である、条項Ｃ１９に記載のエレクトロウェッティングディスプレイ装置。
【０２２２】
Ｃ２２．前記支持プレート上のシールを含んで、前記アレイの前記エレクトロウェッティング素子を囲み、前記支持プレートを第２の支持プレートにシールし、平面図における前記シールは実質的に矩形または実質的に正方形であり、前記実質的に矩形または前記実質的に正方形のシールの少なくとも１つの辺は、前記所定のディスプレイ水平軸と実質的に平行である、条項Ｃ１９に記載のエレクトロウェッティングディスプレイ装置。
【０２２３】
Ｃ２３．前記表面の一部上に壁層を含み、前記壁層は格子状パターンを有し、前記格子状パターンの少なくとも１つの格子軸は、前記支持プレートの少なくとも１つの辺から実質的に４５°だけオフセットしている、条項Ｃ１９に記載のエレクトロウェッティングディスプレイ装置。
【０２２４】
Ｃ２４．前記第１のサブピクセル領域と前記第４のサブピクセル領域とはそれぞれ実質的に正方形であり、前記第１のサブピクセル領域と前記第４のサブピクセル領域との平面において、前記第１のサブピクセル領域の第１の角部及び対向する第２の角部と、前記第４のサブピクセル領域の第１の角部と、前記第４のサブピクセル領域の対向する第２の角部とは、実質的に直線軸上に配置されている、条項Ｃ１９に記載のエレクトロウェッティングディスプレイ装置。
【０２２５】
Ｃ２５．前記第２のサブピクセル領域と前記第３のサブピクセル領域とはそれぞれ実質的に正方形であり、前記第２のサブピクセル領域と前記第３のサブピクセル領域との平面において、前記第２のサブピクセル領域の第１の角部及び対向する第２の角部と、前記第３のサブピクセル領域の第１の角部及び対向する第２の角部とは、実質的に直線軸上に配置されている、条項Ｃ１９に記載のアレイ。
【０２２６】
Ｄ１．エレクトロウェッティング素子であって、
表面を有する支持プレートと、
第１のサブピクセルであって、
前記表面の第１のサブピクセル領域と実質的に重なる第１のカラーフィルタと、
第１の電極と、を含む前記第１のサブピクセルと、
第２のサブピクセルであって、
前記表面の第２のサブピクセル領域と実質的に重なる第２のカラーフィルタと、
第２の電極と、を含む前記第２のサブピクセルと、
第３のサブピクセルであって、
前記表面の第３のサブピクセル領域と実質的に重なる第３のカラーフィルタと、
第３の電極と、を含む前記第３のサブピクセルと、
前記第１の電極、前記第２の電極、または前記第３の電極のうちの少なくとも１つを用いて印加される少なくとも第１の電圧に基づいて、前記第１のサブピクセル領域、前記第２のサブピクセル領域、または前記第３のサブピクセル領域のうちの少なくとも１つに隣接するように設定可能である第１の流体と、
前記第１の流体と混合しない第２の流体と、
前記第１のサブピクセル領域、前記第２のサブピクセル領域、及び前記第３のサブピクセル領域の結合領域を囲む壁であって、
前記第１のサブピクセル領域と前記第２のサブピクセル領域とに隣接する第１の壁部分と、
前記第２のサブピクセル領域と前記第３のサブピクセル領域とに隣接する第２の壁部分と、
前記第３のサブピクセル領域と前記第１のサブピクセル領域とに隣接する第３の壁部分と、を含み、前記第１の壁部分、前記第２の壁部分、及び前記第３の壁部分はそれぞれ実質的に直線であり、前記壁は前記第１の流体を前記エレクトロウェッティング素子内に保持するように構成されている、前記壁と、を含む前記エレクトロウェッティング素子。
【０２２７】
Ｄ２．前記第１のカラーフィルタの縁部、前記第２のカラーフィルタの縁部、及び前記第３のカラーフィルタの縁部の位置はそれぞれ、前記第１のフィルタ、前記第２のフィルタ、及び前記第３のフィルタの間に位置する実質的な中心点からそれぞれ実質的に等角度を張るように設けられている、条項Ｄ１に記載のエレクトロウェッティング素子。
【０２２８】
Ｄ３．前記第１のカラーフィルタは赤色色相フィルタであり、
前記第２のカラーフィルタは緑色色相フィルタであり、
前記第３のカラーフィルタは青色色相フィルタである、条項Ｄ１に記載のエレクトロウェッティング素子。
【０２２９】
Ｄ４．更に、前記第１の壁部分から突出している第１の突出部であって、前記第１の突出部の少なくとも一部は、前記第１のサブピクセル領域と前記第２のサブピクセル領域との間に位置する、前記第１の突出部と、
前記第２の壁部分から突出している第２の突出部であって、前記第２の突出部の少なくとも一部は、前記第２のサブピクセル領域と前記第３のサブピクセル領域との間に位置する、前記第２の突出部と、
前記第３の壁部分から突出している第３の突出部であって、前記第３の突出部の少なくとも一部は、前記第３のサブピクセル領域と前記第１のサブピクセル領域との間に位置する、前記第３の突出部と、を含む、条項Ｄ１に記載のエレクトロウェッティング素子。
【０２３０】
Ｄ５．前記第１のカラーフィルタは緑色色相フィルタであり、
前記第２のカラーフィルタは赤色色相フィルタであり、
前記第３のカラーフィルタは青色色相フィルタである、条項Ｄ４に記載のエレクトロウェッティング素子。
【０２３１】
Ｄ６．更に、前記第１の壁部分と前記第３の壁部分とに隣接し、前記第１のサブピクセル領域の濡れ性及び前記第３のサブピクセル領域の濡れ性とは異なる濡れ性を伴う前記表面の領域を含む、流体運動の第１の開始部と、
前記第２の壁部分と前記第３の壁部分とに隣接し、前記第２のサブピクセル領域及び前記第３のサブピクセル領域の濡れ性とは異なる濡れ性を伴う前記表面の領域を含む、流体運動の第２の開始部と、
前記第３の壁部分と前記第１の壁部分とに隣接し、前記第３のサブピクセル領域及び前記第１のサブピクセル領域の濡れ性とは異なる濡れ性を伴う前記表面の領域を含む、流体運動の第３の開始部と、を含む、条項Ｄ１に記載のエレクトロウェッティング素子。
【０２３２】
Ｄ７．前記第１の開始部、前記第２の開始部、または前記第３の開始部のうちの少なくとも１つは、白色フィルタを含む、条項Ｄ６に記載のエレクトロウェッティング素子。
【０２３３】
Ｄ８．前記第１の開始部、前記第２の開始部、または前記第３の開始部のうちの少なくとも１つは、黒カラーフィルタを含む、条項Ｄ６に記載のエレクトロウェッティング素子。
【０２３４】
Ｄ９．前記壁は更に、前記第１の壁部分を前記第３の壁部分に接続する第１の更なる壁部分であって、前記第１の更なる壁部分は実質的に直線である、前記第１の更なる壁部分を含む、条項Ｄ１に記載のエレクトロウェッティング素子。
【０２３５】
Ｄ１０．前記第１の壁部分の内側と、前記第１の更なる壁部分の内側との間の角度と、
前記第３の壁部分の内側と前記第１の更なる壁部分の前記内側との間の角度とは、実質的に同じで、それぞれ鋭角である、条項Ｄ１に記載のエレクトロウェッティング素子。
【０２３６】
Ｄ１１．更に、前記第１の壁部分を前記第２の壁部分に接続する第２の更なる壁部分であって、前記第２の更なる壁部分は実質的に直線である、前記第２の更なる壁部分と、
前記第２の壁部分を前記第３の壁部分に接続する第３の更なる壁部分であって、前記第３の更なる壁部分は実質的に直線である、前記第３の更なる壁部分と、を含む、条項Ｄ９に記載のエレクトロウェッティング素子。
【０２３７】
Ｄ１２．前記壁は実質的に三角形状または実質的に六角形状である、条項Ｄ９に記載のエレクトロウェッティング。
【０２３８】
Ｄ１３．更に、前記第１のカラーフィルタ、前記第２のカラーフィルタ、及び前記第３のカラーフィルタの間に位置する第１の白色フィルタを含む、条項Ｄ１に記載のエレクトロウェッティング素子。
【０２３９】
Ｄ１４．前記第１の流体は、前記第１のサブピクセル領域、前記第２のサブピクセル領域、または前記第３のサブピクセル領域のうちの前記実質的に１つに、前記第１のサブピクセル領域、前記第２のサブピクセル領域、または前記第３のサブピクセル領域のその他の個々に隣接することなく隣接するように設定可能である、条項Ｄ１に記載のエレクトロウェッティング素子。
【０２４０】
Ｄ１５．エレクトロウェッティングディスプレイ装置であって、
表面を有する支持プレートと、
エレクトロウェッティング素子のアレイであって、前記エレクトロウェッティング素子のアレイのそれぞれのエレクトロウェッティング素子は、
第１のサブピクセルであって、
前記表面の第１のサブピクセル領域と実質的に重なる第１のカラーフィルタと、
第１の電極と、を含む前記第１のサブピクセルと、
第２のサブピクセルであって、
前記表面の第２のサブピクセル領域と実質的に重なる第２のカラーフィルタと、
第２の電極と、を含む前記第２のサブピクセルと、
第３のサブピクセルであって、
前記表面の第３のサブピクセル領域と実質的に重なる第３のカラーフィルタと、
第３の電極と、を含む前記第３のサブピクセルと、
前記第１の電極、前記第２の電極、または前記第３の電極のうちの少なくとも１つを用いて印加される少なくとも第１の電圧に基づいて、前記第１のサブピクセル領域、前記第２のサブピクセル領域、または前記第３のサブピクセル領域のうちの少なくとも１つに隣接するように設定可能である第１の流体と、
前記第１の流体と混合しない第２の流体と、
前記第１のサブピクセル領域、前記第２のサブピクセル領域、及び前記第３のサブピクセル領域の結合領域を囲む壁であって、
前記第１のサブピクセル領域と前記第２のサブピクセル領域とに隣接する第１の壁部分と、
前記第２のサブピクセル領域と前記第３のサブピクセル領域とに隣接する第２の壁部分と、
前記第３のサブピクセル領域と前記第１のサブピクセル領域とに隣接する第３の壁部分と、を含み、前記第１の壁部分、前記第２の壁部分、及び前記第３の壁部分はそれぞれ実質的に直線であり、前記壁は前記第１の流体を前記エレクトロウェッティング素子内に保持するように構成されている、前記壁と、を含むエレクトロウェッティング素子のアレイと、
少なくとも１つのプロセッサと、
コンピュータプログラム命令を含む少なくとも１つのメモリであって、前記少なくとも１つのメモリと前記コンピュータプログラム命令は、前記少なくとも１つのプロセッサとともに、前記エレクトロウェッティングディスプレイ素子のアレイのそれぞれの個々のエレクトロウェッティング素子の前記第１の流体、前記第２の流体、前記第３の流体、及び前記第４の流体の構成を制御するように構成されている、前記少なくとも１つのメモリと、を含む前記エレクトロウェッティングディスプレイ装置。
【０２４１】
Ｄ１６．前記第１のカラーフィルタの縁部、前記第２のカラーフィルタの縁部、及び前記第３のカラーフィルタの縁部の位置はそれぞれ、前記第１のフィルタ、前記第２のフィルタ、及び前記第３のフィルタの間に位置する実質的な中心点からそれぞれ実質的に等角度を張るように設けられている、条項Ｄ１５に記載のエレクトロウェッティングディスプレイ装置。
【０２４２】
Ｄ１７．前記第１のカラーフィルタは赤色色相フィルタであり、
前記第２のカラーフィルタは緑色色相フィルタであり、
前記第３のカラーフィルタは青色色相フィルタである、条項Ｄ１５に記載のエレクトロウェッティングディスプレイ装置。
【０２４３】
Ｄ１８．前記壁は更に、前記第１の壁部分を前記第３の壁部分に接続する第１の更なる壁部分であって、前記第１の更なる壁部分は実質的に直線である、前記第１の更なる壁部分を含む、条項Ｄ１５に記載のエレクトロウェッティングディスプレイ装置。
【０２４４】
Ｄ１９．前記第１の壁部分の内側と前記第１の更なる壁部分の内側との間の角度と、
前記第３の壁部分の内側と前記第１の更なる壁部分の前記内側との間の角度とは、実質的に同じで、それぞれ鋭角である、条項Ｄ１８に記載のエレクトロウェッティングディスプレイ装置。
【０２４５】
Ｄ２０．更に、前記第１の壁部分を前記第２の壁部分に接続する第２の更なる壁部分であって、前記第２の更なる壁部分は実質的に直線である、前記第２の更なる壁部分と、
前記第２の壁部分を前記第３の壁部分に接続する第３の更なる壁部分であって、前記第３の更なる壁部分は実質的に直線である、前記第３の更なる壁部分と、を含む、条項Ｄ１８に記載のエレクトロウェッティング素子。
【０２４６】
Ｄ２１．前記壁は実質的に三角形状または実質的に六角形状である条項Ｄ１５に記載のエレクトロウェッティングディスプレイ装置。
【０２４７】
Ｄ２２．前記エレクトロウェッティング素子のアレイの少なくとも１つのエレクトロウェッティング素子は、前記個々の少なくとも１つのエレクトロウェッティング素子の前記第１のカラーフィルタ、前記第２のカラーフィルタ、及び前記第３のカラーフィルタの間に位置する第１の白色フィルタを含む、条項Ｄ１５に記載のエレクトロウェッティングディスプレイ装置。
【０２４８】
Ｅ１．エレクトロウェッティング素子のアレイを制御する方法であって、
ディスプレイ素子のアレイの第１のピクセルに対する第１の表示効果を表す第１のピクセルデータを受け取ることと、
前記第１のピクセルデータに基づいて、また前記第１の表示効果の特徴に基づいて、エレクトロウェッティング素子のアレイの複数のサブピクセルから、前記第１の表示効果を表示する前記エレクトロウェッティング素子のアレイのサブピクセルのグループを選択することであって、
前記複数のサブピクセルは、
前記エレクトロウェッティング素子のアレイの第１のエレクトロウェッティング素子の第１のサブピクセルであって、前記第１のエレクトロウェッティング素子の第１の流体と接触するための支持プレート表面の第１のサブピクセル領域と実質的に重なる第１のカラーフィルタを含む、前記第１のサブピクセルと、
前記エレクトロウェッティング素子のアレイの第２のエレクトロウェッティング素子の第１のサブピクセルであって、前記第２のエレクトロウェッティング素子の第１の流体と接触するための前記支持プレート表面の第１のサブピクセル領域と実質的に重なる第１のカラーフィルタを含む、前記第１のサブピクセルと、を含み、前記サブピクセルのグループは、
前記第１のエレクトロウェッティング素子の前記第１のサブピクセル、または前記第２のエレクトロウェッティング素子の前記第１のサブピクセルのうちの少なくとも１つを含む、前記選択することと、
前記サブピクセルのグループを用いて前記第１の表示効果を表示するための制御データを出力することと、を含む前記方法。
【０２４９】
Ｅ２．前記第１の表示効果は、長手軸に沿って形状が長手方向である表示効果特徴部を表し、前記第１の表示効果の特徴は前記長手軸の方向にあり、
前記選択することは、前記長手軸の方向に基づいて前記エレクトロウェッティング素子のアレイの前記サブピクセルのグループを選択することを含み、
前記制御データを出力することは、
前記長手軸の第１の方向に基づいて、前記第１のエレクトロウェッティング素子の前記第１のサブピクセルを含む前記サブピクセルのグループを用いて、制御データを、または
前記長手軸の第２の方向に基づいて、前記第２のエレクトロウェッティング素子の前記第１のサブピクセルを含む前記サブピクセルのグループを用いて、制御データを、選択的に出力することを含む、条項Ｅ１に記載の方法。
【０２５０】
Ｅ３．前記第１の表示効果は、長手軸に沿って長手方向である線形表示効果特徴を表し、前記第１の表示効果特徴部の特徴は前記長手軸の方向であり、前記第１の表示効果特徴部の前記長手軸の前記方向とは関係なく、前記サブピクセルのグループは、前記支持プレート表面の第２のサブピクセル領域と実質的に重なる第２のカラーフィルタを含む前記エレクトロウェッティング素子のアレイのエレクトロウェッティング素子の第２のサブピクセルを含む、条項Ｅ１に記載の方法。
【０２５１】
Ｅ４．前記第１のエレクトロウェッティング素子は、
前記第１のエレクトロウェッティング素子の前記第１のサブピクセルと、
前記支持プレート表面の第２のサブピクセル領域と実質的に重なる第２のカラーフィルタを含む第２のサブピクセルと、
前記支持プレート表面の第３のサブピクセル領域と実質的に重なる第３のカラーフィルタを含む第３のサブピクセルと、を含み、
前記第２のエレクトロウェッティング素子は、
前記第２のエレクトロウェッティング素子の前記第１のサブピクセルと、
前記支持プレート表面の第２のサブピクセル領域と実質的に重なる第２のカラーフィルタを含む第２のサブピクセルと、
前記支持プレート表面の第３のサブピクセル領域と実質的に重なる第３のカラーフィルタを含む第３のサブピクセルと、を含む、条項Ｅ１に記載の方法。
【０２５２】
Ｅ５．前記第１のカラーフィルタはそれぞれ赤色色相フィルタであり、
前記第２のカラーフィルタはそれぞれ緑色色相フィルタであり、
前記第３のカラーフィルタはそれぞれ青色色相フィルタである、条項Ｅ４に記載の方法。
【０２５３】
Ｅ６．前記第１の表示効果を表示するための前記制御データを出力することは、前記サブピクセルのグループ領域のそれぞれのサブピクセル領域（前記第１のサブピクセル領域を含む）に対する個々の流体カバレージ範囲を示す制御データを出力することを含む、条項Ｅ１に記載の方法。
【０２５４】
Ｅ７．前記第１の表示効果は相対的に暗い表示効果特徴部を表し、前記第１の表示効果の特徴は前記相対的に暗い表示効果特徴部の形状であり、
前記選択することは、前記相対的に暗い表示効果特徴部の前記形状に基づいて前記エレクトロウェッティング素子のアレイの前記サブピクセルのグループを選択することを含み、前記サブピクセルのグループは、前記相対的に暗い表示効果特徴部の前記形状を一緒に実質的に形成する前記エレクトロウェッティング素子のアレイの少なくとも２つの隣接するサブピクセル領域を含み、
前記制御データを出力することは、前記少なくとも２つの隣接するサブピクセル領域のそれぞれに対する個々の流体カバレージ範囲を示す制御データを出力することを含む、条項Ｅ１に記載の方法。
【０２５５】
Ｅ８．前記少なくとも２つの隣接するサブピクセル領域のそれぞれに対する前記個々の流体カバレージ範囲は、前記少なくとも２つの隣接するサブピクセル領域のそれぞれの個々の範囲と実質的に等しい、条項Ｅ７に記載の方法。
【０２５６】
Ｅ９．前記相対的に暗い表示効果特徴部は相対的に暗いストライプであり、また長手軸に沿って形状が長手方向であり、前記少なくとも２つの隣接するサブピクセル領域は、直線軸上に位置する前記サブピクセルのグループに対して選択されており、
前記第１の表示効果を表示するための前記制御データを出力することは、前記少なくとも２つの隣接するサブピクセル領域のそれぞれに対する個々の流体カバレージ範囲を示す制御データを、前記エレクトロウェッティング素子のアレイの少なくとも１つの相対的に暗色の第１の流体によって出力することを含む、条項Ｅ７に記載の方法。
【０２５７】
Ｅ１０．前記第１の表示効果を表示するための前記制御データを出力することは、前記少なくとも２つの隣接するサブピクセル領域のそれぞれに対する個々の流体カバレージ範囲を示す制御データを、前記少なくとも２つの隣接するサブピクセル領域を含む前記エレクトロウェッティング素子のアレイの少なくとも１つのエレクトロウェッティング素子の個々の表示領域の長さよりも短い前記相対的に暗い表示効果特徴部の最小寸法で出力することを含む、条項Ｅ７に記載の方法。
【０２５８】
Ｅ１１．前記第１の表示効果は相対的に明るい表示効果特徴部を表し、前記第１の表示効果の特徴は前記相対的に明るい表示効果特徴部の形状であり、
前記選択することは、前記相対的に明るい表示効果特徴部の前記形状に基づいて前記エレクトロウェッティング素子のアレイの前記サブピクセルのグループを選択することを含み、前記サブピクセルのグループは、前記相対的に明るい表示効果特徴部の前記形状を一緒に実質的に形成する前記エレクトロウェッティング素子のアレイの少なくとも２つの隣接するサブピクセル領域を含み、
前記制御データを出力することは、前記少なくとも２つの隣接するサブピクセル領域のそれぞれに対する個々の流体非カバレージ範囲を示す制御データを出力することを含む、条項Ｅ７に記載の方法。
【０２５９】
Ｅ１２．前記第１の表示効果の特徴は所定の色であり、前記エレクトロウェッティング素子のアレイの前記サブピクセルのグループを前記選択することは、前記第１の表示効果の前記所定の色を一緒に実質的に形成する前記エレクトロウェッティング素子のアレイのサブピクセルを選択することを含む、条項Ｅ１に記載の方法。
【０２６０】
Ｅ１３．前記所定の色は白色であり、前記アレイのサブピクセルのグループまたはエレクトロウェッティング素子を前記選択することは、少なくとも１つの赤色色相サブピクセル、少なくとも１つの緑色色相サブピクセル、及び少なくとも１つの青色色相サブピクセルのほぼ等しい数を選択することを含む、条項Ｅ１２に記載の方法。
【０２６１】
Ｅ１４．前記第１の表示効果を表示するために前記エレクトロウェッティング素子のアレイの前記表示領域のグループを前記選択することは、
前記第１の表示効果の形状、
前記第１の表示効果の線形性、
前記第１の表示効果の最小寸法、
前記第１の表示効果の最大寸法、または
前記第１の表示効果の色のうちの少なくとも１つに基づく、条項Ｅ１に記載の方法。
【０２６２】
Ｅ１５．前記第１のピクセルデータを分析して前記第１の表示効果の少なくとも１つの特徴を決定することと、
前記エレクトロウェッティング素子のアレイの前記複数のサブピクセル上に前記第１の表示効果を空間的にマッピングすることと、を含み、
前記エレクトロウェッティング素子のアレイの前記サブピクセルのグループを前記選択することは、前記第１の表示効果に対して空間的にマッピングされた前記エレクトロウェッティング素子のアレイのサブピクセルを選択することを含む、条項Ｅ１に記載の方法。
【０２６３】
Ｅ１６．前記第１の効果の前記少なくとも１つの特徴は、
前記第１の表示効果の形状、
前記第１の表示効果の線形性、
前記第１の表示効果の最小寸法、
前記第１の表示効果の最大寸法、または
前記第１の表示効果の色のうちの少なくとも１つを含む、条項Ｅ１５に記載の方法。
【０２６４】
Ｅ１７．エレクトロウェッティングディスプレイ装置であって、
エレクトロウェッティング素子のアレイであって、
表面を有する支持プレートと、
第１のエレクトロウェッティング素子であって、
第１のサブピクセルであって、
前記表面の第１のサブピクセル領域と実質的に重なる第１のカラーフィルタと、
第１の電極と、を含む前記第１のサブピクセルと、
第２のサブピクセルであって、
前記表面の第２のサブピクセル領域と実質的に重なる第２のカラーフィルタと、
第２の電極と、を含む前記第２のサブピクセルと、
第３のサブピクセルであって、
前記表面の第３のサブピクセル領域と実質的に重なる第３のカラーフィルタと、
第３の電極と、を含む前記第３のサブピクセルと、
前記第１の電極、前記第２の電極、または前記第３の電極のうちの少なくとも１つを用いて印加される少なくとも第１の電圧に基づいて、前記第１のサブピクセル領域、前記第２のサブピクセル領域、または前記第３のサブピクセル領域のうちの少なくとも１つに隣接するように設定可能である第１の流体と、
前記第１の流体と混合しない第２の流体と、を含む前記第１のエレクトロウェッティング素子と、
第２のエレクトロウェッティング素子であって、
第１のサブピクセルであって、
前記表面の第１のサブピクセル領域と実質的に重なる第１のカラーフィルタと、
第４の電極と、を含む前記第１のサブピクセルと、
第２のサブピクセルであって、
前記表面の第２のサブピクセル領域と実質的に重なる第２のカラーフィルタと、
第５の電極と、を含む前記第２のサブピクセルと、
第３のサブピクセルであって、
前記表面の第３のサブピクセル領域と実質的に重なる第３のカラーフィルタと、
第６の電極と、を含む前記第３のサブピクセルと、
前記第４の電極、前記第５の電極、または前記第６の電極のうちの少なくとも１つを用いて印加される少なくとも第２の電圧に基づいて、前記第２のエレクトロウェッティング素子の前記第１のサブピクセル領域、前記第２のサブピクセル領域、または前記第３のサブピクセル領域のうちの少なくとも１つに隣接するように設定可能である第３の流体と、
前記第３の流体と混合しない第４の流体と、を含む前記第２のエレクトロウェッティング素子と、を含む前記エレクトロウェッティング素子のアレイと、
少なくとも１つのプロセッサと、
コンピュータプログラム命令を含む少なくとも１つのメモリであって、前記少なくとも１つのメモリと前記コンピュータプログラム命令は、前記少なくとも１つのプロセッサとともに、前記エレクトロウェッティング素子のアレイを制御する方法を行うように構成され、前記方法は、
ディスプレイ素子のアレイの第１のピクセルに対する第１の表示効果を表す第１のピクセルデータを受け取ることと、
前記第１のピクセルデータに基づいて、また前記第１の表示効果の特徴に基づいて、前記エレクトロウェッティング素子のアレイの複数のサブピクセル（前記第１、第２、第３、及び第４のサブピクセルを含む）から、前記第１の表示効果を表示する前記エレクトロウェッティング素子のアレイのサブピクセルのグループを選択することであって、
前記複数のサブピクセルは、
前記第１のエレクトロウェッティング素子の前記第１、第２、及び第３のサブピクセルと、
前記第２のエレクトロウェッティング素子の前記第１、第２、及び第３のサブピクセルと、を含み、
前記サブピクセルのグループは、
前記第１のエレクトロウェッティング素子の前記第１のサブピクセル、または
前記第２のエレクトロウェッティング素子の前記第１のサブピクセルのうちの少なくとも１つを含む、前記選択することと、
前記サブピクセルのグループを用いて前記第１の表示効果を表示するための制御データを出力することと、を含む前記少なくとも１つのメモリと、を含む前記エレクトロウェッティングディスプレイ装置。
【０２６５】
Ｅ１８．前記第１の表示効果は相対的に暗い表示効果特徴部を表し、前記第１の表示効果の特徴は前記相対的に暗い表示効果特徴部の形状であり、
前記選択することは、前記相対的に暗い表示効果特徴部の前記形状に基づいて前記エレクトロウェッティング素子のアレイの前記サブピクセルのグループを選択することを含み、前記サブピクセルのグループは、前記相対的に暗い表示効果特徴部の前記形状を一緒に実質的に形成する前記エレクトロウェッティング素子のアレイの少なくとも２つの隣接するサブピクセル領域を含み、
前記制御データを出力することは、前記少なくとも２つの隣接するサブピクセル領域のそれぞれに対する個々の流体カバレージ範囲を示す制御データを出力することを含む、条項Ｅ１７に記載のエレクトロウェッティングディスプレイ装置。
【０２６６】
Ｅ１９．前記第１の表示効果は相対的に明るい表示効果特徴部を表し、前記第１の表示効果の特徴は前記相対的に明るい表示効果特徴部の形状であり、
前記選択することは、前記相対的に明るい表示効果特徴部の形状に基づいて前記エレクトロウェッティング素子のアレイの前記サブピクセルのグループを選択することを含み、前記サブピクセルのグループは、前記相対的に明るい表示効果特徴部の前記形状を一緒に実質的に形成する前記エレクトロウェッティング素子のアレイの少なくとも２つの隣接するサブピクセル領域を含み、
前記制御データを出力することは、前記少なくとも２つの隣接するサブピクセル領域のそれぞれに対する個々の流体非カバレージ範囲を示す制御データを出力することを含む、条項Ｅ１７に記載のエレクトロウェッティングディスプレイ装置。
【０２６７】
Ｅ２０．前記第１のカラーフィルタはそれぞれ赤色色相フィルタであり、
前記第２のカラーフィルタはそれぞれ緑色色相フィルタであり、
前記第３のカラーフィルタはそれぞれ青色色相フィルタである、条項Ｅ１７に記載のエレクトロウェッティングディスプレイ装置。
【０２６８】
Ｅ２１．前記方法は、
前記第１のピクセルデータを分析して前記第１の表示効果の少なくとも１つの特徴を決定することと、
前記エレクトロウェッティング素子のアレイの前記複数のサブピクセルに対して前記第１の表示効果をマッピングすることと、を含み、
前記エレクトロウェッティング素子のアレイの前記サブピクセルのグループを前記選択することは、前記第１の表示効果に対してマッピングされた前記エレクトロウェッティング素子のアレイの前記サブピクセルのグループを選択することを含む、条項Ｅ１７に記載のエレクトロウェッティングディスプレイ装置。
【０２６９】
Ｅ２２．前記第１の効果の前記少なくとも１つの特徴は、
前記第１の表示効果の形状、
前記第１の表示効果の線形性、
前記第１の表示効果の最小寸法、
前記第１の表示効果の最大寸法、または
前記第１の表示効果の色のうちの少なくとも１つを含む、条項Ｅ２１に記載のエレクトロウェッティングディスプレイ装置。
【０２７０】
Ｅ２３．前記第１の表示効果を表示するために前記エレクトロウェッティング素子のアレイの前記表示領域のグループを前記選択することは、
前記第１の表示効果の形状、
前記第１の表示効果の線形性、
前記第１の表示効果の最小寸法、
前記第１の表示効果の最大寸法、または
前記第１の表示効果の色のうちの少なくとも１つに基づく、条項Ｅ１７に記載のエレクトロウェッティングディスプレイ装置。
【図１】
0006509436.tif 000002
【図２】
0006509436.tif 000003
【図３】
0006509436.tif 000004
【図４】
0006509436.tif 000005
【図５】
0006509436.tif 000006
【図６】
0006509436.tif 000007
【図７】
0006509436.tif 000008
【図８】
0006509436.tif 000009
【図９】
0006509436.tif 000010
【図１０】
0006509436.tif 000011
【図１１】
0006509436.tif 000012
【図１２】
0006509436.tif 000013
【図１３】
0006509436.tif 000014
【図１４】
0006509436.tif 000015
【図１５】
0006509436.tif 000016
【図１６】
0006509436.tif 000017
【図１７】
0006509436.tif 000018
【図１８】
0006509436.tif 000019
【図１９】
0006509436.tif 000020
【図２０】
0006509436.tif 000021
【図２１】
0006509436.tif 000022
【図２２】
0006509436.tif 000023
【図２３】
0006509436.tif 000024
【図２４】
0006509436.tif 000025
【図２５】
0006509436.tif 000026
【図２６】
0006509436.tif 000027
【図２７】
0006509436.tif 000028
【図２８】
0006509436.tif 000029
【図２９】
0006509436.tif 000030
【図３０】
0006509436.tif 000031
【図３１】
0006509436.tif 000032
【図３２】
0006509436.tif 000033